(57)【要約】【課題】装填されているディスク上の記録情報を破壊することなく安全に、かつ、短時間に複数の規格のディスクの判別を実行することができる光ディスク装置を実現する。【解決手段】  この光ディスク装置１００では、レーザ光混合分離部により混合された第１レーザ光と第１レーザ光より波長の短い第２レーザ光とを同時に光ディスク１に照射させる。対物レンズ２９は、第１レーザ光についての焦点距離が第２レーザ光についての焦点距離よりも長いので、光ディスク１の情報面に、波長の長い第１レーザ光が先に照射されることになるので、光ディスク１の情報面を破壊するリスクを回避させることができる。【選択図】図１
2008165959.tif 000002
【特許請求の範囲】
【請求項１】
第１レーザ光を照射させる第１レーザ光源と、
前記第１レーザ光より短い波長の第２レーザ光を照射させる第２レーザ光源と、
前記第１レーザ光および前記第２レーザ光を混合および分離するレーザ光混合分離部と、
前記レーザ光混合分離部により混合された前記第１レーザ光と前記第２レーザ光とを同時に光ディスクに照射させる対物レンズと、
前記対物レンズを前記光ディスクに対して遠近駆動させることで、前記対物レンズと前記光ディスクとの距離を可変させる対物レンズ駆動部と、
前記光ディスクから反射された前記第１レーザ光の強度を検出する第１レーザ光検出部と、
前記光ディスクから反射された前記第２レーザ光の強度を検出する第２レーザ光検出部と、
前記第１レーザ光検出部での検出結果に対応する第１レーザ光検出信号および前記第２レーザ光検出部での検出結果に対応する第２レーザ光検出信号を生成するサーボ信号生成部と、
前記第１レーザ光検出信号および前記第２レーザ光検出信号に基づき、前記光ディスクの種類を判別するディスク判別部と、
を備える光ディスク装置。
【請求項２】
前記対物レンズは、前記第１レーザ光についての焦点距離が前記第２レーザ光についての焦点距離よりも長いものであり、ディスクの種類を判別する動作を行う場合の初期状態において、前記対物レンズと前記光ディスクの前記対物レンズに対向する側の表面との距離が前記第１レーザ光についての前記対物レンズの焦点距離よりも長い状態となる位置である初期位置に配置されており、
前記対物レンズ駆動部は、前記対物レンズを、前記初期位置から前記対物レンズと前記光ディスクとの距離が小さくなる方向に駆動し、
前記ディスク判別部は、前記対物レンズ駆動部により前記対物レンズが前記初期位置から前記対物レンズと前記光ディスクとの距離が小さくなる方向に駆動されている期間において、前記第１レーザ光検出信号および前記第２レーザ光検出信号の信号レベルを所定のしきい値と比較することで、前記光ディスクの種類を判別する、
請求項１に記載の光ディスク装置。
【請求項３】
第１レーザ光を照射させる第１レーザ光源と、
前記第１レーザ光より短い波長の第２レーザ光を照射させる第２レーザ光源と、
前記第１レーザ光を光ディスクに照射させる第１レーザ光用対物レンズと、
前記第２レーザ光を前記光ディスクに照射させる第２レーザ光用対物レンズと、
前記第１レーザ光用対物レンズを前記光ディスクに対して遠近駆動させることで、前記第１レーザ光用対物レンズと前記光ディスクとの距離を可変させる第１レーザ光用対物レンズ駆動部と、
前記第２レーザ光用対物レンズを前記光ディスクに対して遠近駆動させることで、前記第２レーザ光用対物レンズと前記光ディスクとの距離を可変させる第２レーザ光用対物レンズ駆動部と、
前記光ディスクから反射された前記第１レーザ光の強度を検出する第１レーザ光検出部と、
前記光ディスクから反射された前記第２レーザ光の強度を検出する第２レーザ光検出部と、
前記第１レーザ光検出部での検出結果に対応する第１レーザ光検出信号および前記第２レーザ光検出部での検出結果に対応する第２レーザ光検出信号を生成するサーボ信号生成部と、
前記第２レーザ光用対物レンズを駆動させるための第２レーザ光用対物レンズ駆動制御信号を出力し、また、前記第１レーザ光検出信号および前記第２レーザ光検出信号に基づき、前記光ディスクの種類を判別するディスク判別部と、
前記第２レーザ光用対物レンズ駆動制御信号にオフセット値を加算することで前記第１レーザ光用対物レンズを駆動させるための第１レーザ光用対物レンズ駆動制御信号を生成する駆動差加算部と、
を備え、
前記第１レーザ光用対物レンズ駆動部は、前記第１レーザ光用対物レンズ駆動制御信号により、前記第１レーザ光用対物レンズを駆動し、
前記第２レーザ光用対物レンズ駆動部は、前記第２レーザ光用対物レンズ駆動制御信号により、前記第２レーザ光用対物レンズを駆動する、
光ディスク装置。
【請求項４】
前記第１レーザ光用対物レンズは、ディスクの種類を判別する動作を行う場合の初期状態において、前記第１レーザ光用対物レンズと前記光ディスクの前記第１レーザ光用対物レンズに対向する側の表面との距離が前記第１レーザ光についての前記対物レンズの焦点距離よりも長い状態となる位置である第１レーザ光用対物レンズ用初期位置に配置されており、
前記第１レーザ光用対物レンズ駆動部は、前記第１レーザ光用対物レンズを、前記第１レーザ光用対物レンズ用初期位置から前記第１レーザ光用対物レンズと前記光ディスクとの距離が小さくなる方向に駆動し、
前記第２レーザ光用対物レンズ駆動部は、前記第２レーザ光用対物レンズを、前記第１レーザ光用対物レンズが前記第１レーザ光用対物レンズ用初期位置に位置するときの前記第２レーザ光用対物レンズが存在する位置である第２レーザ光用対物レンズ用初期位置から前記第２レーザ光用対物レンズと前記光ディスクとの距離が小さくなる方向に、前記第１レーザ光用対物レンズ駆動部が前記第１レーザ光用対物レンズを駆動させる速度と同一速度で駆動し、
前記ディスク判別部は、前記第１レーザ光用対物レンズ駆動部および前記第２レーザ光用対物レンズ駆動部により前記第１レーザ光用対物レンズおよび前記第２レーザ光用対物レンズが前記第1レーザ光用対物レンズ用初期位置及び前記第２レーザ光用対物レンズ用初期位置から前記光ディスクとの距離が小さくなる方向に駆動されている期間において、前記第１レーザ光検出信号および前記第２レーザ光検出信号の信号レベルを所定のしきい値と比較することで、前記光ディスクの種類を判別する、
請求項３に記載の光ディスク装置。
【請求項５】
第１レーザ光を照射させる第１レーザ光源と、
前記第１レーザ光より短い波長の第２レーザ光を照射させる第２レーザ光源と、
前記第２レーザ光より短い波長の第３レーザ光を照射させる第３レーザ光源と、
前記第１レーザ光源、前記第２レーザ光源および前記第３レーザ光源の駆動制御を行うレーザ制御部と、
前記第１レーザ光および前記第２レーザ光を混合および分離するレーザ光混合分離部と、
前記レーザ光混合分離部により混合された前記第１レーザ光と前記第２レーザ光とを同時に光ディスクに照射させる低ＮＡ対物レンズと、
前記低ＮＡ対物レンズよりも高い開口率である高ＮＡ対物レンズと、
ＯＮ状態の場合、前記第３レーザ光を前記高ＮＡ対物レンズに導く光路に設定し、ＯＦＦ状態の場合、前記第３レーザ光を前記低ＮＡ対物レンズに導く光路に設定する光路切替部と、
前記低ＮＡ対物レンズを前記光ディスクに対して遠近駆動させることで、前記低ＮＡ対物レンズと前記光ディスクとの距離を可変させる低ＮＡ対物レンズ駆動部と、
前記高ＮＡ対物レンズを前記光ディスクに対して遠近駆動させることで、前記高ＮＡ対物レンズと前記光ディスクとの距離を可変させる高ＮＡ対物レンズ駆動部と、
前記光ディスクから反射された前記第１レーザ光の強度を検出する第１レーザ光検出部と、
前記光ディスクから反射された前記第２レーザ光の強度を検出する第２レーザ光検出部と、
前記光ディスクから反射された前記第３レーザ光の強度を検出する第３レーザ光検出部と、
前記第１レーザ光検出部での検出結果に対応する第１レーザ光検出信号、前記第２レーザ光検出部での検出結果に対応する第２レーザ光検出信号、および前記第３レーザ光検出部での検出結果に対応する第３レーザ光検出信号を生成するサーボ信号生成部と、
前記高ＮＡ対物レンズを駆動させるための高ＮＡ対物レンズ駆動制御信号を出力し、また、前記第１レーザ光検出信号、前記第２レーザ光検出信号および前記第３レーザ光検出信号に基づき、前記光ディスクの種類を判別するディスク判別部と、
前記高ＮＡ対物レンズ駆動制御信号にオフセット値を加算することで前記低ＮＡ対物レンズを駆動させるための低ＮＡ対物レンズ駆動制御信号を生成する駆動差加算部と、
を備え、
前記高ＮＡ対物レンズは、前記光路切替部がＯＮ状態である場合、前記第３レーザ光を前記光ディスクに照射させ、
前記低ＮＡ対物レンズ駆動部は、前記低ＮＡ対物レンズ駆動制御信号により、前記低ＮＡ対物レンズを駆動し、
前記高ＮＡ対物レンズ駆動部は、前記高ＮＡ対物レンズ駆動制御信号により、前記高ＮＡ対物レンズを駆動する、
光ディスク装置。
【請求項６】
前記低ＮＡ対物レンズは、ディスクの種類を判別する動作を行う場合の初期状態において、前記低ＮＡ対物レンズと前記光ディスクの前記低ＮＡ対物レンズに対向する側の表面との距離が前記第１レーザ光についての前記低ＮＡ対物レンズの焦点距離よりも長い状態となる位置である低ＮＡ対物レンズ用初期位置に配置されており、
前記低ＮＡ対物レンズ駆動部は、前記低ＮＡ対物レンズを、前記初期位置から前記低ＮＡ対物レンズと前記光ディスクとの距離が小さくなる方向に駆動し、
前記高ＮＡ対物レンズ駆動部は、前記高ＮＡ対物レンズを、前記低ＮＡ対物レンズが前記低ＮＡ対物レンズ用初期位置に位置するときの前記高ＮＡ対物レンズが存在する位置である高ＮＡ対物レンズ用初期位置から前記高ＮＡ対物レンズと前記光ディスクとの距離が小さくなる方向に、前記低ＮＡ対物レンズ駆動部が前記低ＮＡ対物レンズを駆動させる速度と同一速度で駆動し、
前記ディスク判別部は、前記低ＮＡ対物レンズ駆動部および前記高ＮＡ対物レンズ駆動部により前記低ＮＡ対物レンズおよび前記高ＮＡ対物レンズが前記低ＮＡ対物レンズ用初期位置および前記高ＮＡ対物レンズ用初期位置から前記光ディスクとの距離が小さくなる方向に駆動されている期間において、前記第１レーザ光検出信号、前記第２レーザ光検出信号および前記第３レーザ光検出信号の信号レベルを所定のしきい値と比較することで、前記光ディスクの種類を判別する、
請求項５に記載の光ディスク装置。
【請求項７】
前記駆動制御部は、第１段階において、前記第１レーザ光源から前記第１レーザ光を、前記第２レーザ光源から前記第２レーザ光を、前記第３レーザ光源から前記第３レーザ光を、それぞれ照射するように駆動制御し、第２段階において、前記第３レーザ光源から前記第３レーザ光のみを照射するように駆動制御し、
前記光路切替部は、前記第１段階において、ＯＮ状態とし、前記第２段階において、ＯＦＦ状態とし、
前記高ＮＡ対物レンズ駆動部は、前記第１段階において、前記高ＮＡ対物レンズを、前記高ＮＡ対物レンズ用初期位置から前記高ＮＡ対物レンズと前記光ディスクとの距離が小さくなる方向に駆動し、前記第２段階において、前記高ＮＡ対物レンズを駆動せず、
前記低ＮＡ対物レンズ駆動部は、前記第１段階において、前記低ＮＡ対物レンズを、前記低ＮＡ対物レンズ用初期位置から前記低ＮＡ対物レンズと前記光ディスクとの距離が小さくなる方向に、前記高ＮＡ対物レンズ駆動部が前記高ＮＡ対物レンズを駆動させる速度と同一速度で駆動し、前記第２段階において、前記低ＮＡ対物レンズを、前記低ＮＡ対物レンズ用初期位置から前記低ＮＡ対物レンズと前記光ディスクとの距離が小さくなる方向に駆動し、
前記ディスク判別部は、前記第１段階において、前記第１レーザ光検出信号、前記第２レーザ光検出信号および前記第３レーザ光検出信号に基づき、前記光ディスクの種類を判別し、前記第２段階において、前記第３レーザ光検出信号に基づき、前記光ディスクの種類を判別する、
請求項５または６に記載の光ディスク装置。
【請求項８】
前記ディスク判別部は、前記第１段階において、前記低ＮＡ対物レンズ駆動部および前記高ＮＡ対物レンズ駆動部により前記低ＮＡ対物レンズおよび前記高ＮＡ対物レンズが前記低ＮＡ対物レンズ用初期位置および前記高ＮＡ対物レンズ用初期位置から前記光ディスクとの距離が小さくなる方向に駆動されている期間において、前記第１レーザ光検出信号、前記第２レーザ光検出信号および前記第３レーザ光検出信号の信号レベルを所定のしきい値と比較することで、前記光ディスクの種類を判別し、
前記第２段階において、前記低ＮＡ対物レンズ駆動部により前記低ＮＡ対物レンズが前記低ＮＡ対物レンズ用初期位置から前記光ディスクとの距離が小さくなる方向に駆動されている期間において、前記第３レーザ光検出信号の信号レベルを所定のしきい値と比較することで、前記光ディスクの種類を判別する、
請求項７に記載の光ディスク装置。
【請求項９】
第１レーザ光を照射させる第１レーザ光源と、
前記第１レーザ光より短い波長の第２レーザ光を照射させる第２レーザ光源と、
前記第２レーザ光より短い波長の第３レーザ光を照射させる第３レーザ光源と、
前記第１レーザ光源、前記第２レーザ光源および前記第３レーザ光源の駆動制御を行うレーザ制御部と、
前記第１レーザ光および前記第２レーザ光を混合および分離するレーザ光混合分離部と、
ＯＮ状態の場合、前記第３レーザ光を前記高ＮＡ対物レンズに導く光路に設定し、ＯＦＦ状態の場合、前記第３レーザ光を前記低ＮＡ対物レンズに導く光路に設定する光路切替部と、
前記レーザ光混合分離部により混合された前記第１レーザ光と前記第２レーザ光とを同時に光ディスクに照射させる低ＮＡ対物レンズと、
前記光路切替部がＯＮ状態である場合、前記第３レーザ光を前記光ディスクに照射させ、前記低ＮＡ対物レンズよりも高い開口率である高ＮＡ対物レンズと、
前記低ＮＡ対物レンズを前記光ディスクに対して遠近駆動させることで、前記低ＮＡ対物レンズと前記光ディスクとの距離を可変させる低ＮＡ対物レンズ駆動部と、
前記高ＮＡ対物レンズを前記光ディスクに対して遠近駆動させることで、前記高ＮＡ対物レンズと前記光ディスクとの距離を可変させる高ＮＡ対物レンズ駆動部と、
前記光ディスクから反射された前記第１レーザ光の強度および前記第２レーザ光の強度の強度を検出する多重レーザ光検出部と、
前記光ディスクから反射された前記第３レーザ光の強度を検出する第３レーザ光検出部と、
前記多重レーザ光検出部での検出結果に対応する多重レーザ光検出信号、および前記第３レーザ光検出部での検出結果に対応する第３レーザ光検出信号を生成するサーボ信号生成部と、
前記低ＮＡ対物レンズを駆動させるための低ＮＡ対物レンズ駆動制御信号を出力し、また、前記多重レーザ光検出信号および前記第３レーザ光検出信号に基づき、前記光ディスクの種類を判別するディスク判別部と、
前記低ＮＡ対物レンズ駆動制御信号にオフセット値を加算することで前記高ＮＡ対物レンズを駆動させるための高ＮＡ対物レンズ駆動制御信号を生成する駆動差加算部と、
を備え、
前記低ＮＡ対物レンズ駆動部は、前記低ＮＡ対物レンズ駆動制御信号により、前記低ＮＡ対物レンズを駆動し、
前記高ＮＡ対物レンズ駆動部は、前記高ＮＡ対物レンズ駆動制御信号により、前記高ＮＡ対物レンズを駆動する、
光ディスク装置。
【請求項１０】
前記低ＮＡ対物レンズは、ディスクの種類を判別する動作を行う場合の初期状態において、前記低ＮＡ対物レンズと前記光ディスクの前記低ＮＡ対物レンズに対向する側の表面である第１ディスク表面との距離が前記第１レーザ光についての前記低ＮＡ対物レンズの焦点距離よりも長い状態となる位置であって、前記第１ディスク面から距離ＬＥＮ０だけ前記低ＮＡ対物レンズ側に離れた位置である低ＮＡ対物レンズ用初期位置に配置されており、
前記高ＮＡ対物レンズは、ディスクの種類を判別する動作を行う場合の初期状態において、前記第１ディスク面から
（前記距離ＬＥＮ０）−（前記オフセット値Ｏｆｆｓｅｔ）（Ｏｆｆｓｅｔ＞０）
だけ離れた位置である高ＮＡ対物レンズ用初期位置に配置されており、
前記低ＮＡ対物レンズ駆動部は、前記低ＮＡ対物レンズを、前記低ＮＡ対物レンズ用初期位置から前記低ＮＡ対物レンズと前記光ディスクとの距離が小さくなる方向に駆動し、
前記高ＮＡ対物レンズ駆動部は、前記高ＮＡ対物レンズを、前記高ＮＡ対物レンズ用初期位置から前記高ＮＡ対物レンズと前記光ディスクとの距離が小さくなる方向に、前記低ＮＡ対物レンズ駆動部が前記低ＮＡ対物レンズを駆動させる速度と同一速度で駆動し、
前記ディスク判別部は、前記低ＮＡ対物レンズ駆動部および前記高ＮＡ対物レンズ駆動部により前記低ＮＡ対物レンズおよび前記高ＮＡ対物レンズが前記低ＮＡ対物レンズ用初期位置および前記高ＮＡ対物レンズ用初期位置から前記光ディスクとの距離が小さくなる方向に駆動されている期間において、前記多重レーザ光検出信号および前記第３レーザ光検出信号の信号レベルを所定のしきい値と比較することで、前記光ディスクの種類を判別する、
請求項９に記載の光ディスク装置。
【請求項１１】
前記高ＮＡ対物レンズは、前記初期状態において、前記第１レーザ光についての前記低ＮＡ対物レンズの焦点位置と前記第１ディスク面との距離をＬＥＮ１とし、前記第２レーザ光についての前記低ＮＡ対物レンズの焦点位置と前記第１ディスク面との距離をＬＥＮ２とし、前記第３レーザ光についての前記高ＮＡ対物レンズの焦点位置と前記第１ディスク面との距離をＬＥＮ３としたとき、
ＬＥＮ１＞ＬＥＮ２＞ＬＥＮ３
となるように決定される前記オフセット値Ｏｆｆｓｅｔにより、前記第１ディスク面から
（前記距離ＬＥＮ０）−（前記オフセット値Ｏｆｆｓｅｔ）（Ｏｆｆｓｅｔ＞０）
だけ離れた位置である前記高ＮＡ対物レンズ用初期位置に配置されている、
請求項１０に記載の光ディスク装置。
【請求項１２】
前記駆動制御部は、第１段階において、前記第１レーザ光源から前記第１レーザ光を、前記第２レーザ光源から前記第２レーザ光を、前記第３レーザ光源から前記第３レーザ光を、それぞれ照射するように駆動制御し、第２段階において、前記第３レーザ光源から前記第３レーザ光のみを照射するように駆動制御し、
前記光路切替部は、前記第１段階において、ＯＮ状態とし、前記第２段階において、ＯＦＦ状態とし、
前記低ＮＡ対物レンズ駆動部は、前記第１段階において、前記低ＮＡ対物レンズを、前記低ＮＡ対物レンズ用初期位置から前記低ＮＡ対物レンズと前記光ディスクとの距離が小さくなる方向に駆動し、前記第２段階において、前記低ＮＡ対物レンズを、前記低ＮＡ対物レンズ用初期位置から前記低ＮＡ対物レンズと前記光ディスクとの距離が小さくなる方向に駆動し、
前記高ＮＡ対物レンズ駆動部は、前記第１段階において、前記高ＮＡ対物レンズを、前記高ＮＡ対物レンズ用初期位置から前記高ＮＡ対物レンズと前記光ディスクとの距離が小さくなる方向に、前記低ＮＡ対物レンズ駆動部が前記低ＮＡ対物レンズを駆動させる速度と同一速度で駆動し、前記第２段階において、前記高ＮＡ対物レンズを駆動せず、
前記ディスク判別部は、前記第１段階において、前記多重レーザ光検出信号および前記第３レーザ光検出信号に基づき、前記光ディスクの種類を判別し、前記第２段階において、前記第３レーザ光検出信号に基づき、前記光ディスクの種類を判別する、
請求項９から１１のいずれかに記載の光ディスク装置。
【請求項１３】
前記ディスク判別部は、前記第１段階において、前記低ＮＡ対物レンズ駆動部および前記高ＮＡ対物レンズ駆動部により前記低ＮＡ対物レンズおよび前記高ＮＡ対物レンズが前記低ＮＡ対物レンズ用初期位置および前記高ＮＡ対物レンズ用初期位置から前記光ディスクとの距離が小さくなる方向に駆動されている期間において、前記多重レーザ光検出信号および前記第３レーザ光検出信号の信号レベルを所定のしきい値と比較することで、前記光ディスクの種類を判別し、
前記第２段階において、前記低ＮＡ対物レンズ駆動部により前記低ＮＡ対物レンズが前記低ＮＡ対物レンズ用初期位置から前記光ディスクとの距離が小さくなる方向に駆動されている期間において、前記多重レーザ光検出信号の信号レベルを所定のしきい値と比較することで、前記光ディスクの種類を判別する、
請求項１２に記載の光ディスク装置。
【請求項１４】
第１レーザ光を照射させる第１レーザ光源と、
前記第１レーザ光より短い波長の第２レーザ光を照射させる第２レーザ光源と、
前記第１レーザ光および前記第２レーザ光を混合および分離するレーザ光混合分離部と、
前記レーザ光混合分離部により混合された前記第１レーザ光と前記第２レーザ光とを同時に光ディスクに照射させる対物レンズと、を備える光ディスク装置に用いられる光ディスク判別方法であって、
前記対物レンズを前記光ディスクに対して遠近駆動させることで、前記対物レンズと前記光ディスクとの距離を可変させる対物レンズ駆動ステップと、
前記光ディスクから反射された前記第１レーザ光の強度を検出する第１レーザ光検出ステップと、
前記光ディスクから反射された前記第２レーザ光の強度を検出する第２レーザ光検出ステップと、
前記第１レーザ光検出ステップでの検出結果に対応する第１レーザ光検出信号および前記第２レーザ光検出ステップでの検出結果に対応する第２レーザ光検出信号を生成するサーボ信号生成ステップと、
前記第１レーザ光検出信号および前記第２レーザ光検出信号に基づき、前記光ディスクの種類を判別するディスク判別ステップと、
を備える光ディスク判別方法。
【請求項１５】
第１レーザ光を照射させる第１レーザ光源と、
前記第１レーザ光より短い波長の第２レーザ光を照射させる第２レーザ光源と、
前記第１レーザ光を光ディスクに照射させる第１レーザ光用対物レンズと、
前記第２レーザ光を前記光ディスクに照射させる第２レーザ光用対物レンズと、を備える光ディスク装置に用いられる光ディスク判別方法であって、
前記第１レーザ光用対物レンズを前記光ディスクに対して遠近駆動させることで、前記第１レーザ光用対物レンズと前記光ディスクとの距離を可変させる第１レーザ光用対物レンズ駆動ステップと、
前記第２レーザ光用対物レンズを前記光ディスクに対して遠近駆動させることで、前記第２レーザ光用対物レンズと前記光ディスクとの距離を可変させる第２レーザ光用対物レンズ駆動ステップと、
前記光ディスクから反射された前記第１レーザ光の強度を検出する第１レーザ光検出ステップと、
前記光ディスクから反射された前記第２レーザ光の強度を検出する第２レーザ光検出ステップと、
前記第１レーザ光検出ステップでの検出結果に対応する第１レーザ光検出信号および前記第２レーザ光検出ステップでの検出結果に対応する第２レーザ光検出信号を生成するサーボ信号生成ステップと、
前記第２レーザ光用対物レンズを駆動させるための第２レーザ光用対物レンズ駆動制御信号を出力し、また、前記第１レーザ光検出信号および前記第２レーザ光検出信号に基づき、前記光ディスクの種類を判別するディスク判別ステップと、
前記第２レーザ光用対物レンズ駆動制御信号にオフセット値を加算することで前記第１レーザ光用対物レンズを駆動させるための第１レーザ光用対物レンズ駆動制御信号を生成する駆動差加算ステップと、
を備え、
前記第１レーザ光用対物レンズ駆動ステップでは、前記第１レーザ光用対物レンズ駆動制御信号により、前記第１レーザ光用対物レンズを駆動し、
前記第２レーザ光用対物レンズ駆動ステップでは、前記第２レーザ光用対物レンズ駆動制御信号により、前記第２レーザ光用対物レンズを駆動する、
光ディスク判別方法。
【請求項１６】
第１レーザ光を照射させる第１レーザ光源と、
前記第１レーザ光より短い波長の第２レーザ光を照射させる第２レーザ光源と、
前記第２レーザ光より短い波長の第３レーザ光を照射させる第３レーザ光源と、
前記第１レーザ光源、前記第２レーザ光源および前記第３レーザ光源の駆動制御を行うレーザ制御部と、
前記第１レーザ光および前記第２レーザ光を混合および分離するレーザ光混合分離部と、
前記レーザ光混合分離部により混合された前記第１レーザ光と前記第２レーザ光とを同時に光ディスクに照射させる低ＮＡ対物レンズと、
前記低ＮＡ対物レンズよりも高い開口率である高ＮＡ対物レンズと、
ＯＮ状態の場合、前記第３レーザ光を前記高ＮＡ対物レンズに導く光路に設定し、ＯＦＦ状態の場合、前記第３レーザ光を前記低ＮＡ対物レンズに導く光路に設定する光路切替部と、を備える光ディスク装置に用いられる光ディスク判別方法であって、
前記低ＮＡ対物レンズを前記光ディスクに対して遠近駆動させることで、前記低ＮＡ対物レンズと前記光ディスクとの距離を可変させる低ＮＡ対物レンズ駆動ステップと、
前記高ＮＡ対物レンズを前記光ディスクに対して遠近駆動させることで、前記高ＮＡ対物レンズと前記光ディスクとの距離を可変させる高ＮＡ対物レンズ駆動ステップと、
前記光ディスクから反射された前記第１レーザ光の強度を検出する第１レーザ光検出ステップと、
前記光ディスクから反射された前記第２レーザ光の強度を検出する第２レーザ光検出ステップと、
前記光ディスクから反射された前記第３レーザ光の強度を検出する第３レーザ光検出ステップと、
前記第１レーザ光検出ステップでの検出結果に対応する第１レーザ光検出信号、前記第２レーザ光検出ステップでの検出結果に対応する第２レーザ光検出信号、および前記第３レーザ光検出ステップでの検出結果に対応する第３レーザ光検出信号を生成するサーボ信号生成ステップと、
前記高ＮＡ対物レンズを駆動させるための高ＮＡ対物レンズ駆動制御信号を出力し、また、前記第１レーザ光検出信号、前記第２レーザ光検出信号および前記第３レーザ光検出信号に基づき、前記光ディスクの種類を判別するディスク判別ステップと、
前記高ＮＡ対物レンズ駆動制御信号にオフセット値を加算することで前記低ＮＡ対物レンズを駆動させるための低ＮＡ対物レンズ駆動制御信号を生成する駆動差加算ステップと、
を備え、
前記低ＮＡ対物レンズ駆動ステップでは、前記低ＮＡ対物レンズ駆動制御信号により、前記低ＮＡ対物レンズを駆動し、
前記高ＮＡ対物レンズ駆動ステップでは、前記高ＮＡ対物レンズ駆動制御信号により、前記高ＮＡ対物レンズを駆動する、
光ディスク判別方法。
【請求項１７】
第１レーザ光を照射させる第１レーザ光源と、
前記第１レーザ光より短い波長の第２レーザ光を照射させる第２レーザ光源と、
前記第２レーザ光より短い波長の第３レーザ光を照射させる第３レーザ光源と、
前記第１レーザ光源、前記第２レーザ光源および前記第３レーザ光源の駆動制御を行うレーザ制御部と、
前記第１レーザ光および前記第２レーザ光を混合および分離するレーザ光混合分離部と、
ＯＮ状態の場合、前記第３レーザ光を前記高ＮＡ対物レンズに導く光路に設定し、ＯＦＦ状態の場合、前記第３レーザ光を前記低ＮＡ対物レンズに導く光路に設定する光路切替部と、
前記レーザ光混合分離部により混合された前記第１レーザ光と前記第２レーザ光とを同時に光ディスクに照射させる低ＮＡ対物レンズと、
前記光路切替部がＯＮ状態である場合、前記第３レーザ光を前記光ディスクに照射させ、前記低ＮＡ対物レンズよりも高い開口率である高ＮＡ対物レンズと、を備える光ディスク装置に用いられる光ディスク判別方法であって、
前記低ＮＡ対物レンズを前記光ディスクに対して遠近駆動させることで、前記低ＮＡ対物レンズと前記光ディスクとの距離を可変させる低ＮＡ対物レンズ駆動ステップと、
前記高ＮＡ対物レンズを前記光ディスクに対して遠近駆動させることで、前記高ＮＡ対物レンズと前記光ディスクとの距離を可変させる高ＮＡ対物レンズ駆動ステップと、
前記光ディスクから反射された前記第１レーザ光の強度および前記第２レーザ光の強度の強度を検出する多重レーザ光検出ステップと、
前記光ディスクから反射された前記第３レーザ光の強度を検出する第３レーザ光検出ステップと、
前記多重レーザ光検出ステップでの検出結果に対応する多重レーザ光検出信号、および前記第３レーザ光検出ステップでの検出結果に対応する第３レーザ光検出信号を生成するサーボ信号生成ステップと、
前記低ＮＡ対物レンズを駆動させるための低ＮＡ対物レンズ駆動制御信号を出力し、また、前記多重レーザ光検出信号および前記第３レーザ光検出信号に基づき、前記光ディスクの種類を判別するディスク判別ステップと、
前記低ＮＡ対物レンズ駆動制御信号にオフセット値を加算することで前記高ＮＡ対物レンズを駆動させるための高ＮＡ対物レンズ駆動制御信号を生成する駆動差加算ステップと、
を備え、
前記低ＮＡ対物レンズ駆動ステップでは、前記低ＮＡ対物レンズ駆動制御信号により、前記低ＮＡ対物レンズを駆動し、
前記高ＮＡ対物レンズ駆動ステップでは、前記高ＮＡ対物レンズ駆動制御信号により、前記高ＮＡ対物レンズを駆動する、
光ディスク判別方法。
【請求項１８】
第１レーザ光を照射させる第１レーザ光源と、
前記第１レーザ光より短い波長の第２レーザ光を照射させる第２レーザ光源と、
前記第１レーザ光および前記第２レーザ光を混合および分離するレーザ光混合分離部と、
前記レーザ光混合分離部により混合された前記第１レーザ光と前記第２レーザ光とを同時に光ディスクに照射させる対物レンズと、を備える光ディスク装置に用いられるプログラムであって、
コンピュータを、
前記対物レンズを前記光ディスクに対して遠近駆動させることで、前記対物レンズと前記光ディスクとの距離を可変させる対物レンズ駆動部、
前記光ディスクから反射された前記第１レーザ光の強度を検出する第１レーザ光検出部、
前記光ディスクから反射された前記第２レーザ光の強度を検出する第２レーザ光検出部、
前記第１レーザ光検出部での検出結果に対応する第１レーザ光検出信号および前記第２レーザ光検出部での検出結果に対応する第２レーザ光検出信号を生成するサーボ信号生成部、
前記第１レーザ光検出信号および前記第２レーザ光検出信号に基づき、前記光ディスクの種類を判別するディスク判別部、
として機能させるためのプログラム。
【請求項１９】
第１レーザ光を照射させる第１レーザ光源と、
前記第１レーザ光より短い波長の第２レーザ光を照射させる第２レーザ光源と、
前記第１レーザ光を光ディスクに照射させる第１レーザ光用対物レンズと、
前記第２レーザ光を前記光ディスクに照射させる第２レーザ光用対物レンズと、を備える光ディスク装置に用いられるプログラムであって、
コンピュータを、
前記第１レーザ光用対物レンズを前記光ディスクに対して遠近駆動させることで、前記第１レーザ光用対物レンズと前記光ディスクとの距離を可変させる第１レーザ光用対物レンズ駆動部、
前記第２レーザ光用対物レンズを前記光ディスクに対して遠近駆動させることで、前記第２レーザ光用対物レンズと前記光ディスクとの距離を可変させる第２レーザ光用対物レンズ駆動部、
前記光ディスクから反射された前記第１レーザ光の強度を検出する第１レーザ光検出部、
前記光ディスクから反射された前記第２レーザ光の強度を検出する第２レーザ光検出部、
前記第１レーザ光検出部での検出結果に対応する第１レーザ光検出信号および前記第２レーザ光検出部での検出結果に対応する第２レーザ光検出信号を生成するサーボ信号生成部、
前記第２レーザ光用対物レンズを駆動させるための第２レーザ光用対物レンズ駆動制御信号を出力し、また、前記第１レーザ光検出信号および前記第２レーザ光検出信号に基づき、前記光ディスクの種類を判別するディスク判別部、
前記第２レーザ光用対物レンズ駆動制御信号にオフセット値を加算することで前記第１レーザ光用対物レンズを駆動させるための第１レーザ光用対物レンズ駆動制御信号を生成する駆動差加算部、
として機能させるプログラムであって、
前記第１レーザ光用対物レンズ駆動部は、前記第１レーザ光用対物レンズ駆動制御信号により、前記第１レーザ光用対物レンズを駆動し、
前記第２レーザ光用対物レンズ駆動部は、前記第２レーザ光用対物レンズ駆動制御信号により、前記第２レーザ光用対物レンズを駆動する、
プログラム。
【請求項２０】
第１レーザ光を照射させる第１レーザ光源と、
前記第１レーザ光より短い波長の第２レーザ光を照射させる第２レーザ光源と、
前記第２レーザ光より短い波長の第３レーザ光を照射させる第３レーザ光源と、
前記第１レーザ光源、前記第２レーザ光源および前記第３レーザ光源の駆動制御を行うレーザ制御部と、
前記第１レーザ光および前記第２レーザ光を混合および分離するレーザ光混合分離部と、
前記レーザ光混合分離部により混合された前記第１レーザ光と前記第２レーザ光とを同時に光ディスクに照射させる低ＮＡ対物レンズと、
前記低ＮＡ対物レンズよりも高い開口率である高ＮＡ対物レンズと、
ＯＮ状態の場合、前記第３レーザ光を前記高ＮＡ対物レンズに導く光路に設定し、ＯＦＦ状態の場合、前記第３レーザ光を前記低ＮＡ対物レンズに導く光路に設定する光路切替部と、を備える光ディスク装置に用いられるプログラムであって、
コンピュータを、
前記低ＮＡ対物レンズを前記光ディスクに対して遠近駆動させることで、前記低ＮＡ対物レンズと前記光ディスクとの距離を可変させる低ＮＡ対物レンズ駆動部、
前記高ＮＡ対物レンズを前記光ディスクに対して遠近駆動させることで、前記高ＮＡ対物レンズと前記光ディスクとの距離を可変させる高ＮＡ対物レンズ駆動部、
前記光ディスクから反射された前記第１レーザ光の強度を検出する第１レーザ光検出部、
前記光ディスクから反射された前記第２レーザ光の強度を検出する第２レーザ光検出部、
前記光ディスクから反射された前記第３レーザ光の強度を検出する第３レーザ光検出部、
前記第１レーザ光検出部での検出結果に対応する第１レーザ光検出信号、前記第２レーザ光検出部での検出結果に対応する第２レーザ光検出信号、および前記第３レーザ光検出部での検出結果に対応する第３レーザ光検出信号を生成するサーボ信号生成部、
前記高ＮＡ対物レンズを駆動させるための高ＮＡ対物レンズ駆動制御信号を出力し、また、前記第１レーザ光検出信号、前記第２レーザ光検出信号および前記第３レーザ光検出信号に基づき、前記光ディスクの種類を判別するディスク判別部、
前記高ＮＡ対物レンズ駆動制御信号にオフセット値を加算することで前記低ＮＡ対物レンズを駆動させるための低ＮＡ対物レンズ駆動制御信号を生成する駆動差加算部、
として機能させるためのプログラムであって、
前記低ＮＡ対物レンズ駆動部は、前記低ＮＡ対物レンズ駆動制御信号により、前記低ＮＡ対物レンズを駆動し、
前記高ＮＡ対物レンズ駆動部は、前記高ＮＡ対物レンズ駆動制御信号により、前記高ＮＡ対物レンズを駆動する、
プログラム。
【請求項２１】
第１レーザ光を照射させる第１レーザ光源と、
前記第１レーザ光より短い波長の第２レーザ光を照射させる第２レーザ光源と、
前記第２レーザ光より短い波長の第３レーザ光を照射させる第３レーザ光源と、
前記第１レーザ光源、前記第２レーザ光源および前記第３レーザ光源の駆動制御を行うレーザ制御部と、
前記第１レーザ光および前記第２レーザ光を混合および分離するレーザ光混合分離部と、
ＯＮ状態の場合、前記第３レーザ光を前記高ＮＡ対物レンズに導く光路に設定し、ＯＦＦ状態の場合、前記第３レーザ光を前記低ＮＡ対物レンズに導く光路に設定する光路切替部と、
前記レーザ光混合分離部により混合された前記第１レーザ光と前記第２レーザ光とを同時に光ディスクに照射させる低ＮＡ対物レンズと、
前記光路切替部がＯＮ状態である場合、前記第３レーザ光を前記光ディスクに照射させ、前記低ＮＡ対物レンズよりも高い開口率である高ＮＡ対物レンズと、を備える光ディスク装置に用いられるプログラムであって、
コンピュータを、
前記低ＮＡ対物レンズを前記光ディスクに対して遠近駆動させることで、前記低ＮＡ対物レンズと前記光ディスクとの距離を可変させる低ＮＡ対物レンズ駆動部、
前記高ＮＡ対物レンズを前記光ディスクに対して遠近駆動させることで、前記高ＮＡ対物レンズと前記光ディスクとの距離を可変させる高ＮＡ対物レンズ駆動部、
前記光ディスクから反射された前記第１レーザ光の強度および前記第２レーザ光の強度の強度を検出する多重レーザ光検出部、
前記光ディスクから反射された前記第３レーザ光の強度を検出する第３レーザ光検出部、
前記多重レーザ光検出部での検出結果に対応する多重レーザ光検出信号、および前記第３レーザ光検出部での検出結果に対応する第３レーザ光検出信号を生成するサーボ信号生成部、
前記低ＮＡ対物レンズを駆動させるための低ＮＡ対物レンズ駆動制御信号を出力し、また、前記多重レーザ光検出信号および前記第３レーザ光検出信号に基づき、前記光ディスクの種類を判別するディスク判別部、
前記低ＮＡ対物レンズ駆動制御信号にオフセット値を加算することで前記高ＮＡ対物レンズを駆動させるための高ＮＡ対物レンズ駆動制御信号を生成する駆動差加算部、
として機能させるためのプログラムであって、
前記低ＮＡ対物レンズ駆動部は、前記低ＮＡ対物レンズ駆動制御信号により、前記低ＮＡ対物レンズを駆動し、
前記高ＮＡ対物レンズ駆動部は、前記高ＮＡ対物レンズ駆動制御信号により、前記高ＮＡ対物レンズを駆動する、
プログラム。
【請求項２２】
第１レーザ光を照射させる第１レーザ光源と、
前記第１レーザ光より短い波長の第２レーザ光を照射させる第２レーザ光源と、
前記第１レーザ光および前記第２レーザ光を混合および分離するレーザ光混合分離部と、
前記レーザ光混合分離部により混合された前記第１レーザ光と前記第２レーザ光とを同時に光ディスクに照射させる対物レンズと、
前記対物レンズを前記光ディスクに対して遠近駆動させることで、前記対物レンズと前記光ディスクとの距離を可変させる対物レンズ駆動部と、
前記光ディスクから反射された前記第１レーザ光の強度を検出する第１レーザ光検出部と、
前記光ディスクから反射された前記第２レーザ光の強度を検出する第２レーザ光検出部と、を備える光ディスク装置に用いられる集積回路であって、
前記第１レーザ光検出部での検出結果に対応する第１レーザ光検出信号および前記第２レーザ光検出部での検出結果に対応する第２レーザ光検出信号を生成するサーボ信号生成部と、
前記第１レーザ光検出信号および前記第２レーザ光検出信号に基づき、前記光ディスクの種類を判別するディスク判別部と、
を備える集積回路。
【請求項２３】
第１レーザ光を照射させる第１レーザ光源と、
前記第１レーザ光より短い波長の第２レーザ光を照射させる第２レーザ光源と、
前記第１レーザ光を光ディスクに照射させる第１レーザ光用対物レンズと、
前記第２レーザ光を前記光ディスクに照射させる第２レーザ光用対物レンズと、
前記第１レーザ光用対物レンズを前記光ディスクに対して遠近駆動させることで、前記第１レーザ光用対物レンズと前記光ディスクとの距離を可変させる第１レーザ光用対物レンズ駆動部と、
前記第２レーザ光用対物レンズを前記光ディスクに対して遠近駆動させることで、前記第２レーザ光用対物レンズと前記光ディスクとの距離を可変させる第２レーザ光用対物レンズ駆動部と、
前記光ディスクから反射された前記第１レーザ光の強度を検出する第１レーザ光検出部と、
前記光ディスクから反射された前記第２レーザ光の強度を検出する第２レーザ光検出部と、を備える光ディスク装置に用いられる集積回路であって、
前記第１レーザ光検出部での検出結果に対応する第１レーザ光検出信号および前記第２レーザ光検出部での検出結果に対応する第２レーザ光検出信号を生成するサーボ信号生成部と、
前記第２レーザ光用対物レンズを駆動させるための第２レーザ光用対物レンズ駆動制御信号を出力し、また、前記第１レーザ光検出信号および前記第２レーザ光検出信号に基づき、前記光ディスクの種類を判別するディスク判別部と、
前記第２レーザ光用対物レンズ駆動制御信号にオフセット値を加算することで前記第１レーザ光用対物レンズを駆動させるための第１レーザ光用対物レンズ駆動制御信号を生成する駆動差加算部と、
を備え、
前記第１レーザ光用対物レンズ駆動部は、前記第１レーザ光用対物レンズ駆動制御信号により、前記第１レーザ光用対物レンズを駆動し、
前記第２レーザ光用対物レンズ駆動部は、前記第２レーザ光用対物レンズ駆動制御信号により、前記第２レーザ光用対物レンズを駆動する、
集積回路。
【請求項２４】
第１レーザ光を照射させる第１レーザ光源と、
前記第１レーザ光より短い波長の第２レーザ光を照射させる第２レーザ光源と、
前記第２レーザ光より短い波長の第３レーザ光を照射させる第３レーザ光源と、
前記第１レーザ光源、前記第２レーザ光源および前記第３レーザ光源の駆動制御を行うレーザ制御部と、
前記第１レーザ光および前記第２レーザ光を混合および分離するレーザ光混合分離部と、
前記レーザ光混合分離部により混合された前記第１レーザ光と前記第２レーザ光とを同時に光ディスクに照射させる低ＮＡ対物レンズと、
前記低ＮＡ対物レンズよりも高い開口率である高ＮＡ対物レンズと、
ＯＮ状態の場合、前記第３レーザ光を前記高ＮＡ対物レンズに導く光路に設定し、ＯＦＦ状態の場合、前記第３レーザ光を前記低ＮＡ対物レンズに導く光路に設定する光路切替部と、
前記低ＮＡ対物レンズを前記光ディスクに対して遠近駆動させることで、前記低ＮＡ対物レンズと前記光ディスクとの距離を可変させる低ＮＡ対物レンズ駆動部と、
前記高ＮＡ対物レンズを前記光ディスクに対して遠近駆動させることで、前記高ＮＡ対物レンズと前記光ディスクとの距離を可変させる高ＮＡ対物レンズ駆動部と、
前記光ディスクから反射された前記第１レーザ光の強度を検出する第１レーザ光検出部と、
前記光ディスクから反射された前記第２レーザ光の強度を検出する第２レーザ光検出部と、
前記光ディスクから反射された前記第３レーザ光の強度を検出する第３レーザ光検出部と、を備える光ディスク装置に用いられる集積回路であって、
前記第１レーザ光検出部での検出結果に対応する第１レーザ光検出信号、前記第２レーザ光検出部での検出結果に対応する第２レーザ光検出信号、および前記第３レーザ光検出部での検出結果に対応する第３レーザ光検出信号を生成するサーボ信号生成部と、
前記高ＮＡ対物レンズを駆動させるための高ＮＡ対物レンズ駆動制御信号を出力し、また、前記第１レーザ光検出信号、前記第２レーザ光検出信号および前記第３レーザ光検出信号に基づき、前記光ディスクの種類を判別するディスク判別部と、
前記高ＮＡ対物レンズ駆動制御信号にオフセット値を加算することで前記低ＮＡ対物レンズを駆動させるための低ＮＡ対物レンズ駆動制御信号を生成する駆動差加算部と、
を備え、
前記低ＮＡ対物レンズ駆動部は、前記低ＮＡ対物レンズ駆動制御信号により、前記低ＮＡ対物レンズを駆動し、
前記高ＮＡ対物レンズ駆動部は、前記高ＮＡ対物レンズ駆動制御信号により、前記高ＮＡ対物レンズを駆動する、
集積回路。
【請求項２５】
第１レーザ光を照射させる第１レーザ光源と、
前記第１レーザ光より短い波長の第２レーザ光を照射させる第２レーザ光源と、
前記第２レーザ光より短い波長の第３レーザ光を照射させる第３レーザ光源と、
前記第１レーザ光源、前記第２レーザ光源および前記第３レーザ光源の駆動制御を行うレーザ制御部と、
前記第１レーザ光および前記第２レーザ光を混合および分離するレーザ光混合分離部と、
ＯＮ状態の場合、前記第３レーザ光を前記高ＮＡ対物レンズに導く光路に設定し、ＯＦＦ状態の場合、前記第３レーザ光を前記低ＮＡ対物レンズに導く光路に設定する光路切替部と、
前記レーザ光混合分離部により混合された前記第１レーザ光と前記第２レーザ光とを同時に光ディスクに照射させる低ＮＡ対物レンズと、
前記光路切替部がＯＮ状態である場合、前記第３レーザ光を前記光ディスクに照射させ、前記低ＮＡ対物レンズよりも高い開口率である高ＮＡ対物レンズと、
前記低ＮＡ対物レンズを前記光ディスクに対して遠近駆動させることで、前記低ＮＡ対物レンズと前記光ディスクとの距離を可変させる低ＮＡ対物レンズ駆動部と、
前記高ＮＡ対物レンズを前記光ディスクに対して遠近駆動させることで、前記高ＮＡ対物レンズと前記光ディスクとの距離を可変させる高ＮＡ対物レンズ駆動部と、
前記光ディスクから反射された前記第１レーザ光の強度および前記第２レーザ光の強度の強度を検出する多重レーザ光検出部と、
前記光ディスクから反射された前記第３レーザ光の強度を検出する第３レーザ光検出部と、を備える光ディスク装置に用いられる集積回路であって、
前記多重レーザ光検出部での検出結果に対応する多重レーザ光検出信号、および前記第３レーザ光検出部での検出結果に対応する第３レーザ光検出信号を生成するサーボ信号生成部と、
前記低ＮＡ対物レンズを駆動させるための低ＮＡ対物レンズ駆動制御信号を出力し、また、前記多重レーザ光検出信号および前記第３レーザ光検出信号に基づき、前記光ディスクの種類を判別するディスク判別部と、
前記低ＮＡ対物レンズ駆動制御信号にオフセット値を加算することで前記高ＮＡ対物レンズを駆動させるための高ＮＡ対物レンズ駆動制御信号を生成する駆動差加算部と、
を備え、
前記低ＮＡ対物レンズ駆動部は、前記低ＮＡ対物レンズ駆動制御信号により、前記低ＮＡ対物レンズを駆動し、
前記高ＮＡ対物レンズ駆動部は、前記高ＮＡ対物レンズ駆動制御信号により、前記高ＮＡ対物レンズを駆動する、
集積回路。
【発明の詳細な説明】
【技術分野】
【０００１】
本発明は、民生用光ディスク装置に関するものである。
【背景技術】
【０００２】
ＣＤやＤＶＤなど、使用するレーザの波長が異なるような複数のディスクを記録再生する装置において、装填されているディスクの種類を判定する必要がある。
ＣＤの記録再生には波長約７８０［ｎｍ］の赤外レーザを使用し、ＤＶＤの記録再生には波長約６５０［ｎｍ］の赤色レーザを使用する。ＣＤにＣＤ用レーザより波長の短いＤＶＤ用レーザを照射すると、ＣＤの記録膜がレーザを吸収するため記録された情報が破壊されるなどの不具合がある。
上記不具合を回避するディスク判別の一例として、最初に波長が最も長い赤外レーザを照射して、フォーカス制御およびトラッキング制御をかけない状態で、装填されたディスクがＣＤかどうかを判別し、ＣＤでないでないときは、波長の短い赤色レーザを照射して、フォーカス制御およびトラッキング制御をかけない状態で、装填されたディスクがＤＶＤかどうかを判別することで、短波長レーザによる記録情報の破壊を回避する装置が提案されている（例えば、特許文献１参照）。
【０００３】
従来の光ディスク装置の動作について図２１から図２３を用いて説明する。
図１６は、従来のディスク判別の構成を示すブロック図である。
光ヘッド１６１０は、主に、赤外レーザ光源１１と赤外レーザ光用ビームスプリッタ１３と赤外レーザ光用前光モニタ１５と赤色レーザ光源１２と赤色レーザ光用ビームスプリッタ１４と赤色レーザ光用前光モニタ１６と照射用ビームスプリッタ２０と対物レンズ２９とフォーカスアクチュエータ３４とディテクタ用ビームスプリッタ２１と赤外レーザ光用ディテクタ２３と赤色レーザ光用ディテクタ２４とから構成される。
赤外レーザ光源１１は、波長が約７８０［ｎｍ］の赤外レーザ光を照射する。赤外レーザ光用ビームスプリッタ１３は、赤外レーザ光を照射用ビームスプリッタ２０および赤外レーザ光用前光モニタ１５に分光する。赤外レーザ光用前光モニタ１５は、照射された赤外レーザ光の出力パワーを検出する。
【０００４】
赤色レーザ光源１２は、波長が約６５０［ｎｍ］の赤色レーザ光を照射する。赤色レーザ光用ビームスプリッタ１４は、赤色レーザ光を照射用ビームスプリッタ２０および赤色レーザ光用前光モニタ１６に分光する。赤色レーザ光用前光モニタ１６は、照射された赤色レーザの出力パワーを検出する。
照射用ビームスプリッタ２０に分光された赤色レーザ光および赤外レーザ光は、照射用ビームスプリッタ２０により対物レンズ２９の方向に反射され、対物レンズ２９によって光ディスク１の情報面上に収束される。光ディスク１によって反射した赤色レーザ光および赤外レーザ光は、照射用ビームスプリッタ２０を通過し、赤色レーザ光は、ディテクタ用ビームスプリッタ２１を通過して赤色レーザ光用ディテクタ２４に照射され、赤外レーザ光は、ディテクタ用ビームスプリッタ２１により赤外レーザ光用ディテクタ２３に照射される。
【０００５】
レーザコントローラ（レーザ制御部）５３は、赤色レーザ光用前光モニタ１６で検出された赤色レーザ光出力レベルおよび赤外レーザ光用前光モニタ１５で検出された赤外レーザ光出力レベルが、所定の再生レーザ光出力レベルになるような再生発光駆動信号をＬＤＤ（Ｌａｓｅｒ  Ｄｉｏｄｅ  Ｄｒｉｖｅｒ）４０へ出力する。つまり、レーザコントローラ（レーザ制御部）５３から出力される再生発光駆動信号により、赤色レーザ光出力レベルおよび赤外レーザ光出力レベルが、所定の再生レーザ光出力レベルとなるように制御される。
ＬＤＤ４０は、主に、再生発光駆動信号ゲインアンプ４２と発光レーザ選択ＳＷ４１とから構成される。
再生発光駆動信号ゲインアンプ４２は、再生発光駆動信号を増幅する。ＬＤＤ４０は、再生発光駆動信号ゲインアンプ４２により増幅されたレーザ駆動のための信号を赤外レーザ光源１１あるいは赤色レーザ光源１２へ出力する。
【０００６】
ディスク判別コントローラ（ディスク判別部）５０は、ＬＤＤ４０がレーザ駆動のための信号を赤外レーザ光源１１と赤色レーザ光源１２のどちらに出力するかを決定させる切換制御信号を出力する。ＬＤＤ４０の発光レーザ選択ＳＷ４１は、ディスク判別部５０から出力された切換制御信号にしたがって、再生発光駆動信号ゲインアンプ４２から出力されたレーザ駆動のための信号を赤外レーザ光源１１または赤色レーザ光源１２に出力する。つまり、ディスク判別部５０から出力された切換制御信号により、再生発光駆動信号ゲインアンプ４２から出力されたレーザ駆動のための信号の出力先が、赤外レーザ光源１１または赤色レーザ光源１２に、切り換えられる。
また、ディスク判別コントローラ（ディスク判別部）５０は、対物レンズ２９を上下駆動させるための駆動信号を出力する。ここでいう「上下駆動」とは、対物レンズ２９の光軸方向と光ディスク１の情報記録面の法線方向とを略一致させた場合に、対物レンズ２９と光ディスク１との距離が小さくなる、あるいは大きくなるように駆動することをいい、必ずしも「上下」方向の駆動に限定されるものではない。このことは、以下の説明について、同様である。
【０００７】
サーボ信号生成回路（サーボ信号生成部）５６は、赤外レーザ光用ディテクタ２３あるいは赤色レーザ光用ディテクタ２４からの出力よりサーボ信号を生成し出力する。ディスク判別コントローラ（ディスク判別部）５０は、サーボ信号生成回路（サーボ信号生成部）５６で生成されたサーボ信号に基づき、光ディスク装置９００に装填されているディスクの種類を判別する。
次に、図１７を用いて、装填されているディスクがＣＤである場合のディスク判別の手順について説明する。
図１７は、ＣＤに対して赤外レーザ光を発光させた状態で、対物レンズ２９を駆動したときの対物レンズ位置およびフォーカスエラー信号を示す。
図１７（１）は、横軸を時間とし、縦軸を対物レンズ２９の位置とした、時間と対物レンズ２９の位置との関係を示す図である。具体的には、図１７（１）は、赤外レーザ光を発光させて、ＣＤに対物レンズ２９を接近させたときの対物レンズ２９の位置信号を示している。
【０００８】
図１７（２）は、横軸を時間に、縦軸をフォーカスエラー信号レベルとした、時間とフォーカスエラー信号レベルとの関係を示す図である。具体的には、図１７（２）は、赤外レーザ光を発光させて、ＣＤに対物レンズ２９を接近させたときの、サーボ信号生成回路（サーボ信号生成部）５６が赤外レーザ光用ディテクタ２３の出力から生成するフォーカスエラー信号を示している。
ディスク判別開始タイミングＴ３７において、ディスク判別コントローラ（ディスク判別部）５０がディスク判別動作を開始する。赤色レーザ光によるＣＤの情報面の記録情報が破壊されるのを回避するため、ディスク判別コントローラ（ディスク判別部）５０は、ＬＤＤ４０がレーザ駆動を赤外レーザ光源１１に出力するようにＬＤＤ４０の発光レーザ選択ＳＷ４１を切替えることで赤外レーザ光を最初に発光する。さらに、ディスク判別コントローラ（ディスク判別部）５０は、フォーカスアクチュエータ３４に駆動を与えることで、対物レンズ２９の位置を上昇させる。つまり、ディスク判別コントローラ（ディスク判別部）５０から出力される制御信号により、フォーカスアクチュエータ３４は、対物レンズ２９の位置が上昇する（対物レンズ２９とディスク１との距離を小さくなる）ように駆動される。
【０００９】
タイミングＴ３８において、赤外レーザ光の焦点がＣＤの表面（対物レンズ２９に対向する側のＣＤの表面）を通過し、通過時に赤外レーザ光用ディテクタ２３からの信号に基づいてフォーカスエラー信号が得られる。つまり、タイミングＴ３８近辺において、図１７のＷ２２１に示すような波形のフォーカスエラー信号が出力される。
タイミングＴ３９において、赤外レーザ光の焦点がＣＤの情報面（情報が記録される面）を通過し、通過時に赤外レーザ光用ディテクタ２３からの信号に基づいてフォーカスエラー信号が得られる。つまり、タイミングＴ３９近辺において、図１７のＷ２２２に示すような波形のフォーカスエラー信号が出力される。このとき得られるフォーカスエラー信号の振幅が一定レベルＬ１１を超えた場合に、ディスク判別コントローラ（ディスク判別部）５０は、光ディスク装置９００に装填されているディスクがＣＤであると判定する。
装填されているディスクがＣＤであると判定すると、ディスク判別コントローラ（ディスク判別部）５０は、ディスク判別動作を終了させる。
【００１０】
次に、図１８を用いて、装填されているディスクがＤＶＤである場合のディスク判別の手順について説明する。
図１８は、ＤＶＤに対して赤外レーザ光を発光させた状態で、対物レンズ２９を駆動させたときの対物レンズ位置およびフォーカスエラー信号の出力の関係と、赤色レーザ光を発光させた状態で、対物レンズ２９を駆動させたときの対物レンズ位置およびフォーカスエラー信号の関係とを示す図である。
図１８（１）は、横軸を時間に、縦軸を対物レンズ２９の位置とした、時間と対物レンズ２９の位置との関係を示した図である。具体的には、図１８（１）は、赤外レーザ光を発光させてＤＶＤに対物レンズ２９を接近させたときの対物レンズ２９の位置信号（タイミングＴ４３以前の位置信号）と、赤色レーザ光を発光させてＤＶＤに対物レンズ２９を接近させたときの対物レンズ２９の位置信号（タイミングＴ４３より後の位置信号）とを示す。
【００１１】
図１８（２）は、横軸を時間に、縦軸をフォーカスエラー信号レベルとした、時間とフォーカスエラー信号レベルとの関係を示す図である。具体的には、図１８（２）は、赤外レーザ光を発光してＤＶＤに対物レンズ２９を接近させたときの、サーボ信号生成回路（サーボ信号生成部）５６が赤外レーザ光用ディテクタ２３の出力から生成するフォーカスエラー信号を示している。
図１８（３）は、横軸を時間に、縦軸をフォーカスエラー信号レベルとした、時間とフォーカスエラー信号レベルとの関係を示す図である。具体的には、図１８（３）は、赤色レーザ光を発光してＤＶＤに対物レンズ２９を接近させたときの、サーボ信号生成回路（サーボ信号生成部）５６が赤色レーザ光用ディテクタ２４の出力から生成するフォーカスエラー信号を示している。
【００１２】
図１８（４）は、横軸を時間とした、赤外レーザ光あるいは赤色レーザ光のどちらを発光しているかの状態を示す図である。
ディスク判別開始タイミングＴ４０において、ディスク判別コントローラ（ディスク判別部）５０がディスク判別動作を開始する。赤色レーザ光によるＣＤの情報面の記録情報が破壊されるのを回避するため、ディスク判別コントローラ（ディスク判別部）５０は、ＬＤＤ４０がレーザ駆動のための信号を赤外レーザ光源１１に出力するようにＬＤＤ４０の発光レーザ選択ＳＷ４１を切替えることで、赤外レーザ光源から赤外レーザ光を最初に発光させる。さらに、ディスク判別コントローラ（ディスク判別部）５０は、フォーカスアクチュエータ３４に駆動信号を与えることで、対物レンズ２９の位置を上昇させる（光ディスク１との距離が小さくなる方向に対物レンズ２９を動かす）。
【００１３】
タイミングＴ４１において、赤外レーザの焦点がＤＶＤの表面（対物レンズ２９に対向する側のＤＶＤの表面）を通過し、通過時に赤外レーザ光用ディテクタ２３からの信号に基づいてフォーカスエラー信号が得られる。つまり、タイミングＴ４１近辺において、図１８のＷ２３１に示すような波形のフォーカスエラー信号が出力される。
タイミングＴ４２において、赤外レーザの焦点がＤＶＤの情報面（情報が記録される面）を通過し、通過時に赤外レーザ光用ディテクタ２３からの信号に基づいてフォーカスエラー信号が得られる。つまり、タイミングＴ４２近辺において、図１８のＷ２３２に示すような波形のフォーカスエラー信号が出力される。このとき得られるフォーカスエラー信号の振幅は一定レベルＬ１１を超えないため、ディスク判別コントローラ（ディスク判別部）５０はディスク判別動作を続行する。
【００１４】
ディスク判別コントローラ（ディスク判別部）５０は、対物レンズ２９の上昇を続行するため（光ディスク１との距離が小さくなる方向に対物レンズ２９を動かし続けるため）、タイミングＴ４３において、対物レンズ２９があらかじめ設定された位置リミットに達する。そのためディスク判別コントローラ（ディスク判別部）５０は、対物レンズ２９の上昇をやめ、対物レンズ２９を下降させ（光ディスク１との距離が大きくなる方向に対物レンズ２９を動かし）、リセット位置（図１８（１）のタイミングＴ４０における位置に相当する位置。）に戻す。
このとき、ディスク判別コントローラ（ディスク判別部）５０は、光ディスク装置９００に装填された光ディスク１がＣＤではないと判定する。この状態において、赤色レーザによるＣＤの情報面の記録情報が破壊される危険がなくなったため、ディスク判別コントローラ（ディスク判別部）５０は、ＬＤＤ４０がレーザ駆動のための信号を赤色レーザ光源１２に出力するようにＬＤＤ４０の発光レーザ選択ＳＷ４１を切替える。これにより、赤色レーザ光源１２から赤色レーザ光が発光される。光ディスク装置９００に装填された光ディスク１がＣＤではないことが分かっているので、赤色レーザ光を光ディスク１に照射しても光ディスク１の記録情報が破壊されることはない。さらに、ディスク判別コントローラ（ディスク判別部）５０は、フォーカスアクチュエータ３４に駆動信号を与えることで、対物レンズ２９の位置を上昇させる（光ディスク１との距離が小さくなる方向に対物レンズ２９を動かす）。
【００１５】
タイミングＴ４４において、赤色レーザの焦点がＤＶＤの表面（対物レンズ２９に対向する側のＤＶＤの表面）を通過し、通過時に赤色レーザ光用ディテクタ２４からの信号に基づいてフォーカスエラー信号が得られる。つまり、タイミングＴ４４近辺において、図１８のＷ２３３に示すような波形のフォーカスエラー信号が出力される。
タイミングＴ４５において、赤色レーザ光の焦点がＤＶＤ情報面を通過し、通過時に赤色レーザ光用ディテクタ２４からの信号に基づいてフォーカスエラー信号が得られる。つまり、タイミングＴ４５近辺において、図１８のＷ２３４に示すような波形のフォーカスエラー信号が出力される。このとき得られるフォーカスエラー信号の振幅が一定レベルＬ１２を超えた場合に、ディスク判別コントローラ（ディスク判別部）５０は、光ディスク装置９００に装填されているディスクがＤＶＤであると判定する。
【００１６】
装填されているディスクがＤＶＤであると判定すると、ディスク判別コントローラ（ディスク判別部）５０は、ディスク判別動作を終了させる。
【特許文献１】特開平１１−１７６０７３号公報
【発明の開示】
【発明が解決しようとする課題】
【００１７】
しかしこの装置では、記録再生するディスク種類が増加し使用するレーザ波長（レーザ光の波長）の種類も増加すると、それに伴いディスク種類の判別に要する時間も延びることになる。
たとえば、Ｂｌｕ−ｒａｙディスク（以下、「ＢＤ」ということもある。）、ＨＤ−ＤＶＤ、ＤＶＤおよびＣＤを記録再生するような装置の場合について説明する。このような装置において、Ｂｌｕ−ｒａｙディスクとＨＤ−ＤＶＤの記録再生には、波長約４０５［ｎｍ］の青色レーザ光を使用する。このような装置において、光ディスク上の情報面の破壊を回避するため、波長の長いレーザから順番に発光していくため、まず、赤外レーザ光を照射して、装填されている光ディスクがＣＤであるか否かの判別を行う。次に、赤色レーザ光を照射して、装填されている光ディスクがＤＶＤであるか否かの判別を行う。最後に、青色レーザ光を照射して、装填されている光ディスクがＢｌｕ−ｒａｙディスクあるいはＨＤ−ＤＶＤか否かの判別を行うことになる。
【００１８】
このような装置において、最悪ケースでは３回の判別処理をおこなわないと装填されているディスクの種類が判別できない。そのため、ディスクを装填してから記録あるいは再生を開始するまでの時間が長くなるという課題がある。
本発明は、上記した課題を解決するためになされたものであり、装填されているディスク上の記録情報を破壊することなく安全に、かつ、短時間に複数の規格のディスクの判別を実行することができる光ディスク装置を実現することを目的とする。
【課題を解決するための手段】
【００１９】
本発明の光ディスク装置では、ＬＤＤ内部に、記録レーザ発光に用いる記録発光駆動信号を再生レーザ発光に用いるように切替える機能と、その記録発光駆動信号を増幅させるゲインの分解能も再生発光駆動信号ゲイン相当のものを持たせることを特徴とする。
さらに、同一対物レンズから照射するレーザ光の波長を自由に選択することを特徴とする。
さらに、同一対物レンズから３種類以上の波長のレーザ光を照射することを特徴とする。
さらに、ディスクの種類ではなく、ディスク上の情報面の種類を判別することで、光ディスク１の表面から情報面までの基材厚（基材の厚さ）がほぼ同じで対応するレーザ波長の異なる複数の情報面を１つのディスクに持つようなディスクを判別することを特徴とする。
【００２０】
さらに、照射するレーザ出力（レーザ光の出力レベル）を低出力（低出力レベル）にすることを特徴とする。
さらに、記録発光駆動信号を用いた再生発光の際に記録発光駆動信号に対して高周波重畳することを特徴とする。
さらに、発光駆動信号と発光するレーザ光源の組合せを自由に選択することを特徴とする。
また、同一対物レンズにより収束する赤色レーザ光と青色レーザ光の焦点位置を、赤色レーザ光の焦点が対物レンズに対して法線方向（対物レンズの光軸方向）に遠い側に結ぶ対物レンズを使用しディスク判別動作時の対物レンズの位置を光ディスクの表面（対物レンズに対向する側の光ディスクの表面）近傍へ近づける方向に移動させることを特徴とする。
【００２１】
さらに、同一対物レンズにより収束する赤色レーザ光と青色レーザ光の焦点位置を、赤色レーザ光の焦点が対物レンズに対して法線方向（対物レンズの光軸方向）に近い側に結ぶ対物レンズを使用し、ディスク判別動作時の対物レンズの位置を光ディスクの表面（対物レンズに対向する側の光ディスクの表面）近傍から遠ざける方向に移動させることを特徴とする。
さらに、同一対物レンズから照射するレーザ光の波長を自由に選択することを特徴とする。
さらに、同一対物レンズから３種類以上の波長のレーザ光を照射することを特徴とする。
さらに、ディスクの種類ではなく、ディスク上の情報面の種類を判別することを特徴とする。
【００２２】
さらに、照射するレーザ出力（レーザ光の出力レベル）を低出力（低出力レベル）にすることを特徴とする。
さらに、記録発光駆動信号を用いた再生発光の際に記録発光駆動信号に対して高周波重畳することを特徴とする。
さらに、発光駆動信号と発光するレーザ光源の組合せを自由に選択することを特徴とする。
また、２つの対物レンズにより収束する赤色レーザ光と青色レーザ光の焦点位置を、赤色レーザ光の焦点が対物レンズに対して法線方向（対物レンズの光軸方向）に遠い側に結ぶように両対物レンズ間に駆動差を持たせることを特徴とする。
さらに、２つの対物レンズから照射するレーザ光の波長を自由に選択することを特徴とする。
【００２３】
さらに、２つの対物レンズから３種類以上の波長のレーザ光を照射することを特徴とする。
さらに、別々の対物レンズにより収束する赤色レーザ光と青色レーザ光の焦点位置を、赤色レーザ光の焦点が対物レンズに対して法線方向（対物レンズの光軸方向）に近い側に結ぶように両対物レンズ間に駆動差を持たせ、ディスク判別動作時の対物レンズの位置を光ディスクの表面（対物レンズに対向する側の光ディスクの表面）近傍から遠ざける方向に移動させることを特徴とする。
さらに、ディスクの種類ではなく、ディスク上の情報面の種類を判別することを特徴とする。
さらに、照射するレーザ出力（レーザ光の出力レベル）を低出力（低出力レベル）にすることを特徴とする。
【００２４】
さらに、記録発光駆動信号を用いた再生発光の際に記録発光駆動信号に対して高周波重畳することを特徴とする。
さらに、発光駆動信号と発光するレーザ光源の組合せを自由に選択することを特徴とする。
また、赤外レーザ光の焦点が赤色レーザ光の焦点より対物レンズに対して法線方向（対物レンズの光軸方向）に遠い側に焦点を結ぶような低ＮＡ（Ｎｕｍｅｒｉｃａｌ  Ａｐｅｒｔｕｒｅ）対物レンズを使用し、Ｂｌｕ−ｒａｙディスク、ＤＶＤおよびＣＤの判別処理を行い、その後にＨＤ−ＤＶＤの判別処理を行うことを特徴とする。
さらに、赤外レーザ光の焦点が赤色レーザ光の焦点より対物レンズに対して法線方向（対物レンズの光軸方向）に近い側に焦点を結ぶような低ＮＡ対物レンズを使用し、ディスク判別動作時の低ＮＡ対物レンズの位置を光ディスクの表面（対物レンズに対向する側の光ディスクの表面）近傍から遠ざける方向に移動させることを特徴とする。
【００２５】
さらに、レーザ発光に用いる発光駆動信号とレーザ光源の組合せを自由に選択できるＬＤＤの構成にすることを特徴とする。
さらに、ディスクの種類ではなく、ディスク上の情報面の種類を判別することを特徴とする。
さらに、照射するレーザ出力（レーザ光の出力レベル）を低出力（低出力レベル）にすることを特徴とする。
さらに、記録発光駆動信号を用いた再生発光の際に記録発光駆動信号に対して高周波重畳することを特徴とする。
第１の発明は、第１レーザ光源と、第２レーザ光源と、レーザ光混合分離部と、対物レンズと、対物レンズ駆動部と、第１レーザ光検出部と、第２レーザ光検出部と、サーボ信号生成部と、ディスク判別部と、を備える光ディスク装置である。
【００２６】
第１レーザ光源は、第１レーザ光を照射させる。第２レーザ光源は、第１レーザ光より短い波長の第２レーザ光を照射させる。レーザ光混合分離部は、第１レーザ光および第２レーザ光を混合および分離する。対物レンズは、レーザ光混合分離部により混合された第１レーザ光と第２レーザ光とを同時に光ディスクに照射させる。対物レンズ駆動部は、対物レンズを光ディスクに対して遠近駆動させることで、対物レンズと光ディスクとの距離を可変させる。第１レーザ光検出部は、光ディスクから反射された第１レーザ光の強度を検出する。第２レーザ光検出部は、光ディスクから反射された第２レーザ光の強度を検出する。サーボ信号生成部は、第１レーザ光検出部での検出結果に対応する第１レーザ光検出信号および第２レーザ光検出部での検出結果に対応する第２レーザ光検出信号を生成する。ディスク判別部は、第１レーザ光検出信号および第２レーザ光検出信号に基づき、光ディスクの種類を判別する。
【００２７】
この光ディスク装置では、レーザ光混合分離部により混合された第１レーザ光と第２レーザ光とを同時に光ディスクに照射させることができるので、素早く、光ディスク装置に装填されているディスクの種類を判定することができる。
第２の発明は、第１の発明であって、対物レンズは、第１レーザ光についての焦点距離が第２レーザ光についての焦点距離よりも長いものであり、ディスクの種類を判別する動作を行う場合の初期状態において、対物レンズと光ディスクの対物レンズに対向する側の表面との距離が第１レーザ光についての対物レンズの焦点距離よりも長い状態となる位置である初期位置に配置されている。そして、対物レンズ駆動部は、対物レンズを、初期位置から対物レンズと光ディスクとの距離が小さくなる方向に駆動する。そして、ディスク判別部は、対物レンズ駆動部により対物レンズが初期位置から対物レンズと光ディスクとの距離が小さくなる方向に駆動されている期間において、第１レーザ光検出信号および第２レーザ光検出信号の信号レベルを所定のしきい値と比較することで、光ディスクの種類を判別する。
【００２８】
この光ディスク装置では、対物レンズは、第１レーザ光についての焦点距離が第２レーザ光についての焦点距離よりも長いので、光ディスクの情報面に、波長の長い第１レーザ光が先に照射されることになるので、光ディスクの情報面を破壊するリスクを回避させることができる。つまり、この光ディスク装置では、波長の短い（すなわち、エネルギーの高い）第２レーザ光が光ディスクの情報面に先に照射されることがないので、光ディスクの情報面を破壊するリスクを回避させることができる。
第３の発明は、第１レーザ光源と、第２レーザ光源と、第１レーザ光用対物レンズと、第２レーザ光用対物レンズと、第１レーザ光用対物レンズ駆動部と、第２レーザ光用対物レンズ駆動部と、第1レーザ光検出部と、第２レーザ検出部と、サーボ信号生成部と、ディスク判別部と、駆動差加算部と、を備える光ディスク装置である。
【００２９】
第１レーザ光源は、第１レーザ光を照射させる。第２レーザ光源は、第１レーザ光より短い波長の第２レーザ光を照射させる。第１レーザ光用対物レンズは、第１レーザ光を光ディスクに照射させる。第２レーザ光用対物レンズは、第２レーザ光を光ディスクに照射させる。第１レーザ光用対物レンズ駆動部は、第１レーザ光用対物レンズを光ディスクに対して遠近駆動させることで、第１レーザ光用対物レンズと光ディスクとの距離を可変させる。第２レーザ光用対物レンズ駆動部は、第２レーザ光用対物レンズを光ディスクに対して遠近駆動させることで、第２レーザ光用対物レンズと光ディスクとの距離を可変させる。第１レーザ光検出部は、光ディスクから反射された第１レーザ光の強度を検出する。第２レーザ光検出部は、光ディスクから反射された第２レーザ光の強度を検出する。サーボ信号生成部は、第１レーザ光検出部での検出結果に対応する第１レーザ光検出信号および第２レーザ光検出部での検出結果に対応する第２レーザ光検出信号を生成する。ディスク判別部は、第２レーザ光用対物レンズを駆動させるための第２レーザ光用対物レンズ駆動制御信号を出力し、また、第１レーザ光検出信号および第２レーザ光検出信号に基づき、光ディスクの種類を判別する。駆動差加算部は、第２レーザ光用対物レンズ駆動制御信号にオフセット値を加算することで第１レーザ光用対物レンズを駆動させるための第１レーザ光用対物レンズ駆動制御信号を生成する。
【００３０】
そして、第１レーザ光用対物レンズ駆動部は、第１レーザ光用対物レンズ駆動制御信号により、第１レーザ光用対物レンズを駆動する。そして、第２レーザ光用対物レンズ駆動部は、第２レーザ光用対物レンズ駆動制御信号により、第２レーザ光用対物レンズを駆動する。
この光ディスク装置では、第１レーザ光と第２レーザ光とを光ディスクに照射させる構成を独立に有しており、第１レーザ光と第２レーザ光とを同時に光ディスクに照射させることができる。このため、素早く、光ディスク装置に装填されているディスクの種類を判定することができる。また、この光ディスク装置では、駆動差加算部により第２レーザ光用対物レンズ駆動制御信号にオフセット値を加算することで、第１レーザ光用対物レンズを駆動させるので、光ディスクの情報面に、波長の長い第１レーザ光（エネルギーの低いレーザ光）が先に照射されることになるので、光ディスクの情報面を破壊するリスクを回避させることができる。
【００３１】
第４の発明は、第３の発明であって、第１レーザ光用対物レンズは、ディスクの種類を判別する動作を行う場合の初期状態において、第１レーザ光用対物レンズと光ディスクの第１レーザ光用対物レンズに対向する側の表面との距離が第１レーザー光についての対物レンズの焦点距離よりも長い状態となる位置である第１レーザ光用対物レンズ用初期位置に配置されている。第１レーザ光用対物レンズ駆動部は、第１レーザ光用対物レンズを、第１レーザ光用対物レンズ用初期位置から第１レーザ光用対物レンズと光ディスクとの距離が小さくなる方向に駆動する。そして、第２レーザ光用対物レンズ駆動部は、第２レーザ光用対物レンズを、第１レーザ光用対物レンズが第１レーザ光用対物レンズ用初期位置に位置するときの第２レーザ光用対物レンズが存在する位置である第２レーザ光用対物レンズ用初期位置から第２レーザ光用対物レンズと光ディスクとの距離が小さくなる方向に、第１レーザ光用対物レンズ駆動部が第１レーザ光用対物レンズを駆動させる速度と同一速度で駆動する。ディスク判別部は、第１レーザ光用対物レンズ駆動部および第２レーザ光用対物レンズ駆動部により第１レーザ光用対物レンズおよび第２レーザ光用対物レンズが第1レーザ光用対物レンズ用初期位置及び前記第２レーザ光用対物レンズ用初期位置から光ディスクとの距離が小さくなる方向に駆動されている期間において、第１レーザ光検出信号および第２レーザ光検出信号の信号レベルを所定のしきい値と比較することで、光ディスクの種類を判別する。
【００３２】
第５の発明は、第１レーザ光源と、第２レーザ光源と、第３レーザ光源と、レーザ制御部と、レーザ光混合分離部と、光路切替部と、低ＮＡ対物レンズと、高ＮＡ対物レンズと、低ＮＡ対物レンズ駆動部と、高ＮＡ対物レンズ駆動部と、第１レーザ光検出部と、第２レーザ光検出部と、第３レーザ光検出部と、サーボ信号生成部と、ディスク判別部と、駆動差加算部と、を備える光ディスク装置である。
第１レーザ光源は、第１レーザ光を照射させる。第２レーザ光源は、第１レーザ光より短い波長の第２レーザ光を照射させる。第３レーザ光源は、第２レーザ光より短い波長の第３レーザ光を照射させる。レーザ制御部は、第１レーザ光源、第２レーザ光源および第３レーザ光源の駆動制御を行う。レーザ光混合分離部は、第１レーザ光および第２レーザ光を混合および分離する。光路切替部は、ＯＮ状態の場合、第３レーザ光を高ＮＡ対物レンズに導く光路に設定し、ＯＦＦ状態の場合、第３レーザ光を低ＮＡ対物レンズに導く光路に設定する。低ＮＡ対物レンズは、レーザ光混合分離部により混合された第１レーザ光と第２レーザ光とを同時に光ディスクに照射させる。高ＮＡ対物レンズは、光路切替部がＯＮ状態である場合、第３レーザ光を光ディスクに照射させ、低ＮＡ対物レンズよりも高い開口率である。低ＮＡ対物レンズ駆動部は、低ＮＡ対物レンズを光ディスクに対して遠近駆動させることで、低ＮＡ対物レンズと光ディスクとの距離を可変させる。高ＮＡ対物レンズ駆動部は、高ＮＡ対物レンズを光ディスクに対して遠近駆動させることで、高ＮＡ対物レンズと光ディスクとの距離を可変させる。第１レーザ光検出部は、光ディスクから反射された第１レーザ光の強度を検出する。第２レーザ光検出部は、光ディスクから反射された第２レーザ光の強度を検出する。第３レーザ光検出部は、光ディスクから反射された第３レーザ光の強度を検出する。サーボ信号生成部は、第１レーザ光検出部での検出結果に対応する第１レーザ光検出信号、第２レーザ光検出部での検出結果に対応する第２レーザ光検出信号、および第３レーザ光検出部での検出結果に対応する第３レーザ光検出信号を生成する。ディスク判別部は、高ＮＡ対物レンズを駆動させるための高ＮＡ対物レンズ駆動制御信号を出力し、また、第１レーザ光検出信号、第２レーザ光検出信号および第３レーザ光検出信号に基づき、光ディスクの種類を判別する。駆動差加算部は、高ＮＡ対物レンズ駆動制御信号にオフセット値を加算することで低ＮＡ対物レンズを駆動させるための低ＮＡ対物レンズ駆動制御信号を生成する。
【００３３】
低ＮＡ対物レンズ駆動部は、低ＮＡ対物レンズ駆動制御信号により、低ＮＡ対物レンズを駆動する。高ＮＡ対物レンズ駆動部は、高ＮＡ対物レンズ駆動制御信号により、高ＮＡ対物レンズを駆動する。
この光ディスク装置では、光路切替部がＯＮ状態の場合、低ＮＡ対物レンズは、レーザ光混合分離部により混合された第１レーザ光と第２レーザ光とを同時に光ディスクに照射させるとともに、高ＮＡ対物レンズは、第３レーザ光を光ディスクに照射させるので、多種類のディスク判定を、素早く、行うことができる。さらに、この光ディスク装置では、光路切替部がＯＦＦ状態の場合、低ＮＡ対物レンズは、第３レーザ光を光ディスクに照射させるので、この光ディスク装置では、光ディスクの情報層を破壊することなく、迅速かつ確実に、多種類のディスク判別を行うことができる。さらに、消費電力の多い第３レーザの照射が少なくてすむので、この光ディスク装置で消費される電力を抑制することもできる。
【００３４】
第６の発明は、第５の発明であって、低ＮＡ対物レンズは、ディスクの種類を判別する動作を行う場合の初期状態において、低ＮＡ対物レンズと光ディスクの低ＮＡ対物レンズに対向する側の表面との距離が第１レーザー光についての低ＮＡ対物レンズの焦点距離よりも長い状態となる位置である低ＮＡ対物レンズ用初期位置に配置されている。低ＮＡ対物レンズ駆動部は、低ＮＡ対物レンズを、初期位置から低ＮＡ対物レンズと光ディスクとの距離が小さくなる方向に駆動する。高ＮＡ対物レンズ駆動部は、高ＮＡ対物レンズを、低ＮＡ対物レンズが低ＮＡ対物レンズ初期位置に位置するときの高ＮＡ対物レンズが存在する位置である高ＮＡ対物レンズ用初期位置から高ＮＡ対物レンズと光ディスクとの距離が小さくなる方向に、低ＮＡ対物レンズ駆動部が低ＮＡ対物レンズを駆動させる速度と同一速度で駆動する。そして、ディスク判別部は、低ＮＡ対物レンズ駆動部および高ＮＡ対物レンズ駆動部により低ＮＡ対物レンズおよび高ＮＡ対物レンズが低ＮＡ対物レンズ用初期位置および高ＮＡ対物レンズ用初期位置から光ディスクとの距離が小さくなる方向に駆動されている期間において、第１レーザ光検出信号、第２レーザ光検出信号および第３レーザ光検出信号の信号レベルを所定のしきい値と比較することで、光ディスクの種類を判別する。
【００３５】
第７の発明は、第５または第６の発明であって、駆動制御部は、第１段階において、第１レーザ光源から第１レーザ光を、第２レーザ光源から第２レーザ光を、第３レーザ光源から第３レーザ光を、それぞれ照射するように駆動制御し、第２段階において、第３レーザ光源から第３レーザ光のみを照射するように駆動制御する。光路切替部は、第１段階において、ＯＮ状態とし、第２段階において、ＯＦＦ状態とし、高ＮＡ対物レンズ駆動部は、第１段階において、高ＮＡ対物レンズを、高ＮＡ対物レンズ用初期位置から高ＮＡ対物レンズと光ディスクとの距離が小さくなる方向に駆動し、第２段階において、高ＮＡ対物レンズを駆動させない。低ＮＡ対物レンズ駆動部は、第１段階において、低ＮＡ対物レンズを、低ＮＡ対物レンズ用初期位置から低ＮＡ対物レンズと光ディスクとの距離が小さくなる方向に、高ＮＡ対物レンズ駆動部が高ＮＡ対物レンズを駆動させる速度と同一速度で駆動し、第２段階において、低ＮＡ対物レンズを、低ＮＡ対物レンズ用初期位置から低ＮＡ対物レンズと光ディスクとの距離が小さくなる方向に駆動する。ディスク判別部は、第１段階において、第１レーザ光検出信号、第２レーザ光検出信号および第３レーザ光検出信号に基づき、光ディスクの種類を判別し、第２段階において、第３レーザ光検出信号に基づき、光ディスクの種類を判別する。
【００３６】
第８の発明は、第７の発明であって、ディスク判別部は、第１段階において、低ＮＡ対物レンズ駆動部および高ＮＡ対物レンズ駆動部により低ＮＡ対物レンズおよび高ＮＡ対物レンズが低ＮＡ対物レンズ用初期位置および高ＮＡ対物レンズ用初期位置から光ディスクとの距離が小さくなる方向に駆動されている期間において、第１レーザ光検出信号、第２レーザ光検出信号および第３レーザ光検出信号の信号レベルを所定のしきい値と比較することで、光ディスクの種類を判別する。そして、ディスク判別部は、第２段階において、低ＮＡ対物レンズ駆動部により低ＮＡ対物レンズが低ＮＡ対物レンズ用初期位置から光ディスクとの距離が小さくなる方向に駆動されている期間において、第３レーザ光検出信号の信号レベルを所定のしきい値と比較することで、光ディスクの種類を判別する。
第９の発明は、第１レーザ光源と、第２レーザ光源と、第３レーザ光源と、レーザ制御部と、レーザ光混合分離部と、光路切替部と、低ＮＡ対物レンズと、高ＮＡ対物レンズと、低ＮＡ対物レンズ駆動部と、高ＮＡ対物レンズ駆動部と、多重レーザ光検出部と、第３レーザ光検出部と、サーボ信号生成部と、ディスク判別部と、駆動差加算部と、を備えるディスク装置である。
【００３７】
第１レーザ光源は、第１レーザ光を照射させる。第２レーザ光源は、第１レーザ光より短い波長の第２レーザ光を照射させる。第３レーザ光源は、第２レーザ光より短い波長の第３レーザ光を照射させる。レーザ制御部は、第１レーザ光源、第２レーザ光源および第３レーザ光源の駆動制御を行う。レーザ光混合分離部は、第１レーザ光および第２レーザ光を混合および分離する。光路切替部は、ＯＮ状態の場合、第３レーザ光を高ＮＡ対物レンズに導く光路に設定し、ＯＦＦ状態の場合、第３レーザ光を低ＮＡ対物レンズに導く光路に設定する。低ＮＡ対物レンズは、レーザ光混合分離部により混合された第１レーザ光と第２レーザ光とを同時に光ディスクに照射させる。高ＮＡ対物レンズは、光路切替部がＯＮ状態である場合、第３レーザ光を光ディスクに照射させ、低ＮＡ対物レンズよりも高い開口率を有している。低ＮＡ対物レンズ駆動部は、低ＮＡ対物レンズを光ディスクに対して遠近駆動させることで、低ＮＡ対物レンズと光ディスクとの距離を可変させる。高ＮＡ対物レンズ駆動部は、高ＮＡ対物レンズを光ディスクに対して遠近駆動させることで、高ＮＡ対物レンズと光ディスクとの距離を可変させる。多重レーザ光検出部は、光ディスクから反射された第１レーザ光の強度および第２レーザ光の強度の強度を検出する。第３レーザ光検出部は、光ディスクから反射された第３レーザ光の強度を検出する。サーボ信号生成部は、多重レーザ光検出部での検出結果に対応する多重レーザ光検出信号、および第３レーザ光検出部での検出結果に対応する第３レーザ光検出信号を生成する。ディスク判別部は、低ＮＡ対物レンズを駆動させるための低ＮＡ対物レンズ駆動制御信号を出力し、また、多重レーザ光検出信号および第３レーザ光検出信号に基づき、光ディスクの種類を判別する。駆動差加算部は、低ＮＡ対物レンズ駆動制御信号にオフセット値を加算することで高ＮＡ対物レンズを駆動させるための高ＮＡ対物レンズ駆動制御信号を生成する。
【００３８】
そして、低ＮＡ対物レンズ駆動部は、低ＮＡ対物レンズ駆動制御信号により、低ＮＡ対物レンズを駆動する。また、高ＮＡ対物レンズ駆動部は、高ＮＡ対物レンズ駆動制御信号により、高ＮＡ対物レンズを駆動する。
この光ディスク装置では、第５の発明と同様の効果を奏することができ、さらに、多重レーザ光検出部により、光ディスクから反射された第１レーザ光の強度および第２レーザ光の強度の強度を検出するので、複数のレーザ光検出部を設ける必要がない。
これにより、光ディスク装置の構成を簡略化することができ、コストダウンを実現することができる。
第１０の発明は、第９の発明であって、低ＮＡ対物レンズは、ディスクの種類を判別する動作を行う場合の初期状態において、低ＮＡ対物レンズと光ディスクの低ＮＡ対物レンズに対向する側の表面である第１ディスク表面との距離が第１レーザ光についての低ＮＡ対物レンズの焦点距離よりも長い状態となる位置であって、第１ディスク面から距離ＬＥＮ０だけ低ＮＡ対物レンズ側に離れた位置である低ＮＡ対物レンズ用初期位置に配置されている。そして、高ＮＡ対物レンズは、ディスクの種類を判別する動作を行う場合の初期状態において、第１ディスク面から
（距離ＬＥＮ０）−（オフセット値Ｏｆｆｓｅｔ）（Ｏｆｆｓｅｔ＞０）
だけ離れた位置である高ＮＡ対物レンズ用初期位置に配置されている。
【００３９】
そして、低ＮＡ対物レンズ駆動部は、低ＮＡ対物レンズを、低ＮＡ対物レンズ用初期位置から低ＮＡ対物レンズと光ディスクとの距離が小さくなる方向に駆動する。高ＮＡ対物レンズ駆動部は、高ＮＡ対物レンズを、高ＮＡ対物レンズ用初期位置から高ＮＡ対物レンズと光ディスクとの距離が小さくなる方向に、低ＮＡ対物レンズ駆動部が低ＮＡ対物レンズを駆動させる速度と同一速度で駆動する。ディスク判別部は、低ＮＡ対物レンズ駆動部および高ＮＡ対物レンズ駆動部により低ＮＡ対物レンズおよび高ＮＡ対物レンズが低ＮＡ対物レンズ用初期位置および高ＮＡ対物レンズ用初期位置から光ディスクとの距離が小さくなる方向に駆動されている期間において、多重レーザ光検出信号および第３レーザ光検出信号の信号レベルを所定のしきい値と比較することで、光ディスクの種類を判別する。
第１１の発明は、第１０の発明であって、高ＮＡ対物レンズは、初期状態において、第１レーザ光についての低ＮＡ対物レンズの焦点位置と第１ディスク面との距離をＬＥＮ１とし、第２レーザ光についての低ＮＡ対物レンズの焦点位置と第１ディスク面との距離をＬＥＮ２とし、第３レーザ光についての高ＮＡ対物レンズの焦点位置と第１ディスク面との距離をＬＥＮ３としたとき、
ＬＥＮ１＞ＬＥＮ２＞ＬＥＮ３
となるように決定されるオフセット値Ｏｆｆｓｅｔにより、第１ディスク面から
（距離ＬＥＮ０）−（オフセット値Ｏｆｆｓｅｔ）（Ｏｆｆｓｅｔ＞０）
だけ離れた位置である高ＮＡ対物レンズ用初期位置に配置されている。
【００４０】
第１２の発明は、第９から第１１のいずれかの発明であって、駆動制御部は、第１段階において、第１レーザ光源から第１レーザ光を、第２レーザ光源から第２レーザ光を、第３レーザ光源から第３レーザ光を、それぞれ照射するように駆動制御し、第２段階において、第３レーザ光源から第３レーザ光のみを照射するように駆動制御する。光路切替部は、第１段階において、ＯＮ状態とし、第２段階において、ＯＦＦ状態とする。低ＮＡ対物レンズ駆動部は、第１段階において、低ＮＡ対物レンズを、低ＮＡ対物レンズ用初期位置から低ＮＡ対物レンズと光ディスクとの距離が小さくなる方向に駆動し、第２段階において、低ＮＡ対物レンズを、低ＮＡ対物レンズ用初期位置から低ＮＡ対物レンズと光ディスクとの距離が小さくなる方向に駆動する。高ＮＡ対物レンズ駆動部は、第１段階において、高ＮＡ対物レンズを、高ＮＡ対物レンズ用初期位置から高ＮＡ対物レンズと光ディスクとの距離が小さくなる方向に、低ＮＡ対物レンズ駆動部が低ＮＡ対物レンズを駆動させる速度と同一速度で駆動し、第２段階において、高ＮＡ対物レンズを駆動しない。ディスク判別部は、第１段階において、多重レーザ光検出信号および第３レーザ光検出信号に基づき、光ディスクの種類を判別し、第２段階において、第３レーザ光検出信号に基づき、光ディスクの種類を判別する。
【００４１】
第１３の発明は、第１２の発明であって、ディスク判別部は、第１段階において、低ＮＡ対物レンズ駆動部および高ＮＡ対物レンズ駆動部により低ＮＡ対物レンズおよび高ＮＡ対物レンズが低ＮＡ対物レンズ用初期位置および高ＮＡ対物レンズ用初期位置から光ディスクとの距離が小さくなる方向に駆動されている期間において、多重レーザ光検出信号および第３レーザ光検出信号の信号レベルを所定のしきい値と比較することで、光ディスクの種類を判別し、第２段階において、低ＮＡ対物レンズ駆動部により低ＮＡ対物レンズが低ＮＡ対物レンズ用初期位置から光ディスクとの距離が小さくなる方向に駆動されている期間において、多重レーザ光検出信号の信号レベルを所定のしきい値と比較することで、光ディスクの種類を判別する。
第１４から第１７の発明は、光ディスク装置に用いられる方法であって、第１、第３、第５、第９の発明と同様の効果を奏する。
【００４２】
第１８から第２１の発明は、光ディスク装置に用いられるプログラムであって、第１、第３、第５、第９の発明と同様の効果を奏する。
第２２から第２５の発明は、光ディスク装置に用いられる集積回路であって、第１、第３、第５、第９の発明と同様の効果を奏する。
【発明の効果】
【００４３】
本発明の光ディスク装置では、ＬＤＤ内部に、記録レーザ発光に用いる記録発光駆動信号を再生レーザ発光に用いるように切替える機能と、その記録発光駆動信号を増幅させるゲインの分解能も再生発光駆動信号ゲイン相当のものを持たせるので、ＬＤＤ内部の回路変更のみで複数のレーザ光を同時に発光することができ、そのため、光ディスクの表面から情報面までの基材厚が異なり対応するレーザ波長の異なるような２種類のディスクを記録あるいは再生する光ディスク装置において、ディスク判別に要する時間を短縮できる。
さらに、同一対物レンズから照射するレーザ光の波長を自由に選択しても同様の効果が得られる。
さらに、同一対物レンズから３種類以上の波長のレーザ光を照射しても同様の効果が得られる。
【００４４】
さらに、ディスクの種類ではなく、ディスク上の情報面の種類を判別することで、光ディスクの表面から情報面までの基材厚（基材の厚さ）がほぼ同じで対応するレーザ波長の異なる複数の情報面を１つのディスクに持つようなディスクを判別する場合でも同様の効果が得られる。
さらに、照射するレーザ出力（レーザ光の出力レベル）を低出力（低出力レベル）にすることで、前光モニタを増やすことなく同等の効果が得られる。
さらに、記録発光駆動信号を用いた再生発光の際に記録発光駆動信号に対して高周波重畳しても、同等の効果が得られる。
さらに、発光駆動信号と発光するレーザ光源の組合せを自由に選択しても同等の効果が得られる。
【００４５】
また、同一対物レンズにより収束する赤色レーザ光と青色レーザ光の焦点位置を、赤色レーザ光の焦点が対物レンズに対して法線方向（対物レンズの光軸方向）に遠い側に結ぶ対物レンズを使用しディスク判別動作時の対物レンズの位置を光ディスクの表面（対物レンズに対向する側の光ディスクの表面）へ近づける方向に移動させても光ディスクの表面から情報面までの基材厚（基材の厚さ）がほぼ同じであるＨＤ−ＤＶＤやＤＶＤを含めた複数種類のディスクを記録あるいは再生する光ディスク装置において、ＨＤ−ＤＶＤの青色レーザ光によるＤＶＤ情報面の記録情報の破壊を回避することができる。
さらに、同一対物レンズにより収束する赤色レーザ光と青色レーザ光の焦点位置を、赤色レーザ光の焦点が対物レンズに対して法線方向（対物レンズの光軸方向）に近い側に結ぶ対物レンズを使用し、ディスク判別動作時の対物レンズの位置を光ディスクの表面（対物レンズに対向する側の光ディスクの表面）近傍から遠ざける方向に移動させても同様の効果が得られる。
【００４６】
さらに、同一対物レンズから照射するレーザ光の波長を自由に選択しても同様の効果が得られる。
さらに、同一対物レンズから３種類以上の波長のレーザ光を照射しても同様の効果が得られる。
さらに、ディスクの種類ではなく、ディスク上の情報面の種類を判別することで、光ディスクの表面から情報面までの基材厚（基材の厚さ）がほぼ同じで対応するレーザ波長の異なる複数の情報面を１つのディスクに持つようなディスクを判別する場合でも同様の効果が得られる。
さらに、照射するレーザ出力（レーザ光の出力レベル）を低出力（低出力レベル）にすることで、前光モニタを増やすことなく同等の効果が得られる。
【００４７】
さらに、赤色レーザ光の焦点が青色レーザ光の焦点より対物レンズに対して法線方向（対物レンズの光軸方向）に近い側に焦点を結ぶ対物レンズを使用し、ディスク判別動作時の対物レンズの位置を光ディスクの表面（対物レンズに対向する側の光ディスクの表面）近傍から遠ざける方向に移動させても、同等の効果が得られる。
さらに、記録発光駆動信号を用いた再生発光の際に記録発光駆動信号に対して高周波重畳しても、同等の効果が得られる。
さらに、発光駆動信号と発光するレーザ光源の組合せを自由に選択しても同等の効果が得られる。
また、２つの対物レンズにより収束する赤色レーザ光と青色レーザ光の焦点位置を、赤色レーザ光の焦点が対物レンズに対して法線方向（対物レンズの光軸方向）に遠い側に結ぶように両対物レンズ間に駆動差を持たせることで、ＨＤ−ＤＶＤの青色レーザ光によるＤＶＤ情報面の記録情報の破壊を、同一対物レンズ構成の場合よりもさらに安全に回避することができる。
【００４８】
さらに、２つの対物レンズから照射するレーザ光の波長を自由に選択しても同様の効果が得られる。
さらに、２つの対物レンズから３種類以上の波長のレーザ光を照射しても同様の効果が得られる。
さらに、別々の対物レンズにより収束する赤色レーザ光と青色レーザ光の焦点位置を、赤色レーザ光の焦点が対物レンズに対して法線方向（対物レンズの光軸方向）に近い側に結ぶように両対物レンズ間に駆動差を持たせ、ディスク判別動作時の対物レンズの位置を光ディスクの表面（対物レンズに対向する側の光ディスクの表面）近傍から遠ざける方向に移動させても、同様の効果が得られる。
さらに、ディスクの種類ではなく、ディスク上の情報面の種類を判別することで、光ディスクの表面から情報面までの基材厚（基材の厚さ）がほぼ同じで対応するレーザ波長の異なる複数の情報面を１つのディスクに持つようなディスクを判別する場合でも同様の効果が得られる。
【００４９】
さらに、照射するレーザ出力（レーザ光の出力レベル）を低出力（低出力レベル）にすることで、前光モニタを増やすことなく同等の効果が得られる。
さらに、記録発光駆動信号を用いた再生発光の際に記録発光駆動信号に対して高周波重畳しても、同等の効果が得られる。
さらに、発光駆動信号と発光するレーザ光源の組合せを自由に選択しても同等の効果が得られる。
また、赤外レーザ光の焦点が赤色レーザ光の焦点より対物レンズに対して法線方向（対物レンズの光軸方向）に遠い側に焦点を結ぶような低ＮＡ対物レンズを使用し、Ｂｌｕ−ｒａｙディスク、ＤＶＤおよびＣＤの判別処理を行い、その後にＨＤ−ＤＶＤの判別処理を行うことで、光ディスクの表面から情報面までの基材厚（基材の厚さ）がほぼ同じであるＨＤ−ＤＶＤやＤＶＤを含めた複数種類のディスクを記録あるいは再生する光ディスク装置において、ＨＤ−ＤＶＤの青色レーザ光によるＤＶＤ情報面の記録情報の破壊を確実に回避することができる。
【００５０】
さらに、赤外レーザ光の焦点が赤色レーザ光の焦点より対物レンズに対して法線方向（対物レンズの光軸方向）に近い側に焦点を結ぶような低ＮＡ対物レンズを使用し、ディスク判別動作時の低ＮＡ対物レンズの位置を光ディスクの表面（対物レンズに対向する側の光ディスクの表面）近傍から遠ざける方向に移動させても同様の効果が得られる。
さらに、レーザ発光に用いる発光駆動信号とレーザ光源の組合せを自由に選択できるＬＤＤの構成としても、同様の効果が得られる。
さらに、ディスクの種類ではなく、ディスク上の情報面の種類を判別することで、記録密度や対応するレーザ波長の異なる複数の情報面を１つのディスクに持つようなディスクを判別する場合も、同様の効果が得られる。
さらに、照射するレーザ出力（レーザ出力レベル）を低出力（低出力レベル）にすることで、前光モニタを増やすことなく同様の効果が得られる。
【００５１】
さらに、記録発光駆動信号を用いた再生発光の際に記録発光駆動信号に対して高周波重畳しても同様の効果が得られる。
【発明を実施するための最良の形態】
【００５２】
以下、本発明の実施形態について説明する。
［第１実施形態］
＜１．１：光ディスク装置の構成＞
本発明の第１実施形態について、図１から図４を用いて説明する。
図１は、本実施形態に係る光ディスク装置１００の構成を示すブロック図である。
光ディスク装置１００は、赤外レーザ光源１１、赤外レーザ光用ビームスプリッタ１３、赤外レーザ光用前光モニタ１５、赤色レーザ光源１２、赤色レーザ光用ビームスプリッタ１４、赤色レーザ光用前光モニタ１６、照射用ビームスプリッタ２０、対物レンズ２９、フォーカスアクチュエータ３４、ディテクタ用ビームスプリッタ２１、赤外レーザ光用ディテクタ２３、赤色レーザ光用ディテクタ２４、サーボ信号生成回路（サーボ信号生成部）５６、発光レーザ選択ＳＷ４１、および再生発光駆動信号ゲインアンプ４２を備える。
【００５３】
さらに、光ディスク装置１００は、レーザコントローラ（レーザ制御部）５４、ディスク判別コントローラ（ディスク判別部）５１、記録発光駆動信号切替ＳＷ４３、同時発光用ゲインアンプ４４、および記録発光駆動信号ゲインアンプ４５を備える。
図１において、光ディスク１、赤外レーザ光源１１、赤外レーザ光用ビームスプリッタ１３、赤外レーザ光用前光モニタ１５、赤色レーザ光源１２、赤色レーザ光用ビームスプリッタ１４、赤色レーザ光用前光モニタ１６、照射用ビームスプリッタ２０、対物レンズ２９、フォーカスアクチュエータ３４、ディテクタ用ビームスプリッタ２１、赤外レーザ光用ディテクタ２３、赤色レーザ光用ディテクタ２４、サーボ信号生成回路（サーボ信号生成部）５６、発光レーザ選択ＳＷ４１、および再生発光駆動信号ゲインアンプ４２は、背景技術の光ディスク装置９００のものと同等な機能を有するものとし、詳しい説明を省略する。
【００５４】
背景技術と異なるのは、レーザコントローラ（レーザ制御部）５４、ディスク判別コントローラ（ディスク判別部）５１、記録発光駆動信号切替ＳＷ４３、同時発光用ゲインアンプ４４、および記録発光駆動信号ゲインアンプ４５を用いることで、複数波長のレーザ光を同時発光させながら一度の対物レンズ動作（対物レンズ２９を光ディスク１に近づける、あるいは、遠ざける動作）で、光ディスク装置１００に装填されている光ディスク１が複数のディスク種類の中のどの種類（タイプ）のディスクであるかの判別を短時間で出来るところである。
図１の赤外レーザ光源１１は、波長約７８０［ｎｍ］の赤外レーザ光を照射する。赤外レーザ光用ビームスプリッタ１３は、赤外レーザ光を照射用ビームスプリッタ２０および赤外レーザ光用前光モニタ１５に分光する。赤外レーザ光用前光モニタ１５は、照射された赤外レーザ光の出力パワーを検出する。そして、赤外レーザ光用前光モニタ１５の出力は、レーザ制御部５４に入力される。
【００５５】
赤色レーザ光源１２は、波長約６５０［ｎｍ］の赤色レーザ光を照射する。赤色レーザ光用ビームスプリッタ１４は、赤色レーザ光を照射用ビームスプリッタ２０および赤色レーザ光用前光モニタ１６に分光する。赤色レーザ光用前光モニタ１６は、照射された赤色レーザ光の出力パワーを検出する。そして、赤色レーザ光用前光モニタ１６の出力は、レーザ制御部５４に入力される。
照射用ビームスプリッタ２０に分光された赤色レーザ光および赤外レーザ光は、照射用ビームスプリッタ２０により対物レンズ２９の方向に反射され、対物レンズ２９によって光ディスク１の情報面上に収束される。光ディスク１によって反射した赤色レーザ光および赤外レーザ光は、照射用ビームスプリッタ２０を通過し、赤色レーザ光は、ディテクタ用ビームスプリッタ２１を通過して赤色レーザ光用ディテクタ２４に照射され、赤外レーザ光は、ディテクタ用ビームスプリッタ２１により赤外レーザ光用ディテクタ２３に照射される。そして、赤色レーザ光用ディテクタ２４の出力、および赤外レーザ光用ディテクタ２３の出力は、サーボ信号生成部５６に入力される。
【００５６】
レーザコントローラ（レーザ制御部）５４は、再生時において、赤色レーザ光用前光モニタ１６で検出された赤色レーザ出力（赤色レーザ光の出力パワーのレベル）および赤外レーザ光用前光モニタ１５で検出した赤外レーザ出力（赤外レーザ光の出力パワーのレベル）が所定の再生レーザ出力レベルになるような再生発光駆動信号をＬＤＤ４０へ出力する。また、レーザコントローラ（レーザ制御部）５４は、記録時において、赤色レーザ光用前光モニタ１６で検出された赤色レーザ出力（赤色レーザ光の出力パワーのレベル）および赤外レーザ光用前光モニタ１５で検出された赤外レーザ出力（赤外レーザ光の出力パワーのレベル）が所定の記録レーザ出力レベルになるような再生発光駆動信号および記録発光駆動信号をＬＤＤ４０へ出力する。
ＬＤＤ４０は、主に、発光レーザ選択ＳＷ４１と、再生発光駆動信号ゲインアンプ４２と、記録発光駆動信号切替ＳＷ４３と、同時発光用ゲインアンプ４４と、記録発光駆動信号ゲインアンプ４５と、第１加算器４０１と、第２加算器４０２とから構成される。
【００５７】
記録発光駆動信号ゲインアンプ４５は、記録発光駆動信号を増幅する。具体的には、記録発光駆動信号ゲインアンプ４５は、記録発光駆動信号切替ＳＷ４３から出力される記録発光駆動信号を所定のゲインにより増幅し、第１加算器４０１に出力する。また、記録発光駆動信号ゲインアンプ４５は、再生発光駆動信号ゲインアンプ４２よりも分解能が低く、増幅率が高いものである。
ＬＤＤ４０は、再生時において、再生発光駆動信号に再生発光駆動信号ゲインアンプ４２を掛けたレーザ駆動のための信号（再生発光駆動信号ゲインアンプ４２のゲイン（増幅率）により、再生発光駆動信号を増幅することで得られた信号）を赤外レーザ光源１１あるいは赤色レーザ光源１２へ出力する。ＬＤＤ４０は、記録時において、再生発光駆動信号に再生発光駆動信号ゲインアンプ４２を掛けたレーザ駆動のための信号と記録発光駆動信号に記録発光駆動信号ゲインアンプ４５を掛けたレーザ駆動のための信号（記録発光駆動信号ゲインアンプ４５のゲイン（増幅率）により、記録発光駆動信号を増幅することで得られた信号）を加算したレーザ駆動のための信号を赤外レーザ光源１１あるいは赤色レーザ光源１２へ出力する。
【００５８】
ＬＤＤ４０の記録発光駆動信号切替ＳＷ４３は、通常は記録発光駆動信号が記録発光駆動信号ゲインアンプ４５に接続する設定になっている。記録発光駆動信号切替ＳＷ４３は、レーザ制御部５４からの出力を入力として、ディスク判別部５１からの制御信号（ディスク種類判別動作を行っている期間であるか否かを示す信号）に基づき、入力を記録発光駆動信号ゲインアンプ４５または同時発光用ゲインアンプ４４に出力する切替スイッチである。具体的には、記録発光駆動信号切替ＳＷ４３は、光ディスク装置１００に装填されている光ディスク１がどの種類のディスクであるかを判別している動作（以下、「ディスク判別動作」という。）を実行している期間中のみ入力を同時発光用ゲインアンプ４４に出力させ、それ以外の期間中は、入力を記録発光駆動信号ゲインアンプ４５に出力させる。
【００５９】
ディスク判別コントローラ（ディスク判別部）５１は、ＬＤＤ４０が再生発光駆動信号に再生発光駆動信号ゲインアンプ４２を掛けることで増幅されたレーザ駆動のための信号（再生発光駆動信号に再生発光駆動信号ゲインアンプ４２のゲインを乗ずることで取得されたレーザ駆動のための信号）を赤色レーザ光源１２に出力するようにＬＤＤ４０の発光レーザ選択ＳＷ４１を切替え、ＬＤＤ４０が記録発光駆動信号に同時発光用ゲインアンプ４４を掛けたレーザ駆動のための信号（記録発光駆動信号に同時発光用ゲインアンプ４４のゲインを乗ずることで取得されたレーザ駆動のための信号）を赤外レーザ光源１１に出力するようにＬＤＤ４０の記録発光駆動信号切替ＳＷ４３を切替える。
ディスク判別動作を行う場合、ディスク判別コントローラ（ディスク判別部）５１は、ＬＤＤ４０が再生発光駆動信号ゲインアンプ４２により増幅された再生発光駆動信号を赤色レーザ光源１２に出力するように発光レーザ選択ＳＷ４１を切替え（発光レーザ選択ＳＷ４１をｃ側に切替え）、かつ、ＬＤＤ４０が同時発光用ゲインアンプ４４により増幅された記録発光駆動信号を赤外レーザ光源１１に出力するように記録発光駆動信号切替ＳＷ４３を切替える（記録発光駆動信号切替ＳＷ４３をｂ側に切替える）。これにより、光ディスク装置１００において、赤色レーザ光と赤外レーザ光とを同時に発光させて、光ディスク１に照射することが可能となる。
【００６０】
さらに、ディスク判別コントローラ（ディスク判別部）５１は、赤色レーザ光源１２の出力および赤外レーザ光源１１の出力を制御するレーザ制御モード切替信号を、レーザコントローラ（レーザ制御部）５４に出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０に出力し、赤外レーザ光源１１の出力が所定の再生レーザ出力レベルになるような記録発光駆動信号をＬＤＤ４０に出力することで、赤色レーザ光および赤外レーザ光を同時に照射させる。
また、ディスク判別コントローラ（ディスク判別部）５１は、対物レンズ２９を上下駆動（遠近駆動）させるための駆動信号をフォーカスアクチュエータ３４に出力する。
【００６１】
サーボ信号生成回路（サーボ信号生成部）５６は、赤色レーザ光用ディテクタ２４および赤外レーザ光用ディテクタ２３からの出力よりサーボ信号を生成しディスク判別部５１に出力する。ディスク判別コントローラ（ディスク判別部）５１は、サーボ信号生成回路（サーボ信号生成部）５６で生成されたサーボ信号に基づき、装填されているディスクの種類を判別する。
第１加算器４０１は、再生発光駆動信号ゲインアンプ４２の出力と記録発光駆動信号ゲインアンプ４５の出力とを加算し、発光レーザ選択ＳＷ４１に出力する。なお、図１において、説明の便宜上、単なる加算器として図示しているが、第１加算器４０１は、光ディスク装置１００のライトストラテジに応じて、２つの入力に対しての加算処理を行うか否か等の制御を行うことができるものであり、これにより、第１加算器の出力を、例えば、マルチパルス信号、記録パワー信号、再生パワー信号、消去パワー信号等として出力させることができる。
【００６２】
第２加算器４０２は、発光レーザ選択ＳＷ４１のｄ側からの出力と、同時発光用ゲインアンプ４４からの出力とを加算し、赤外レーザ光源１１に出力する。
記録発光駆動信号切替ＳＷ４３は、レーザ制御部５４からの出力を入力とし、ディスク判別部５１からの制御信号に基づき、出力先を記録発光駆動信号ゲインアンプ４５または同時発光用ゲインアンプ４４に切り替えるスイッチ（セレクタ）である。記録発光駆動信号切替ＳＷ４３は、ディスク判別動作をしている期間では、ｂ側を選択し、それ以外の期間では、ａ側を選択する。
発光レーザ選択ＳＷ４１は、第１加算器の出力を入力とし、ディスク判別部５１からの制御信号に基づき、出力先を赤色レーザ光源１２または赤外レーザ光源１１に切り替えるスイッチ（セレクタ）である。発光レーザ選択ＳＷ４１は、原則として、赤色レーザ光を発光させる場合、ｃ側を選択し、赤外レーザー光を発光させる場合、ｄ側を選択する。ただし、ディスク判別動作期間中は、前述したように、ｃ側を選択する。
【００６３】
ＬＤＤ４０において、記録発光駆動信号ゲインアンプ４５では再生レーザ発光するには増幅率が高すぎ、また分解能が粗いため、記録再生駆動信号に対して同時発光用ゲインアンプ４４を使用して駆動信号を増幅する。つまり、再生レーザ発光させる場合に適した増幅率を有する同時発光用ゲインアンプ４４により増幅された記録再生駆動信号を使用して、赤外レーザ光源１１を駆動する。
＜１．２：光ディスク装置の動作＞
（１．２．１：ディスク判別の動作（ＣＤの場合））
次に、図２および図３を用いて、光ディスク装置１００に装填されているディスクがＣＤである場合の、複数レーザ同時発光によるディスク判別の動作について詳細に説明する。
【００６４】
図２（ａ）は、光ディスク１の表面（対物レンズ２９に対向する側の光ディスク１の表面）から約１．２ｍｍの位置に情報面を持つＣＤと、赤外レーザ光および赤色レーザ光を同時発光および収束させたレーザ光を示す模式図である。
図３に、光ディスク装置１００において、ＣＤに対して赤外レーザ光および赤色レーザ光を同時発光させた状態で、対物レンズ２９を駆動したときの対物レンズ位置およびフォーカスエラー信号を示す。
図３（１）は、横軸を時間に、縦軸を対物レンズ２９の位置とした、時間と対物レンズ２９の位置との関係を示す図である。具体的には、図３（１）は、赤色レーザ光および赤外レーザ光を同時発光させてＣＤに対物レンズ２９を接近させたときの対物レンズ２９の位置信号を示している。
【００６５】
図３（２）は、横軸を時間に、縦軸をフォーカスエラー信号レベルとした、時間とフォーカスエラー信号レベルとの関係を示す図である。具体的には、図３（２）は、赤色レーザ光および赤外レーザ光を同時発光させてＣＤに対物レンズ２９を接近させたときの、サーボ信号生成回路（サーボ信号生成部）５６が赤外レーザ光用ディテクタ２３の出力から生成するフォーカスエラー信号（図１の信号線Ｐ１により送信される信号に相当。）を示している。
図３（３）は、横軸を時間に、縦軸をフォーカスエラー信号レベルとした、時間とフォーカスエラー信号レベルとの関係を示す図である。具体的には、図３（３）は、赤色レーザ光および赤外レーザ光を同時発光させてＣＤに対物レンズ２９を接近させたときの、サーボ信号生成回路（サーボ信号生成部）５６が赤色レーザ光用ディテクタ２４の出力から生成するフォーカスエラー信号（図１の信号線Ｐ２により送信される信号に相当。）を示している。
【００６６】
ディスク判別開始タイミングＴ１において、ディスク判別コントローラ（ディスク判別部）５１がディスク判別動作を開始する。ディスク判別コントローラ（ディスク判別部）５１は、ＬＤＤ４０が再生発光駆動信号に再生発光駆動信号ゲインアンプ４２のゲインを掛けることで増幅されたレーザ駆動のための信号を赤色レーザ光源１２に出力するようにＬＤＤ４０の発光レーザ選択ＳＷ４１を切替え（発光レーザ選択ＳＷ４１のｃ側に切り替え）、ＬＤＤ４０が記録発光駆動信号に同時発光用ゲインアンプ４４のゲインを掛けることで増幅されたレーザ駆動のための信号を赤外レーザ光源１１に出力するようにＬＤＤ４０の記録発光駆動信号切替ＳＷ４３を切替える（記録発光駆動信号切替ＳＷ４３のｂ側に切替える）。なお、ここで、記録発光駆動信号切替ＳＷ４３のｂ側を選択しているので、記録発光駆動信号ゲインアンプ４５からは何も出力されない。したがって、第１加算器４０１の出力は、再生発光駆動信号ゲインアンプ４２の出力そのものとなり、再生発光駆動信号ゲインアンプ４２の出力を発光レーザ選択ＳＷ４１の入力に直結した状態と同じになる。
【００６７】
さらに、ディスク判別コントローラ（ディスク判別部）５１は、レーザコントローラ（レーザ制御部）５４に対してレーザ制御モード切替信号を出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０（具体的には、ＬＤＤ４０の再生発光駆動信号ゲインアンプ４２）に出力し、かつ、赤外レーザ光源１１の出力が所定の再生レーザ出力レベルになるような記録発光駆動信号をＬＤＤ４０（具体的には、ＬＤＤ４０の記録発光駆動信号切替ＳＷ４３を介して同時発光用ゲインアンプ４４）に出力することで、赤色レーザ光および赤外レーザ光を同時に照射させる。さらに、ディスク判別コントローラ（ディスク判別部）５１は、フォーカスアクチュエータ３４に駆動信号を与えることで、対物レンズ２９の位置を上昇させる（対物レンズ２９を光ディスク１との距離が小さくなる方向に動かす）。
【００６８】
なお、対物レンズ２９は、図２に示すように、赤外レーザ光についての焦点距離が、赤色レーザ光についての焦点距離よりも長くなる光学特性を有するものである。
タイミングＴ２において、赤外レーザ光の焦点がＣＤの表面（対物レンズ２９に対向する側の光ディスク１の表面）を通過し、通過時に赤外レーザ光用ディテクタ２３からの信号に基づいてフォーカスエラー信号が得られる。つまり、タイミングＴ２近辺において、図３のＷ３０１に示すような波形のフォーカスエラー信号が出力される。
図２（ａ）に示すように、赤外レーザ光の焦点が赤色レーザ光の焦点よりも対物レンズ２９に対して法線方向（対物レンズ２９の光軸方向）において遠い側に焦点を結ぶ対物レンズ２９を使用しているため、タイミングＴ３において、赤色レーザ光の焦点がＣＤの表面（対物レンズ２９に対向する側の光ディスク１の表面）を通過し、通過時に赤色レーザ光用ディテクタ２４からの信号に基づいてフォーカスエラー信号が得られる。つまり、タイミングＴ３近辺において、図３のＷ３０３に示すような波形のフォーカスエラー信号が出力される。
【００６９】
タイミングＴ４において、赤外レーザ光の焦点がＣＤの情報面（情報が記録される面）を通過し、通過時に赤外レーザ光用ディテクタ２３からの信号に基づいてフォーカスエラー信号が得られる。つまり、タイミングＴ４近辺において、図３のＷ３０２に示すような波形のフォーカスエラー信号レベルが出力される。このとき得られるフォーカスエラー信号の振幅が一定レベルＬ１を超えた場合に、ディスク判別コントローラ（ディスク判別部）５１は装填されているディスクがＣＤであると判定する。
光ディスク装置１００に装填されているディスクがＣＤであると判定すると、ディスク判別コントローラ（ディスク判別部）５１は、ディスク判別動作を終了させる。
（１．２．２：ディスク判別の動作（ＤＶＤの場合））
次に、図２および図４を用いて、光ディスク装置１００に装填されているディスクがＤＶＤである場合の、複数レーザ同時発光によるディスク判別の動作について詳細に説明する。
【００７０】
図２（ｂ）は、光ディスク１の表面（対物レンズ２９に対向する側の光ディスク１の表面）から約０．６ｍｍの位置に情報面を持つＤＶＤと、赤外レーザ光および赤色レーザ光を同時発光および収束させたレーザ光を示す模式図である。
図４に、ＤＶＤに対して赤外レーザ光および赤色レーザ光を同時発光させた状態で、対物レンズ２９を駆動させたときの対物レンズ位置およびフォーカスエラー信号を示す。
図４（１）は、横軸を時間に、縦軸を対物レンズ２９の位置とした、時間と対物レンズ２９の位置との関係を示す図である。具体的には、図４（１）は、赤色レーザ光および赤外レーザ光を同時発光させてＤＶＤに対物レンズ２９を接近させたときの対物レンズ２９の位置信号を示している。
図４（２）は、横軸を時間に、縦軸をフォーカスエラー信号レベルとした、時間とフォーカスエラー信号レベルとの関係を示す図である。具体的には、図４（２）は、赤色レーザ光および赤外レーザ光を同時発光させてＤＶＤに対物レンズ２９を接近させたときの、サーボ信号生成回路（サーボ信号生成部）５６が赤外レーザ光用ディテクタ２３の出力から生成するフォーカスエラー信号（図１の信号線Ｐ１により送信される信号に相当。）を示している。
【００７１】
図４（３）は、横軸を時間に、縦軸をフォーカスエラー信号レベルとした、時間とフォーカスエラー信号レベルとの関係を示す図である。具体的には、図４（３）は、赤色レーザ光および赤外レーザ光を同時発光させてＤＶＤに対物レンズ２９を接近させたときの、サーボ信号生成回路（サーボ信号生成部）５６が赤色レーザ光用ディテクタ２４の出力から生成するフォーカスエラー信号（図１の信号線Ｐ２により送信される信号に相当。）を示している。
ディスク判別開始タイミングＴ５において、ディスク判別コントローラ（ディスク判別部）５１がディスク判別動作を開始する。ディスク判別コントローラ（ディスク判別部）５１は、ＬＤＤ４０が再生発光駆動信号に再生発光駆動信号ゲインアンプ４２のゲインを掛け・増幅させたレーザ駆動のための信号を赤色レーザ光源１２に出力するようにＬＤＤ４０の発光レーザ選択ＳＷ４１を切替え（発光レーザ選択ＳＷ４１のｃ側に切り替え）、ＬＤＤ４０が記録発光駆動信号に同時発光用ゲインアンプ４４のゲインを掛けることで増幅されたレーザ駆動のための信号を赤外レーザ光源１１に出力するようにＬＤＤ４０の記録発光駆動信号切替ＳＷ４３を切替える（記録発光駆動信号切替ＳＷ４３のｂ側に切替える）。なお、ここで、記録発光駆動信号切替ＳＷ４３のｂ側を選択しているので、記録発光駆動信号ゲインアンプ４５からは何も出力されない。したがって、第１加算器４０１の出力は、再生発光駆動信号ゲインアンプ４２の出力そのものとなり、再生発光駆動信号ゲインアンプ４２の出力を発光レーザ選択ＳＷ４１の入力に直結した状態と同じになる。
【００７２】
さらに、ディスク判別コントローラ（ディスク判別部）５１は、レーザコントローラ（レーザ制御部）５４に対してレーザ制御モード切替信号を出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０（具体的には、ＬＤＤ４０の再生発光駆動信号ゲインアンプ４２）に出力し、かつ、赤外レーザ光源１１の出力が所定の再生レーザ出力レベルになるような記録発光駆動信号をＬＤＤ４０（具体的には、ＬＤＤ４０の記録発光駆動信号切替ＳＷ４３を介して同時発光用ゲインアンプ４４）に出力することで、赤色レーザ光および赤外レーザ光を同時に照射させる。さらに、ディスク判別コントローラ（ディスク判別部）５１は、フォーカスアクチュエータ３４に駆動信号を与えることで、対物レンズ２９の位置を上昇させる（対物レンズ２９を光ディスク１との距離が小さくなる方向に動かす）。
【００７３】
タイミングＴ６において、赤外レーザの焦点がＤＶＤの表面（対物レンズ２９に対向する側の光ディスク１の表面）を通過し、通過時に赤外レーザ光用ディテクタ２３からの信号に基づいてフォーカスエラー信号が得られる。つまり、タイミングＴ６近辺において、図４のＷ４０１に示すような波形のフォーカスエラー信号が出力される。
図２（ｂ）に示すように、赤外レーザ焦点が赤色レーザ焦点より対物レンズ２９に対して法線方向（対物レンズ２９の光軸方向）において遠い側に焦点を結ぶ対物レンズ２９を使用しているため、タイミングＴ７において、赤色レーザ光の焦点がＤＶＤの表面を通過し、通過時に赤色レーザ光用ディテクタ２４からの信号に基づいてフォーカスエラー信号が得られる。つまり、タイミングＴ７近辺において、図４のＷ４０３に示すような波形のフォーカスエラー信号が出力される。
【００７４】
タイミングＴ８において、赤外レーザ光の焦点がＤＶＤの情報面を通過し、通過時に赤外レーザ光用ディテクタ２３からの信号に基づいてフォーカスエラー信号が得られる。つまり、タイミングＴ８近辺において、図４のＷ４０２に示すような波形のフォーカスエラー信号が出力される。このとき得られるフォーカスエラー信号の振幅は一定レベルＬ１を超えないため、ディスク判別コントローラ（ディスク判別部）５１はディスク判別動作を続行する。
タイミングＴ９において、赤色レーザ光の焦点がＤＶＤの情報面を通過し、通過時に赤色レーザ光用ディテクタ２４からの信号に基づいてフォーカスエラー信号が得られる。つまり、タイミングＴ９近辺において、図４のＷ４０４に示すような波形のフォーカスエラー信号が出力される。このとき得られるフォーカスエラー信号の振幅が一定レベルＬ２を超えた場合に、ディスク判別コントローラ（ディスク判別部）５１は、光ディスク装置１００に装填されているディスクがＤＶＤであると判定する。
【００７５】
装填されているディスクがＤＶＤであると判定すると、ディスク判別コントローラ（ディスク判別部）５１はディスク判別動作を終了させる。
以上のように、光ディスク１の表面（対物レンズ２９に対向する側の光ディスク１の表面）から情報面までの基材の厚さが異なり、対応するレーザ波長の異なるような複数種類のディスクを記録あるいは再生する光ディスク装置において、波長の異なる複数種類のレーザを同時発光させながら一度の対物レンズ動作で複数種類のディスクを判別するので、ディスク種類の判別に要する時間を短縮できる。
また、記録レーザ発光用に使用する記録発光駆動信号を再生用に用いることで、ＬＤＤ内部の構成変更のみで同時発光を実現することができる。このため、光ディスク装置１００において、ＬＤＤ以外の回路を変更することなく、本発明の光ディスク装置１００を実現することができる。
【００７６】
尚、波長の異なる２種のレーザであれば赤色レーザ光、赤外レーザ光に限らずどのような波長のレーザ光を選択してもよい。
また、波長の異なる３種類以上のレーザを用いてもよい。
また、本実施形態では、光ディスク装置１００に装填されたディスクの種類を判別する例を示したが、記録密度や対応するレーザ波長の異なる複数の情報面を１つのディスクに持つ場合には、どの種類の情報面を持つディスクであるか判別するようにしてもよい。
また、本実施形態では、レーザ波長毎に前光モニタを持たせていたが、前光モニタを１つにして、レーザを低出力で照射させるようにしてもよい。
また、ディスク判別動作時に記録発光駆動信号でレーザ発光させる場合は、記録発光駆動信号に対して高周波重畳してもよい。
【００７７】
また、本実施形態では、ディスク判別動作時の再生発光駆動信号および記録発光駆動信号が制御する対象のレーザ光源をそれぞれ固定にしていたが、自由に選択するようにしてもよい。
［第２実施形態］
本発明の第２実施形態について、図５から図８を用いて説明する。
＜２．１：光ディスク装置の構成＞
図５は、本実施形態に係る光ディスク装置２００の構成を示すブロック図である。
光ディスク装置２００は、赤色レーザ光源１２、赤色レーザ光用ビームスプリッタ１４、赤色レーザ光用前光モニタ１６、照射用ビームスプリッタ２０、対物レンズ２９、フォーカスアクチュエータ３４、ディテクタ用ビームスプリッタ２１、赤色レーザ光用ディテクタ２４、サーボ信号生成回路（サーボ信号生成部）５６、発光レーザ選択ＳＷ４１、再生発光駆動信号ゲインレーザコントローラ（レーザ制御部）５４、ディスク判別コントローラ（ディスク判別部）５１、記録発光駆動信号切替ＳＷ４３、同時発光用ゲインアンプ４４、および記録発光駆動信号ゲインアンプ４５を備える。
【００７８】
さらに、光ディスク装置２００は、青色レーザ光源１７、青色レーザ光用ビームスプリッタ１８、青色レーザ光用前光モニタ１９、および青色レーザ光用ディテクタ２５を備える。
図５において、光ディスク１、赤色レーザ光源１２、赤色レーザ光用ビームスプリッタ１４、赤色レーザ光用前光モニタ１６、照射用ビームスプリッタ２０、対物レンズ２９、フォーカスアクチュエータ３４、ディテクタ用ビームスプリッタ２１、赤色レーザ光用ディテクタ２４、サーボ信号生成回路（サーボ信号生成部）５６、発光レーザ選択ＳＷ４１、再生発光駆動信号ゲインレーザコントローラ（レーザ制御部）５４、ディスク判別コントローラ（ディスク判別部）５１、記録発光駆動信号切替ＳＷ４３、同時発光用ゲインアンプ４４、および記録発光駆動信号ゲインアンプ４５は、背景技術および第１実施形態の光ディスク装置のものと同等な機能を有するものとし、詳しい説明を省略する。
【００７９】
本実施形態において、背景技術および第１実施形態と異なるのは、青色レーザ光源１７、青色レーザ光用ビームスプリッタ１８、青色レーザ光用前光モニタ１９、および青色レーザ光用ディテクタを用いることで、複数波長のレーザ光を同時発光しながら一度の対物レンズ動作（対物レンズ２９を光ディスク１に近づける、あるいは、遠ざける動作）で、光ディスク装置１００に装填されている光ディスク１が複数のディスク種類の中のどの種類（タイプ）のディスクであるかの判別を短時間ででき、かつ情報面の記録情報の破壊を回避できるところである。
青色レーザ光源１７は、波長約４０５［ｎｍ］の青色レーザ光を照射する。青色レーザ光用ビームスプリッタ１８は、青色レーザ光を照射用ビームスプリッタ２０および青色レーザ光用前光モニタ１９に分光する。青色レーザ光用前光モニタ１９は、照射された青色レーザ光の出力パワーを検出する。そして、青色レーザ光用前光モニタ１９の出力は、レーザ制御部５４に入力される。
【００８０】
赤色レーザ光源１２は、波長約６５０［ｎｍ］の赤色レーザ光を照射する。赤色レーザ光用ビームスプリッタ１４は、赤色レーザ光を照射用ビームスプリッタ２０および赤色レーザ光用前光モニタ１６に分光する。赤色レーザ光用前光モニタ１６は、照射された赤色レーザ光の出力パワーを検出する。そして、赤色レーザ光用前光モニタ１６の出力は、レーザ制御部５４に入力される。
照射用ビームスプリッタ２０に分光された赤色レーザ光および青色レーザ光は、照射用ビームスプリッタ２０により対物レンズ２９の方向に反射され、対物レンズ２９によって光ディスク１の情報面上に収束される。光ディスク１によって反射した赤色レーザ光および青色レーザ光は、照射用ビームスプリッタ２０を通過し、赤色レーザ光は、ディテクタ用ビームスプリッタ２１を通過して赤色レーザ光用ディテクタ２４に照射され、青色レーザ光はディテクタ用ビームスプリッタ２１により青色レーザ光用ディテクタ２５に照射される。なお、赤色レーザ光用ディテクタ２４と青色レーザ光用ディテクタ２５との位置関係は、ディテクタ用ビームスプリッタ２１の光学特性により決定される。よって、ディテクタ用ビームスプリッタ２１の光学特性により、赤色レーザ光用ディテクタ２４と青色レーザ光用ディテクタ２５との位置関係を、図５に示す位置関係と逆にすることも可能であることを言うまでもない。
【００８１】
レーザコントローラ（レーザ制御部）５４は、再生時において、赤色レーザ光用前光モニタ１６で検出された赤色レーザ出力（赤色レーザ光の出力パワーのレベル）および青色レーザ光用前光モニタ１９で検出された青色レーザ出力（青色レーザ光の出力パワーのレベル）が所定の再生レーザ出力レベルになるような再生発光駆動信号をＬＤＤ４０へ出力する。また、レーザコントローラ（レーザ制御部）５４は、記録時において、赤色レーザ光用前光モニタ１６で検出された赤色レーザ出力（赤色レーザ光の出力パワーのレベル）および青色レーザ光用前光モニタ１９で検出された青色レーザ出力（青色レーザ光の出力パワーのレベル）が所定の記録レーザ出力レベルになるような再生発光駆動信号および記録発光駆動信号をＬＤＤ４０へ出力する。
ＬＤＤ４０は、再生時には、再生発光駆動信号に再生発光駆動信号ゲインアンプ４２のゲインを掛けたレーザ駆動のための信号を青色レーザ光源１７あるいは赤色レーザ光源１２へ出力する。ＬＤＤ４０は、記録時には、再生発光駆動信号に再生発光駆動信号ゲインアンプ４２のゲインを掛けたレーザ駆動のための信号と記録発光駆動信号に記録発光駆動信号ゲインアンプ４５のゲインを掛けたレーザ駆動のための信号を加算したレーザ駆動のための信号を青色レーザ光源１７あるいは赤色レーザ光源１２へ出力する。
【００８２】
ＬＤＤ４０の記録発光駆動信号切替ＳＷ４３は、通常は記録発光駆動信号が記録発光駆動信号ゲインアンプ４５に接続する設定になっている。記録発光駆動信号切替ＳＷ４３は、レーザ制御部５４からの出力を入力として、ディスク判別部５１からの制御信号（ディスク判別動作を行っている期間であるか否かを示す信号）に基づき、入力を記録発光駆動信号ゲインアンプ４５または同時発光用ゲインアンプ４４に出力する切替スイッチである。具体的には、記録発光駆動信号切替ＳＷ４３は、ディスク判別動作を実行している期間中のみ入力を同時発光用ゲインアンプ４４に出力させ、それ以外の期間中は、入力を記録発光駆動信号ゲインアンプ４５に出力させる。
ディスク判別コントローラ（ディスク判別部）５１は、ＬＤＤ４０が再生発光駆動信号に再生発光駆動信号ゲインアンプ４２のゲインを掛けたレーザ駆動のための信号を赤色レーザ光源１２に出力するようにＬＤＤ４０の発光レーザ選択ＳＷ４１を切替え、ＬＤＤ４０が記録発光駆動信号に同時発光用ゲインアンプ４４のゲインを掛けたレーザ駆動のための信号を青色レーザ光源１７に出力するようにＬＤＤ４０の記録発光駆動信号切替ＳＷ４３を切替える。
【００８３】
ディスク判別動作を行う場合、ディスク判別コントローラ（ディスク判別部）５１は、ＬＤＤ４０が再生発光駆動信号ゲインアンプ４２により増幅された再生発光駆動信号を赤色レーザ光源１２に出力するように発光レーザ選択ＳＷ４１を切替え（発光レーザ選択ＳＷ４１をｃ側に切替え）、かつ、ＬＤＤ４０が同時発光用ゲインアンプ４４により増幅された記録発光駆動信号を青色レーザ光源１７に出力するように記録発光駆動信号切替ＳＷ４３を切替える（記録発光駆動信号切替ＳＷ４３をｂ側に切替える）。これにより、光ディスク装置２００において、赤色レーザ光と青色レーザ光とを同時に発光させて、光ディスク１に照射することが可能となる。
さらに、ディスク判別コントローラ（ディスク判別部）５１は、レーザコントローラ（レーザ制御部）５４に対して赤色レーザ光源１２の出力および青色レーザ光源１７の出力を制御するレーザ制御モード切替信号を出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０に出力し、青色レーザ光源１７の出力が所定の再生レーザ出力レベルになるような記録発光駆動信号をＬＤＤ４０に出力することで、赤色レーザ光および青色レーザ光を同時に照射させる。
【００８４】
また、ディスク判別コントローラ（ディスク判別部）５１は、対物レンズ２９を上下駆動（遠近駆動）させるための駆動信号をフォーカスアクチュエータ３４に出力する。
サーボ信号生成回路（サーボ信号生成部）５６は、赤色レーザ光用ディテクタ２４および青色レーザ光用ディテクタ２５からの出力よりサーボ信号を生成しディスク判別部５１に出力する。ディスク判別コントローラ（ディスク判別部）５１は、サーボ信号生成回路（サーボ信号生成部）５６で生成されたサーボ信号に基づき、装填されているディスクの種類を判別する。
ＬＤＤ４０において、記録発光駆動信号ゲインアンプ４５では再生レーザ発光するには増幅率が高すぎ、また分解能が粗いため、記録再生駆動信号に対して同時発光用ゲインアンプ４４を使用して駆動信号を増幅する。つまり、再生レーザ発光させる場合に適した増幅率を有する同時発光用ゲインアンプ４４により増幅された記録再生駆動信号を使用して、青色レーザ光源１７を駆動する。
【００８５】
なお、第１加算器４０１、第２加算器４０２、記録発光駆動信号切替ＳＷ４３、および発光レーザ選択ＳＷ４１については、第１実施形態で説明したものと同様であるので、詳細な説明を省略する。
＜２．２：光ディスク装置の動作＞
（２．２．１：ディスク判別動作（ＤＶＤの場合））
次に、図６および図７を用いて、光ディスク装置２００に装填されているディスクがＤＶＤである場合の、複数レーザ同時発光によるディスク判別の動作について詳細に説明する。
図６（ｂ）は、光ディスク１の表面（対物レンズ２９に対向する側の光ディスク１の表面）から約０．６ｍｍの位置に情報面を持つＤＶＤと、青色レーザ光および赤色レーザ光を同時発光および収束させたレーザ光を示す模式図である。
【００８６】
図７に、光ディスク装置２００において、ＤＶＤに対して青色レーザ光および赤色レーザ光を同時発光させた状態で、対物レンズ２９を駆動したときの対物レンズ位置およびフォーカスエラー信号を示す。
図７（１）は、横軸を時間に、縦軸を対物レンズ２９の位置とした、時間と対物レンズ２９の位置との関係を示す図である。具体的には、図７（１）は、赤色レーザ光および青色レーザ光を同時発光させてＤＶＤに対物レンズ２９を接近させたときの対物レンズ２９の位置信号を示している。
図７（２）は、横軸を時間に、縦軸をフォーカスエラー信号レベルとした、時間とフォーカスエラー信号レベルとの関係を示す図である。具体的には、図７（２）は、赤色レーザ光および青色レーザ光を同時発光させてＤＶＤに対物レンズ２９を接近させたときの、サーボ信号生成回路（サーボ信号生成部）５６が赤色レーザ光用ディテクタ２４の出力から生成するフォーカスエラー信号（図５の信号線Ｐ１により送信される信号に相当。）を示している。
【００８７】
図７（３）は、横軸を時間に、縦軸をフォーカスエラー信号レベルとした、時間とフォーカスエラー信号レベルとの関係を示す図である。具体的には、図７（３）は、赤色レーザ光および青色レーザ光を同時発光させてＤＶＤに対物レンズ２９を接近させたときの、サーボ信号生成回路（サーボ信号生成部）５６が青色レーザ光用ディテクタ２５の出力から生成するフォーカスエラー信号（図５の信号線Ｐ２により送信される信号に相当。）を示す。
ディスク判別開始タイミングＴ１０において、ディスク判別コントローラ（ディスク判別部）５１がディスク判別動作を開始する。ディスク判別コントローラ（ディスク判別部）５１は、ＬＤＤ４０が再生発光駆動信号に再生発光駆動信号ゲインアンプ４２のゲインを掛けることで増幅されたレーザ駆動のための信号を赤色レーザ光源１２に出力するようにＬＤＤ４０の発光レーザ選択ＳＷ４１を切替え（発光レーザ選択ＳＷ４１のｃ側に切り替え）、ＬＤＤ４０が記録発光駆動信号に同時発光用ゲインアンプ４４のゲインを掛けることで増幅されたレーザ駆動のための信号を青色レーザ光源１７に出力するようにＬＤＤ４０の記録発光駆動信号切替ＳＷ４３を切替える（記録発光駆動信号切替ＳＷ４３のｂ側に切替える）。なお、ここで、記録発光駆動信号切替ＳＷ４３のｂ側を選択しているので、記録発光駆動信号ゲインアンプ４５からは何も出力されない。したがって、第１加算器４０１の出力は、再生発光駆動信号ゲインアンプ４２の出力そのものとなり、再生発光駆動信号ゲインアンプ４２の出力を発光レーザ選択ＳＷ４１の入力に直結した状態と同じになる。
【００８８】
さらに、ディスク判別コントローラ（ディスク判別部）５１は、レーザコントローラ（レーザ制御部）５４に対してレーザ制御モード切替信号を出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０（具体的には、ＬＤＤ４０の再生発光駆動信号ゲインアンプ４２）に出力し、かつ、青色レーザ光源１７の出力が所定の再生レーザ出力レベルになるような記録発光駆動信号をＬＤＤ４０（具体的には、ＬＤＤ４０の記録発光駆動信号切替ＳＷ４３を介して同時発光用ゲインアンプ４４）に出力することで、赤色レーザ光および青色レーザ光を同時に照射させる。さらに、ディスク判別コントローラ（ディスク判別部）５１は、フォーカスアクチュエータ３４に駆動信号を与えることで、対物レンズ２９の位置を上昇させる（対物レンズ２９を光ディスク１との距離が小さくなる方向に動かす）。
【００８９】
なお、対物レンズ２９は、図６に示すように、赤色レーザ光についての焦点距離が、青色レーザ光についての焦点距離よりも長くなる光学特性を有するものである。
タイミングＴ１１において、赤色レーザ光の焦点がＤＶＤの表面（対物レンズ２９に対向する側の光ディスク１の表面）を通過し、通過時に赤色レーザ光用ディテクタ２４からの信号に基づいてフォーカスエラー信号が得られる。つまり、タイミングＴ１１近辺において、図７のＷ７０１に示すような波形のフォーカスエラー信号が出力される。
図６（ｂ）に示すように、赤色レーザ光の焦点が青色レーザ光の焦点より対物レンズ２９に対して法線方向（対物レンズ２９の光軸方向）において遠い側に焦点を結ぶ対物レンズ２９を使用しているため、タイミングＴ１２において、青色レーザ光の焦点がＤＶＤの表面（対物レンズ２９に対向する側の光ディスク１の表面）を通過し、通過時に青色レーザ光用ディテクタ２５からの信号に基づいてフォーカスエラー信号が得られる。つまり、タイミングＴ１２近辺において、図７のＷ７０３に示すような波形のフォーカスエラー信号が出力される。
【００９０】
タイミングＴ１３において、赤色レーザ光の焦点がＤＶＤの情報面（情報が記録される面）を通過し、通過時に赤色レーザ光用ディテクタ２４からの信号に基づいてフォーカスエラー信号が得られる。つまり、タイミングＴ１３近辺において、図７のＷ７０２に示すような波形のフォーカスエラー信号が出力される。このとき得られるフォーカスエラー信号の振幅が一定レベルＬ３を超えた場合に、ディスク判別コントローラ（ディスク判別部）５１は装填されているディスクがＤＶＤであると判定する。
光ディスク装置２００に装填されているディスクがＤＶＤであると判定すると、ディスク判別コントローラ（ディスク判別部）５１は、ディスク判別動作を終了させる。
（２．２．２：ディスク判別動作（ＨＤ−ＤＶＤの場合）
次に図６および図８を用いて、光ディスク装置２００に装填されているディスクがＨＤ−ＤＶＤである場合の、複数レーザ同時発光によるディスク判別の動作について詳細に説明する。
【００９１】
図６（ａ）は、光ディスク１の表面（対物レンズ２９に対向する側の光ディスク１の表面）から約０．６ｍｍの位置に情報面を持つＨＤ−ＤＶＤと、青色レーザおよび赤色レーザを同時発光および収束させたレーザ光を示す模式図である。
図８に、ＨＤ−ＤＶＤに対して青色レーザ光および赤色レーザ光を同時発光させた状態で、対物レンズ２９を駆動したときの対物レンズ位置およびフォーカスエラー信号を示す。
図８（１）は、横軸を時間に、縦軸を対物レンズ２９の位置とした、時間と対物レンズ２９の位置との関係を示す図である。具体的には、図８（１）は、赤色レーザ光および青色レーザ光を同時発光させてＨＤ−ＤＶＤに対物レンズ２９を接近させたときの対物レンズ２９の位置信号を示している。
【００９２】
図８（２）は、横軸を時間に、縦軸をフォーカスエラー信号レベルとした、時間とフォーカスエラー信号レベルとの関係を示す図である。具体的には、図８（２）は、赤色レーザ光および青色レーザ光を同時発光させてＨＤ−ＤＶＤに対物レンズ２９を接近させたときの、サーボ信号生成回路（サーボ信号生成部）５６が青色レーザ光用ディテクタ２５の出力から生成するフォーカスエラー信号を示している。
図８（３）は、横軸を時間に、縦軸をフォーカスエラー信号レベルとした、時間とフォーカスエラー信号レベルとの関係を示す図である。具体的には、図８（３）は、赤色レーザ光および青色レーザ光を同時発光させてＨＤ−ＤＶＤに対物レンズ２９を接近させたときの、サーボ信号生成回路（サーボ信号生成部）５６が赤色レーザ光用ディテクタ２４の出力から生成するフォーカスエラー信号（図５の信号線Ｐ２により送信される信号に相当。）を示す。
【００９３】
ディスク判別開始タイミングＴ１４において、ディスク判別コントローラ（ディスク判別部）５１がディスク判別動作を開始する。ディスク判別コントローラ（ディスク判別部）５１は、ＬＤＤ４０が再生発光駆動信号に再生発光駆動信号ゲインアンプ４２のゲインを掛けることで増幅されたレーザ駆動のための信号を赤色レーザ光源１２に出力するようにＬＤＤ４０の発光レーザ選択ＳＷ４１を切替え（発光レーザ選択ＳＷ４１のｃ側に切り替え）、ＬＤＤ４０が記録発光駆動信号に同時発光用ゲインアンプ４４のゲインを掛けることで増幅されたレーザ駆動のための信号を青色レーザ光源１７に出力するようにＬＤＤ４０の記録発光駆動信号切替ＳＷ４３を切替える（記録発光駆動信号切替ＳＷ４３のｂ側に切替える）。なお、ここで、記録発光駆動信号切替ＳＷ４３のｂ側を選択しているので、記録発光駆動信号ゲインアンプ４５からは何も出力されない。したがって、第１加算器４０１の出力は、再生発光駆動信号ゲインアンプ４２の出力そのものとなり、再生発光駆動信号ゲインアンプ４２の出力を発光レーザ選択ＳＷ４１の入力に直結した状態と同じになる。
【００９４】
さらに、ディスク判別コントローラ（ディスク判別部）５１は、レーザコントローラ（レーザ制御部）５４に対してレーザ制御モード切替信号を出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０（具体的には、ＬＤＤ４０の再生発光駆動信号ゲインアンプ４２）に出力し、かつ、青色レーザ光源１７の出力が所定の再生レーザ出力レベルになるような記録発光駆動信号をＬＤＤ４０（具体的には、ＬＤＤ４０の記録発光駆動信号切替ＳＷ４３を介して同時発光用ゲインアンプ４４）に出力することで、赤色レーザ光および青色レーザ光を同時に照射させる。さらに、ディスク判別コントローラ（ディスク判別部）５１は、フォーカスアクチュエータ３４に駆動信号を与えることで、対物レンズ２９の位置を上昇させる（対物レンズ２９を光ディスク１との距離が小さくなる方向に動かす）。
【００９５】
なお、対物レンズ２９は、図６に示すように、赤色レーザ光についての焦点距離が、青色レーザ光についての焦点距離よりも長くなる光学特性を有するものである。
タイミングＴ１５において、赤色レーザ光の焦点がＨＤ−ＤＶＤの表面（対物レンズ２９に対向する側の光ディスク１の表面）を通過し、通過時に赤色レーザ光用ディテクタ２４からの信号に基づいてフォーカスエラー信号が得られる。つまり、タイミングＴ１５近辺において、図８のＷ８０１に示すような波形のフォーカスエラー信号が出力される。
図６（ａ）に示すように、赤色レーザ光の焦点が青色レーザ光の焦点より対物レンズ２９に対して法線方向（対物レンズ２９の光軸方向）において遠い側に焦点を結ぶ対物レンズ２９を使用しているため、タイミングＴ１６において、青色レーザ光の焦点がＨＤ−ＤＶＤの表面（対物レンズ２９に対向する側の光ディスク１の表面）を通過し、通過時に青色レーザ光用ディテクタ２５からの信号に基づいてフォーカスエラー信号が得られる。つまり、タイミングＴ１６近辺において、図８のＷ８０３に示すような波形のフォーカスエラー信号が出力される。
【００９６】
タイミングＴ１７において、赤色レーザ光の焦点がＨＤ−ＤＶＤの情報面（情報が記録される面）を通過し、通過時に赤色レーザ光用ディテクタ２４からの信号に基づいてフォーカスエラー信号が得られる。つまり、タイミングＴ１７近辺において、図８のＷ８０２に示すような波形のフォーカスエラー信号が出力される。このとき得られるフォーカスエラー信号の振幅は一定レベルＬ３を超えないため、ディスク判別コントローラ（ディスク判別部）５１はディスク判別動作を続行する。
タイミングＴ１８において、青色レーザ光の焦点がＨＤ−ＤＶＤの情報面（情報が記録される面）を通過し、通過時に青色レーザ光用ディテクタ２５からの信号に基づいてフォーカスエラー信号が得られる。つまり、タイミングＴ１８近辺において、図８のＷ８０４に示すような波形のフォーカスエラー信号が出力される。このとき得られるフォーカスエラー信号の振幅が一定レベルＬ４を超えた場合に、ディスク判別コントローラ（ディスク判別部）５１は装填されているディスクがＨＤ−ＤＶＤであると判定する。
【００９７】
光ディスク装置２００に装填されているディスクがＨＤ−ＤＶＤであると判定すると、ディスク判別コントローラ（ディスク判別部）５１は、ディスク判別動作を終了させる。
以上のように、光ディスク１の表面（対物レンズ２９に対向する側の光ディスク１の表面）から情報面までの基材の厚さがほぼ等しく、対応するレーザ波長の異なるような複数種類のディスクを記録あるいは再生する光ディスク装置において、波長の異なる複数種類のレーザを同時発光させながら一度の対物レンズ移動（対物レンズを光ディスクに近づける、あるいは遠ざける駆動動作）だけで複数種類のディスクを判別するので、ディスク種類の判別に要する時間を短縮できる。
さらに、波長の長い赤色レーザ光の焦点が波長の短い青色レーザ光の焦点より対物レンズ２９に対して法線方向（対物レンズ２９の光軸方向）に遠い側に焦点を結ぶ対物レンズ２９を使用することで、ＤＶＤ情報面に赤色レーザ光の焦点を結ぶとき、ＤＶＤ情報面での青色レーザ光はぼやけるため（青色レーザ光の焦点が合っていない状態となるため）、ＤＶＤ情報面の記録情報の破壊を防ぐことができる。
【００９８】
尚、波長の異なる２種のレーザ光であれば赤色レーザ光、青色レーザ光に限らずどのような波長のレーザ光を選択してもよい。
また、波長の異なる３種類以上のレーザを用いてもよい。
また、本実施形態では、光ディスク装置２００に装填されたディスクの種類を判別する例を示したが、記録密度や対応するレーザ波長の異なる複数の情報面を１つのディスクに持つ場合には、どの種類の情報面を持つディスクであるか判別するようにしてもよい。
また、本実施形態では、レーザ波長毎に前光モニタを持たせていたが、前光モニタを１つにして、レーザを低出力で照射させるようにしてもよい。
また、本実施形態では、赤色レーザ光の焦点が青色レーザ光の焦点より対物レンズ２９に対して法線方向（対物レンズ２９の光軸方向）に遠い側に焦点を結ぶ対物レンズ２９を使用する例を示したが、赤色レーザ光の焦点が青色レーザ光の焦点より対物レンズ２９に対して法線方向（対物レンズ２９の光軸方向）に近い側に焦点を結ぶ対物レンズ２９を使用し、ディスク判別動作時の対物レンズ２９の位置を光ディスク１の表面近傍から遠ざける方向に移動させるようにしても良い。
【００９９】
また、ディスク判別時に記録発光駆動信号でレーザ発光する場合は、記録発光駆動信号に対して高周波重畳してもよい。
また、本実施形態では、ディスク判別時の再生発光駆動信号および記録発光駆動信号が制御する対象のレーザ光源をそれぞれ固定にしていたが、自由に選択するようにしてもよい。
［第３実施形態］
本発明の第３実施形態について、図９から図１２を用いて説明する。
＜３．１：光ディスク装置の構成＞
図９は、本実施形態に係る光ディスク装置３００の構成を示すブロック図である。
光ディスク装置３００は、赤色レーザ光源１２、赤色レーザ光用ビームスプリッタ１４、赤色レーザ光用前光モニタ１６、青色レーザ光源１７、青色レーザ光用ビームスプリッタ１８、青色レーザ光用前光モニタ１９、青色レーザ光用ディテクタ２５、赤色レーザ光用ディテクタ２４、サーボ信号生成回路（サーボ信号生成部）５６、発光レーザ選択ＳＷ４１、再生発光駆動信号ゲインレーザコントローラ（レーザ制御部）５４、ディスク判別コントローラ（ディスク判別部）５１、記録発光駆動信号切替ＳＷ４３、および同時発光用ゲインアンプ４４、および記録発光駆動信号ゲインアンプ４５アンプを備える。
【０１００】
さらに、光ディスク装置３００は、赤色レーザ光用対物レンズ３０、青色レーザ光用対物レンズ３１、赤色レーザ光照射用ビームスプリッタ２７、青色レーザ光照射用ビームスプリッタ２８、駆動差加算部５８、赤色レーザ光用フォーカスアクチュエータ３６、および青色レーザ光用フォーカスアクチュエータ３５を備える。
図９において、光ディスク１、赤色レーザ光源１２、赤色レーザ光用ビームスプリッタ１４、赤色レーザ光用前光モニタ１６、青色レーザ光源１７、青色レーザ光用ビームスプリッタ１８、青色レーザ光用前光モニタ１９、青色レーザ光用ディテクタ２５、赤色レーザ光用ディテクタ２４、サーボ信号生成回路（サーボ信号生成部）５６、発光レーザ選択ＳＷ４１、再生発光駆動信号ゲインレーザコントローラ（レーザ制御部）５４、ディスク判別コントローラ（ディスク判別部）５１、記録発光駆動信号切替ＳＷ４３、同時発光用ゲインアンプ４４、および記録発光駆動信号ゲインアンプ４５は、背景技術および前述の実施形態の光ディスク装置のものと同等な機能を有するものとし、詳しい説明を省略する。
【０１０１】
背景技術および前述の実施形態と異なるのは、赤色レーザ光用対物レンズ３０、青色レーザ光用対物レンズ３１、赤色レーザ光照射用ビームスプリッタ２７、青色レーザ光照射用ビームスプリッタ２８、駆動差加算部５８、赤色レーザ光用フォーカスアクチュエータ３６、および青色レーザ光用フォーカスアクチュエータ３５を用いることで、複数波長のレーザを同時発光させながら一度の対物レンズ動作で複数のディスク種類の判別を短時間ででき、かつ情報面の記録情報の破壊をより安全に回避できるところである。
青色レーザ光源１７は、波長約４０５［ｎｍ］の青色レーザ光を照射する。青色レーザ光用ビームスプリッタ１８は、青色レーザ光を青色レーザ光照射用ビームスプリッタ２８および青色レーザ光用前光モニタ１９に分光する。青色レーザ光用前光モニタ１９は、照射された青色レーザ光の出力パワーを検出する。そして、青色レーザ光用前光モニタ１９の出力は、レーザ制御部５４に入力される。
【０１０２】
青色レーザ光照射用ビームスプリッタ２８で分光された青色レーザ光は、青色レーザ光照射用ビームスプリッタ２８により青色レーザ光用対物レンズ３１の方向に反射され、青色レーザ光用対物レンズ３１によって光ディスク１の情報面上に収束される。光ディスク１によって反射した青色レーザ光は、青色レーザ光照射用ビームスプリッタ２８を通過して青色レーザ光用ディテクタ２５に照射される。
赤色レーザ光源１２は、波長約６５０［ｎｍ］の赤色レーザ光を照射する。赤色レーザ光用ビームスプリッタ１４は、赤色レーザ光を赤色レーザ光照射用ビームスプリッタ２７および赤色レーザ光用前光モニタ１６に分光する。赤色レーザ光用前光モニタ１６は、照射された赤色レーザ光の出力パワーを検出する。そして、赤色レーザ光用前光モニタ１６の出力は、レーザ制御部５４に入力される。
【０１０３】
赤色レーザ光照射用ビームスプリッタ２７で分光された赤色レーザ光は、赤色レーザ光照射用ビームスプリッタ２７により赤色レーザ光用対物レンズ３０の方向に反射され、赤色レーザ光用対物レンズ３０によって光ディスク１の情報面上に収束される。光ディスク１によって反射した赤色レーザ光は、赤色レーザ光照射用ビームスプリッタ２７を通過して赤色レーザ光用ディテクタ２４に照射される。
青色レーザ光用対物レンズ３１は、青色レーザ光用フォーカスアクチュエータ３５により駆動される。赤色レーザ光用対物レンズ３０は、赤色レーザ光用フォーカスアクチュエータ３６により駆動される。
レーザコントローラ（レーザ制御部）５４は、再生時において、赤色レーザ光用前光モニタ１６で検出された赤色レーザ出力（赤色レーザ光の出力パワーのレベル）および青色レーザ光用前光モニタ１９で検出された青色レーザ出力（青色レーザ光の出力パワーのレベル）が所定の再生レーザ出力レベルになるような再生発光駆動信号をＬＤＤ４０へ出力する。また、レーザコントローラ（レーザ制御部）５４は、記録時において、赤色レーザ光用前光モニタ１６で検出された赤色レーザ出力（赤色レーザ光の出力パワーのレベル）および青色レーザ光用前光モニタ１９で検出された青色レーザ出力（青色レーザ光の出力パワーのレベル）が所定の記録レーザ出力レベルになるような再生発光駆動信号および記録発光駆動信号をＬＤＤ４０へ出力する。
【０１０４】
ＬＤＤ４０は、再生時には、再生発光駆動信号に再生発光駆動信号ゲインアンプ４２のゲインを掛けることで増幅されたレーザ駆動のための信号を青色レーザ光源１７あるいは赤色レーザ光源１２へ出力する。ＬＤＤ４０は、記録時には、再生発光駆動信号に再生発光駆動信号ゲインアンプ４２のゲインを掛けて増幅されたレーザ駆動のための信号と記録発光駆動信号に記録発光駆動信号ゲインアンプ４５のゲインを掛けたレーザ駆動のための信号を加算したレーザ駆動のための信号を青色レーザ光源１７あるいは赤色レーザ光源１２へ出力する。
ＬＤＤ４０の記録発光駆動信号切替ＳＷ４３は、通常は記録発光駆動信号が記録発光駆動信号ゲインアンプ４５に接続する設定になっている。記録発光駆動信号切替ＳＷ４３は、レーザ制御部５４からの出力を入力として、ディスク判別部５１からの制御信号（ディスク判別動作を行っている期間であるか否かを示す信号）に基づき、入力を記録発光駆動信号ゲインアンプ４５または同時発光用ゲインアンプ４４に出力する切替スイッチである。具体的には、記録発光駆動信号切替ＳＷ４３は、ディスク判別動作を実行している期間中のみ入力を同時発光用ゲインアンプ４４に出力させ、それ以外の期間中は、入力を記録発光駆動信号ゲインアンプ４５に出力させる。
【０１０５】
ディスク判別コントローラ（ディスク判別部）５１は、ＬＤＤ４０が再生発光駆動信号に再生発光駆動信号ゲインアンプ４２のゲインを掛けることで増幅されたレーザ駆動のための信号を赤色レーザ光源１２に出力するようにＬＤＤ４０の発光レーザ選択ＳＷ４１を切替え、ＬＤＤ４０が記録発光駆動信号に同時発光用ゲインアンプ４４のゲインを掛けることで増幅されたレーザ駆動のための信号を青色レーザ光源１７に出力するようにＬＤＤ４０の記録発光駆動信号切替ＳＷ４３を切替える。
ディスク判別動作を行う場合、ディスク判別コントローラ（ディスク判別部）５１は、ＬＤＤ４０が再生発光駆動信号ゲインアンプ４２により増幅された再生発光駆動信号を赤色レーザ光源１２に出力するように発光レーザ選択ＳＷ４１を切替え（発光レーザ選択ＳＷ４１をｃ側に切替え）、かつ、ＬＤＤ４０が同時発光用ゲインアンプ４４により増幅された記録発光駆動信号を青色レーザ光源１７に出力するように記録発光駆動信号切替ＳＷ４３を切替える（記録発光駆動信号切替ＳＷ４３をｂ側に切替える）。これにより、光ディスク装置３００において、赤色レーザ光と青色レーザ光とを同時に発光させて、光ディスク１に照射することが可能となる。
【０１０６】
さらに、ディスク判別コントローラ（ディスク判別部）５１は、レーザコントローラ（レーザ制御部）５４に対して赤色レーザ光源１２の出力および青色レーザ光源１７の出力を制御するレーザ制御モード切替信号を出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０に出力し、青色レーザ光源１７の出力が所定の再生レーザ出力レベルになるような記録発光駆動信号をＬＤＤ４０に出力することで、赤色レーザ光および青色レーザ光を同時に照射させる。
また、ディスク判別コントローラ（ディスク判別部）５１は、青色レーザ光用対物レンズ３１と赤色レーザ光用対物レンズ３０を上下駆動（遠近駆動）させるための駆動信号を駆動差加算部５８および青色レーザ光用フォーカスアクチュエータ３５へ出力する。駆動差加算部５８は、ディスク判別コントローラ（ディスク判別部）５１からの駆動出力（駆動信号）に、所定レベルの信号を加算して赤色レーザ光用フォーカスアクチュエータ３６へ出力する。
【０１０７】
サーボ信号生成回路（サーボ信号生成部）５６は、赤色レーザ光用ディテクタ２４および青色レーザ光用ディテクタ２５からの出力よりサーボ信号を生成しディスク判別部５１に出力する。ディスク判別コントローラ（ディスク判別部）５１は、サーボ信号生成回路（サーボ信号生成部）５６で生成されたサーボ信号に基づき、装填されているディスクの種類を判別する。
ＬＤＤ４０において、記録発光駆動信号ゲインアンプ４５では再生レーザ発光するには増幅率が高すぎ、また分解能が粗いため、記録再生駆動信号に対して同時発光用ゲインアンプ４４を使用して駆動信号を増幅する。つまり、再生レーザ発光させる場合に適した増幅率を有する同時発光用ゲインアンプ４４により増幅された記録再生駆動信号を使用して、青色レーザ光源１７を駆動する。
【０１０８】
なお、第１加算器４０１、第２加算器４０２、記録発光駆動信号切替ＳＷ４３、および発光レーザ選択ＳＷ４１については、前述の実施形態で説明したものと同様であるので、詳細な説明を省略する。
＜３．２：光ディスク装置の動作＞
（３．２．１：ディスク判別動作（ＤＶＤの場合））
次に、図１０および図１１を用いて、光ディスク装置３００に装填されているディスクがＤＶＤである場合の、複数レーザ同時発光によるディスク判別の動作について詳細に説明する。
図１０（ｂ）は、光ディスク１の表面（対物レンズ３０および３１に対向する側の光ディスク１の表面）から約０．６ｍｍの位置に情報面を持つＤＶＤと、青色レーザ光および赤色レーザ光を同時発光および収束させたレーザ光を示す模式図である。
【０１０９】
図１１に、光ディスク装置３００において、ＤＶＤに対して青色レーザ光および赤色レーザ光を同時発光させた状態で、青色レーザ光用対物レンズ３１および赤色レーザ光用対物レンズ３０を駆動させたときの赤色レーザ光用対物レンズ位置およびフォーカスエラー信号を示す。
図１１（１）は、横軸を時間に、縦軸を赤色レーザ光用対物レンズ３０の位置とした、時間と赤色レーザ光用対物レンズ３０の位置との関係を示す図である。具体的には、図１１（１）は、赤色レーザ光および青色レーザ光を同時発光させてＤＶＤに青色レーザ光用対物レンズ３１および赤色レーザ光用対物レンズ３０を接近させたときの赤色レーザ光用対物レンズ３０の位置信号を示している。
図１１（２）は、横軸を時間に、縦軸をフォーカスエラー信号レベルとした、時間とフォーカスエラー信号レベルとの関係を示す図である。具体的には、図１１（２）は、赤色レーザ光および青色レーザ光を同時発光させてＤＶＤに青色レーザ光用対物レンズ３１および赤色レーザ光用対物レンズ３０を接近させたときの、サーボ信号生成回路（サーボ信号生成部）５６が赤色レーザ光用ディテクタ２４の出力から生成するフォーカスエラー信号（図９の信号線Ｐ１により送信される信号に相当。）を示している。
【０１１０】
図１１（３）は、横軸を時間に、縦軸をフォーカスエラー信号レベルとした、時間とフォーカスエラー信号レベルとの関係を示す図である。具体的には、図１１（３）は、赤色レーザ光および青色レーザ光を同時発光させてＤＶＤに青色レーザ光用対物レンズ３１および赤色レーザ光用対物レンズ３０を接近させたときの、サーボ信号生成回路（サーボ信号生成部）５６が青色レーザ光用ディテクタ２５の出力から生成するフォーカスエラー信号（図９の信号線Ｐ２により送信される信号に相当。）を示す。
ディスク判別開始タイミングＴ１９において、ディスク判別コントローラ（ディスク判別部）５１がディスク判別動作を開始する。ディスク判別コントローラ（ディスク判別部）５１は、ＬＤＤ４０が再生発光駆動信号に再生発光駆動信号ゲインアンプ４２のゲインを掛けることで増幅されたレーザ駆動のための信号を赤色レーザ光源１２に出力するようにＬＤＤ４０の発光レーザ選択ＳＷ４１を切替え（発光レーザ選択ＳＷ４１のｃ側に切り替え）、ＬＤＤ４０が記録発光駆動信号に同時発光用ゲインアンプ４４のゲインを掛けることで増幅されたレーザ駆動のための信号を青色レーザ光源１７に出力するようにＬＤＤ４０の記録発光駆動信号切替ＳＷ４３を切替える（記録発光駆動信号切替ＳＷ４３のｂ側に切替える）。なお、ここで、記録発光駆動信号切替ＳＷ４３のｂ側を選択しているので、記録発光駆動信号ゲインアンプ４５からは何も出力されない。したがって、第１加算器４０１の出力は、再生発光駆動信号ゲインアンプ４２の出力そのものとなり、再生発光駆動信号ゲインアンプ４２の出力を発光レーザ選択ＳＷ４１の入力に直結した状態と同じになる。
【０１１１】
さらに、ディスク判別コントローラ（ディスク判別部）５１は、レーザコントローラ（レーザ制御部）５４に対してレーザ制御モード切替信号を出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０（具体的には、ＬＤＤ４０の再生発光駆動信号ゲインアンプ４２）に出力し、かつ、青色レーザ光源１７の出力が所定の再生レーザ出力レベルになるような記録発光駆動信号をＬＤＤ４０（具体的には、ＬＤＤ４０の記録発光駆動信号切替ＳＷ４３を介して同時発光用ゲインアンプ４４）に出力することで、赤色レーザ光および青色レーザ光を同時に照射させる。さらに、ディスク判別コントローラ（ディスク判別部）５１は、青色レーザ光用対物レンズ３１および赤色レーザ光用対物レンズ３０の位置を上昇させるための駆動信号を出力する。
【０１１２】
赤色レーザ光用フォーカスアクチュエータ３６は、ディスク判別コントローラ（ディスク判別部）５１から出力された駆動信号に対して駆動差加算部５８で所定の駆動量を加算した駆動信号により、赤色レーザ光用対物レンズ３０を上昇させる（赤色レーザ光用対物レンズ３０を光ディスク１に接近させる）。
また、青色レーザ光用フォーカスアクチュエータ３５は、ディスク判別コントローラ（ディスク判別部）５１から出力された駆動信号により、青色レーザ光用対物レンズ３１を上昇させる（青色レーザ光用対物レンズ３１を光ディスク１に接近させる）。
タイミングＴ２０において、赤色レーザ光の焦点がＤＶＤの表面（対物レンズ３０および３１に対向する側の光ディスク１の表面）を通過し、通過時に赤色レーザ光用ディテクタ２４からの信号に基づいてフォーカスエラー信号が得られる。つまり、タイミングＴ２０近辺において、図１１のＷ１１１に示すような波形のフォーカスエラー信号が出力される。
【０１１３】
図１０（ｂ）に示すように、赤色レーザ光の焦点が青色レーザ光の焦点よりも赤色レーザ光用対物レンズ３０および青色レーザ光用対物レンズ３１に対して法線方向（赤色レーザ光用対物レンズ３０および青色レーザ光用対物レンズ３１のそれぞれの光軸方向）に遠い側に焦点を結ぶような駆動オフセット値を駆動差加算部５８に設定するため、タイミングＴ２１において、青色レーザ光の焦点がＤＶＤの表面（対物レンズ３０および３１に対向する側の光ディスク１の表面）を通過し、通過時に青色レーザ光用ディテクタ２５からの信号に基づいてフォーカスエラー信号が得られる。つまり、タイミングＴ２１近辺において、図１１のＷ１１３に示すような波形のフォーカスエラー信号が出力される。なお、図１１のＴ２１とＴ２０との時間差は、駆動差加算部５８に設定される駆動オフセット値と、赤色レーザ光用対物レンズ３０および青色レーザ光用対物レンズ３１を光ディスク１に接近させる速度と、赤色レーザ光用対物レンズ３０および青色レーザ光用対物レンズ３１の焦点距離とによって決定される（通常、赤色レーザ光用対物レンズ３０を光ディスク１に接近させる速度と、青色レーザ光用対物レンズ３１を光ディスク１に接近させる速度とは同一である）。
【０１１４】
タイミングＴ２２において、赤色レーザ光の焦点がＤＶＤの情報面を通過し、通過時に赤色レーザ光用ディテクタ２４からの信号に基づいてフォーカスエラー信号が得られる。つまり、タイミングＴ２２近辺において、図１１のＷ１１２に示すような波形のフォーカスエラー信号が出力される。このとき得られるフォーカスエラー信号の振幅が一定レベルＬ５を超えた場合に、ディスク判別コントローラ（ディスク判別部）５１は装填されているディスクがＤＶＤであると判定する。
光ディスク装置３００に装填されているディスクがＤＶＤであると判定すると、ディスク判別コントローラ（ディスク判別部）５１はディスク判別動作を終了させる。
（３．２．２：ディスク判別動作（ＨＤ−ＤＶＤの場合））
次に、図１０および図１２を用いて、光ディスク装置３００に装填されているディスクがＨＤ−ＤＶＤである場合の、複数レーザ同時発光によるディスク判別の動作について詳細に説明する。
【０１１５】
図１０（ａ）は、光ディスク１の表面（対物レンズ３０および３１に対向する側の光ディスク１の表面）から約０．６ｍｍの位置に情報面を持つＨＤ−ＤＶＤと、青色レーザ光および赤色レーザ光を同時発光および収束させたレーザ光を示す模式図である。
図１２に、光ディスク装置３００において、ＨＤ−ＤＶＤに対して青色レーザ光および赤色レーザ光を同時発光させた状態で、青色レーザ光用対物レンズ３１および赤色レーザ光用対物レンズ３０を駆動させたときの赤色レーザ光用対物レンズ位置およびフォーカスエラー信号を示す。
図１２（１）は、横軸を時間に、縦軸を赤色レーザ光用対物レンズ３０の位置とした、時間と赤色レーザ光用対物レンズ３０の位置との関係を示す図である。具体的には、図１２（１）は、赤色レーザ光および青色レーザ光を同時発光させてＨＤ−ＤＶＤに青色レーザ光用対物レンズ３１および赤色レーザ光用対物レンズ３０を接近させたときの赤色レーザ光用対物レンズ３０の位置信号を示している。
【０１１６】
図１２（２）は、横軸を時間に、縦軸をフォーカスエラー信号レベルとした、時間とフォーカスエラー信号レベルとの関係を示す図である。具体的には、図１２（２）は、赤色レーザ光および青色レーザ光を同時発光させてＨＤ−ＤＶＤに青色レーザ光用対物レンズ３１および赤色レーザ光用対物レンズ３０を接近させたときの、サーボ信号生成回路（サーボ信号生成部）５６が赤色レーザ光用ディテクタ２４の出力から生成するフォーカスエラー信号（図９の信号線Ｐ１により送信される信号に相当。）を示している。
図１２（３）は、横軸を時間に、縦軸をフォーカスエラー信号レベルとした、時間とフォーカスエラー信号レベルとの関係を示す図である。具体的には、図１２（３）は、赤色レーザ光および青色レーザ光を同時発光させてＨＤ−ＤＶＤに青色レーザ光用対物レンズ３１および赤色レーザ光用対物レンズ３０を接近させたときの、サーボ信号生成回路（サーボ信号生成部）５６が青色レーザ光用ディテクタ２５の出力から生成するフォーカスエラー信号（図９の信号線Ｐ２により送信される信号に相当。）を示す。
【０１１７】
ディスク判別開始タイミングＴ２３において、ディスク判別コントローラ（ディスク判別部）５１がディスク判別動作を開始する。ディスク判別コントローラ（ディスク判別部）５１は、ＬＤＤ４０が再生発光駆動信号に再生発光駆動信号ゲインアンプ４２のゲインを掛けることで増幅されたレーザ駆動のための信号を赤色レーザ光源１２に出力するようにＬＤＤ４０の発光レーザ選択ＳＷ４１を切替え（発光レーザ選択ＳＷ４１のｃ側に切り替え）、ＬＤＤ４０が記録発光駆動信号に同時発光用ゲインアンプ４４のゲインを掛けることで増幅されたレーザ駆動のための信号を青色レーザ光源１７に出力するようにＬＤＤ４０の記録発光駆動信号切替ＳＷ４３を切替える（記録発光駆動信号切替ＳＷ４３のｂ側に切替える）。なお、ここで、記録発光駆動信号切替ＳＷ４３のｂ側を選択しているので、記録発光駆動信号ゲインアンプ４５からは何も出力されない。したがって、第１加算器４０１の出力は、再生発光駆動信号ゲインアンプ４２の出力そのものとなり、再生発光駆動信号ゲインアンプ４２の出力を発光レーザ選択ＳＷ４１の入力に直結した状態と同じになる。
【０１１８】
さらに、ディスク判別コントローラ（ディスク判別部）５１は、レーザコントローラ（レーザ制御部）５４に対してレーザ制御モード切替信号を出力する。レーザコントローラ（レーザ制御部）５４は、ディスク判別コントローラ（ディスク判別部）５１からレーザ制御モード切替信号を受けると、赤色レーザ光源１２の出力が所定の再生レーザ出力レベルになるような再生発光駆動信号をＬＤＤ４０（具体的には、ＬＤＤ４０の再生発光駆動信号ゲインアンプ４２）に出力し、かつ、青色レーザ光源１７の出力が所定の再生レーザ出力レベルになるような記録発光駆動信号をＬＤＤ４０（具体的には、ＬＤＤ４０の記録発光駆動信号切替ＳＷ４３を介して同時発光用ゲインアンプ４４）に出力することで、赤色レーザ光および青色レーザ光を同時に照射させる。
さらに、ディスク判別コントローラ（ディスク判別部）５１は、青色レーザ光用対物レンズ３１および赤色レーザ光用対物レンズ３０の位置を上昇させるための駆動信号を出力する。
【０１１９】
赤色レーザ光用フォーカスアクチュエータ３６は、ディスク判別コントローラ（ディスク判別部）５１から出力された駆動信号に対して駆動差加算部５８で所定の駆動量を加算した駆動信号により、赤色レーザ光用対物レンズ３０を上昇させる（赤色レーザ光用対物レンズ３０を光ディスク１に接近させる）。
また、青色レーザ光用フォーカスアクチュエータ３５は、ディスク判別コントローラ（ディスク判別部）５１から出力された駆動信号により、青色レーザ光用対物レンズ３１を上昇させる（青色レーザ光用対物レンズ３１を光ディスク１に接近させる）。
タイミングＴ２４において、赤色レーザ光の焦点がＨＤ−ＤＶＤの表面（対物レンズ３０および３１に対向する側の光ディスク１の表面）を通過し、通過時に赤色レーザ光用ディテクタ２４からの信号に基づいてフォーカスエラー信号が得られる。つまり、タイミングＴ２４近辺において、図１２のＷ１２１に示すような波形のフォーカスエラー信号が出力される。
【０１２０】
図１０（ａ）に示すように、赤色レーザ光の焦点が青色レーザ光の焦点よりも赤色レーザ光用対物レンズ３０および青色レーザ光用対物レンズ３１に対して法線方向（赤色レーザ光用対物レンズ３０および青色レーザ光用対物レンズ３１のそれぞれの光軸方向）に遠い側に焦点を結ぶような駆動オフセット値を駆動差加算部５８に設定するため、タイミングＴ２５において、青色レーザ光の焦点がＨＤ−ＤＶＤの表面（対物レンズ３０および３１に対向する側の光ディスク１の表面）を通過し、通過時に青色レーザ光用ディテクタ２５からの信号に基づいてフォーカスエラー信号が得られる。つまり、タイミングＴ２５近辺において、図１２のＷ１２３に示すような波形のフォーカスエラー信号が出力される。
タイミングＴ２６において、赤色レーザ光の焦点がＨＤ−ＤＶＤの情報面を通過し、通過時に赤色レーザ光用ディテクタ２４からの信号に基づいてフォーカスエラー信号が得られる。つまり、タイミングＴ２６近辺において、図１２のＷ１２２に示すような波形のフォーカスエラー信号が出力される。このとき得られるフォーカスエラー信号の振幅は一定レベルＬ５を超えないため、ディスク判別コントローラ（ディスク判別部）５１はディスク判別動作を続行する。
【０１２１】
タイミングＴ２７において、青色レーザ光の焦点がＨＤ−ＤＶＤの情報面を通過し、通過時に青色レーザ光用ディテクタ２５からの信号に基づいてフォーカスエラー信号が得られる。つまり、タイミングＴ２７近辺において、図１２のＷ１２４に示すような波形のフォーカスエラー信号が出力される。このとき得られるフォーカスエラー信号の振幅が一定レベルＬ６を超えた場合に、ディスク判別コントローラ（ディスク判別部）５１は装填されているディスクがＨＤ−ＤＶＤであると判定する。
光ディスク装置３００に装填されているディスクがＨＤ−ＤＶＤであると判定すると、ディスク判別コントローラ（ディスク判別部）５１はディスク判別動作を終了させる。
以上のように、光ディスク１の表面（対物レンズ３０および３１に対向する側の光ディスク１の表面）から情報面までの基材の厚さがほぼ等しく、対応するレーザ波長の異なるような複数種類のディスクを記録あるいは再生する光ディスク装置において、波長の異なる複数種類のレーザを同時発光させながら一度の対物レンズ移動（対物レンズを光ディスクに近づける、あるいは遠ざける駆動動作）だけで複数種類のディスクを判別するので、ディスク種類の判別に要する時間を短縮できる。
【０１２２】
さらに、対物レンズを２つ（赤色レーザ光用対物レンズ３０および青色レーザ光用対物レンズ３１）持ち、別々に駆動できる構成にし、波長の長い赤色レーザ光の焦点が波長の短い青色レーザ光の焦点より対物レンズ３０および３１に対して法線方向（赤色レーザ光用対物レンズ３０および青色レーザ光用対物レンズ３１のそれぞれの光軸方向）に遠い側に焦点を結ぶように両対物レンズ間に駆動差を持たせることで、ＤＶＤ情報面に赤色レーザ光の焦点を結ぶとき、ＤＶＤ情報面での青色レーザ光はぼやけるため（青色レーザ光の焦点が合っていない状態となるため）、ＤＶＤ情報面の記録情報の破壊を防ぐことができる。
また、対物レンズを２つ（対物レンズ３０および３１）持ち、別々に駆動できる構成のため、２つの対物レンズの焦点の差を自由に操作できるので（２つの対物レンズの焦点位置を自由に設定できるので）、対物レンズが１つの構成よりもさらに安全に情報面の記録情報の破壊を防ぐことができる。
【０１２３】
尚、波長の異なる２種のレーザ光であれば赤色レーザ光、青色レーザ光に限らずどのような波長のレーザ光を選択してもよい。
また、波長の異なる３種類以上のレーザ光を用いてもよい。
また、本実施形態では、光ディスク装置３００に装填されたディスクの種類を判別する例を示したが、記録密度や対応するレーザ波長の異なる複数の情報面を１つのディスクに持つ場合には、どの種類の情報面を持つディスクであるか判別するようにしてもよい。
また、本実施形態では、レーザ波長毎に前光モニタを持たせていたが、前光モニタを１つにして、レーザを低出力で照射させるようにしてもよい。
また、本実施形態では、赤色レーザ光の焦点が青色レーザ光の焦点より対物レンズ３０および３１に対して法線方向（赤色レーザ光用対物レンズ３０および青色レーザ光用対物レンズ３１のそれぞれの光軸方向）に遠い側に焦点を結ぶような駆動オフセット値を駆動差加算部５８に設定する例を示したが、赤色レーザ光の焦点が青色レーザ光の焦点より対物レンズ３０および３１に対して法線方向（赤色レーザ光用対物レンズ３０および青色レーザ光用対物レンズ３１のそれぞれの光軸方向）に近い側に焦点を結ぶような駆動オフセット値を駆動差加算部５８に設定し、ディスク判別動作時の青色レーザ光用対物レンズ３１および赤色レーザ光用対物レンズ３０の位置を光ディスク１の表面近傍から遠ざける方向に移動させるようにしてもよい。
【０１２４】
また、ディスク判別時に記録発光駆動信号でレーザ発光する場合は、記録発光駆動信号に対して高周波重畳してもよい。
また、本実施形態では、ディスク判別時の再生発光駆動信号および記録発光駆動信号が制御する対象のレーザ光源をそれぞれ固定にしていたが、自由に選択するようにしてもよい。
［第４実施形態］
第４の実施形態について、図１３から図１６を用いて説明する。
＜４．１：光ディスク装置の構成＞
図１３は、本実施形態に係る光ディスク装置４００の構成を示すブロック図である。
光ディスク装置４００は、主に、光ヘッド４０１０と、ＬＤＤ４０４０と、レーザ制御部５５と、サーボ信号生成部５７と、ディスク判別部５２と、駆動差加算部５８とから構成される。
【０１２５】
光ヘッド４０１０は、主に、赤外レーザ光源１１、赤外レーザ光用ビームスプリッタ１３、赤外レーザ光用前光モニタ１５、赤色レーザ光源１２、赤色レーザ光用ビームスプリッタ１４、赤色レーザ光用前光モニタ１６、青色レーザ光源１７、青色レーザ光用ビームスプリッタ１８、青色レーザ光用前光モニタ１９、照射用ビームスプリッタ２０、ディテクタ用ビームスプリッタ２１、ディテクタ用ビームスプリッタ２２、光路切替器３９、赤外レーザ光用ディテクタ２３、赤色レーザ光用ディテクタ２４、青色レーザ光用ディテクタ２５、青色レーザ光用ディテクタ２６、高ＮＡ対物レンズ３２、低ＮＡ対物レンズ３３、高ＮＡ用フォーカスアクチュエータ３７、および低ＮＡ用フォーカスアクチュエータ３８から構成される。
ＬＤＤ４０４０は、主に、再生発光駆動信号ゲインアンプ４２、記録発光駆動信号ゲインアンプ４５、同時発光用ゲインアンプ４４、記録発光駆動信号切替ＳＷ４３、同時発光用ゲインアンプ４７、記録発光駆動信号ゲインアンプ４８、記録発光駆動信号切替ＳＷ４６、発光レーザ選択ＳＷ４９、第１加算器４０１、第２加算器４０２、第３加算器４０３、および第４加算器４０４から構成される。
【０１２６】
なお、背景技術および前述の実施形態と同様の機能を有するものについては、同じ番号を付し、詳細な説明を省略する。
本実施形態において、背景技術および前述の実施形態と異なるのは、レーザコントローラ（レーザ制御部）５５、サーボ信号生成部５７、ディスク判別部５２、光ヘッド４０１０、ＬＤＤ４０４０を用いることで、複数波長のレーザを同時発光しながら少数回数の対物レンズ動作（対物レンズを光ディスク１に近づける、あるいは遠ざける駆動動作）で複数のディスク種類の判別を短時間ででき、かつ情報面の記録情報破壊をより確実に回避できるところである。特に、光ヘッド４０１０に備えられた高ＮＡ対物レンズ３２、低ＮＡ対物レンズ３３を用いて、複数波長のレーザを同時発光しながら少数回数の対物レンズ動作（対物レンズ３２および３３を光ディスクに近づける、あるいは遠ざける駆動動作）で複数のディスク種類の判別を短時間ででき、かつ情報面の記録情報破壊をより確実に回避できるところである。
【０１２７】
青色レーザ光源１７は、波長約４０５［ｎｍ］の青色レーザ光を照射する。青色レーザ光用ビームスプリッタ１８は、青色レーザ光を光路切替器３９および青色レーザ光用前光モニタ１９に分光する。青色レーザ光用前光モニタ１９は、照射された青色レーザ光の出力パワーを検出する。そして、青色レーザ光用前光モニタ１９の出力は、レーザ制御部５５に入力される。
光路切替器３９がＯＮ状態の場合、光路切替器３９に照射された青色レーザ光は、高ＮＡ対物レンズ３２へ照射され、高ＮＡ対物レンズ３２によって光ディスク１の情報面上に収束される。光ディスク１によって反射した青色レーザ光は、光路切替器３９を通過して青色レーザ光用ディテクタ２５に照射される
光路切替器３９がＯＦＦ状態の場合、光路切替器３９に照射された青色レーザ光は、照射用ビームスプリッタ２０へ照射される。照射用ビームスプリッタ２０に照射された青色レーザ光は、照射用ビームスプリッタ２０により低ＮＡ対物レンズ３３へ照射され、低ＮＡ対物レンズ３３によって光ディスク１の情報面上に収束される。光ディスク１によって反射した青色レーザ光は、照射用ビームスプリッタ２０およびディテクタ用ビームスプリッタ２１を通過して青色レーザ光用ディテクタ２６に照射される。
【０１２８】
なお、光路切替器３９は、例えば、ＯＮ状態の場合、ビームスプリッタをレーザ光の光路（図１３の３９の位置）に挿入し、ＯＦＦ状態の場合、ビームスプリッタをレーザ光の光路外に待避させる（図１３の３９の位置には何も存在しない状態にするのと等価。）ことで実現することができる。
赤色レーザ光源１２は、波長約６５０［ｎｍ］の赤色レーザを照射する。赤色レーザ光用ビームスプリッタ１４は、赤色レーザ光を照射用ビームスプリッタ２０および赤色レーザ光用前光モニタ１６に分光する。赤色レーザ光用前光モニタ１６は、照射された赤色レーザの出力パワーを検出する。そして、赤色レーザ光用前光モニタ１６の出力は、レーザ制御部５５に入力される。
照射用ビームスプリッタ２０で分光された赤色レーザ光は、照射用ビームスプリッタ２０により低ＮＡ対物レンズ３３へ照射され、低ＮＡ対物レンズ３３によって光ディスク１の情報面上に収束される。光ディスク１によって反射した赤色レーザは、照射用ビームスプリッタ２０を通過し、ディテクタ用ビームスプリッタ２２により赤色レーザ光用ディテクタ２４に照射される。
【０１２９】
赤外レーザ光源１１は、波長約７８０［ｎｍ］の赤外レーザを照射する。赤外レーザ光用ビームスプリッタ１３は、赤外レーザ光を照射用ビームスプリッタ２０および赤外レーザ光用前光モニタ１５に分光する。赤外レーザ光用前光モニタ１５は、照射された赤外レーザの出力パワーを検出する。そして、赤外レーザ光用前光モニタ１５の出力は、レーザ制御部５５に入力される。
照射用ビームスプリッタ２０で分光された赤外レーザ光は、照射用ビームスプリッタ２０により低ＮＡ対物レンズ３３へ照射され、低ＮＡ対物レンズ３３によって光ディスク１の情報面上に収束される。光ディスク１によって反射した赤外レーザ光は、照射用ビームスプリッタ２０を通過し、ディテクタ用ビームスプリッタ２１により赤外レーザ光用ディテクタ２３に照射される。
【０１３０】
高ＮＡ対物レンズ３２は、高ＮＡ用フォーカスアクチュエータ３７により駆動される。
低ＮＡ対物レンズ３３は、低ＮＡ用フォーカスアクチュエータ３８により駆動される。
レーザコントローラ（レーザ制御部）５５は、再生時において、青色レーザ光用前光モニタ１９で検出された青色レーザ出力（青色レーザ光の出力パワーのレベル）および赤色レーザ光用前光モニタ１６で検出された赤色レーザ出力（赤色レーザ光の出力パワーのレベル）および赤外レーザ光用前光モニタ１５で検出された赤外レーザ出力（赤外レーザ光の出力パワーのレベル）が所定の再生レーザ出力レベルになるような再生発光駆動信号をＬＤＤ４０４０へ出力する。レーザ制御部５５は、記録時において、青色レーザ光用前光モニタ１９で検出された青色レーザ出力、赤色レーザ光用前光モニタ１６で検出した赤色レーザ出力および赤外レーザ光用前光モニタ１５で検出した赤外レーザ出力が所定の記録レーザ出力レベルになるような再生発光駆動信号、第一記録発光駆動信号および第二記録発光駆動信号をＬＤＤ４０４０へ出力する。
【０１３１】
ＬＤＤ４０４０は、再生時には、再生発光駆動信号に再生発光駆動信号ゲインアンプ４２のゲインを掛けることで増幅されたレーザ駆動のための信号を青色レーザ光源１７あるいは赤色レーザ光源１２あるいは赤外レーザ光源１１へ出力する（発光レーザ選択ＳＷ４９において、ｃ側を選択させれば青色レーザ光源へ、ｄ側を選択させれば赤色レーザ光源へ、ｅ側を選択させれば赤外レーザ光源へ、レーザ駆動のための信号を出力させることができる）。
ＬＤＤ４０４０は、記録時には、再生発光駆動信号に再生発光駆動信号ゲインアンプ４２のゲインを掛けて増幅させたレーザ駆動のための信号と、第一記録発光駆動信号に記録発光駆動信号ゲインアンプ４５のゲインを掛けることで増幅されたレーザ駆動のための信号と、第ニ記録発光駆動信号に記録発光駆動信号ゲインアンプ４８のゲインを掛けることで増幅されたレーザ駆動のための信号とを加算したレーザ駆動のための信号を、青色レーザ光源１７あるいは赤色レーザ光源１２あるいは赤外レーザ光源１１へ出力する（発光レーザ選択ＳＷ４９において、ｃ側を選択させれば青色レーザ光源へ、ｄ側を選択させれば赤色レーザ光源へ、ｅ側を選択させれば赤外レーザ光源へ、レーザ駆動のための信号を出力させることができる）。この場合、記録発光駆動信号切替ＳＷ４３ではａ側が、記録発光駆動信号切替ＳＷ４６ではｆ側が、それぞれ選択されている。
【０１３２】
ＬＤＤ４０４０の記録発光駆動信号切替ＳＷ４３は、通常は第一記録発光駆動信号が記録発光駆動信号ゲインアンプ４５に接続される設定（ａ側が選択された状態）になっており、記録発光駆動信号切替ＳＷ４６は、通常は第二記録発光駆動信号が記録発光駆動信号ゲインアンプ４８に接続される設定（ｆ側が選択された状態）になっている。
ディスク判別コントローラ（ディスク判別部）５２は、ＬＤＤ４０４０が再生発光駆動信号に再生発光駆動信号ゲインアンプ４２のゲインを掛けることで増幅されたレーザ駆動のための信号を青色レーザ光源１７に出力するようにＬＤＤ４０４０の発光レーザ選択ＳＷ４９を切替え、ＬＤＤ４０４０が第一記録発光駆動信号に同時発光用ゲインアンプ４４のゲインを掛けることで増幅されたレーザ駆動のための信号を赤色レーザ光源１２に出力するようにＬＤＤ４０４０の記録発光駆動信号切替ＳＷ４３を切替え、ＬＤＤ４０４０が第二記録発光駆動信号に同時発光用ゲインアンプ４７のゲインを掛けることで増幅されたレーザ駆動のための信号を赤外レーザ光源１１に出力するようにＬＤＤ４０４０の記録発光駆動信号切替ＳＷ４６を切替える。
【０１３３】
ディスク判別動作を行う場合、ディスク判別コントローラ（ディスク判別部）５２は、ＬＤＤ４０４０が再生発光駆動信号ゲインアンプ４２により増幅された再生発光駆動信号を青色レーザ光源１７に出力するように発光レーザ選択ＳＷ４９を切替え（発光レーザ選択ＳＷ４９をｃ側に切替え）、かつ、ＬＤＤ４０４０が同時発光用ゲインアンプ４４により増幅された第一記録発光駆動信号を赤色レーザ光源１２に出力するように記録発光駆動信号切替ＳＷ４３を切替え（記録発光駆動信号切替ＳＷ４３をｂ側に切替え）、かつ、ＬＤＤ４０４０が同時発光用ゲインアンプ４７により増幅された第二記録発光駆動信号を赤外レーザ光源１１に出力するように記録発光駆動信号切替ＳＷ４６を切替える（記録発光駆動信号切替ＳＷ４６をｇ側に切替える）。これにより、光ディスク装置４００において、赤外レーザ光、赤色レーザ光および青色レーザ光を同時に発光させて、光ディスク１に照射することが可能となる。
【０１３４】
さらに、ディスク判別コントローラ（ディスク判別部）５２は、レーザコントローラ（レーザ制御部）５５に対して青色レーザ光源１７の出力、赤色レーザ光源１２の出力および赤外レーザ光源１１の出力を制御するレーザ制御モード切替信号を出力する。レーザコントローラ（レーザ制御部）５５は、ディスク判別コントローラ（ディスク判別部）５２からレーザ制御モード切替信号を受けると、青色レーザ光源１７の出力が所定の再生レーザ出力レベルになるような再生発光駆動信号をＬＤＤ４０４０（具体的には、ＬＤＤ４０４０の再生発光駆動信号ゲインアンプ４２）に出力し、赤色レーザ光源１２の出力が所定の再生レーザ出力レベルになるような第一記録発光駆動信号をＬＤＤ４０４０（具体的には、ＬＤＤ４０４０の記録発光駆動信号切替ＳＷ４３を介して同時発光用ゲインアンプ４４）に出力し、赤外レーザ光源１１の出力が所定の再生レーザ出力レベルになるような第二記録発光駆動信号をＬＤＤ４０４０（具体的には、ＬＤＤ４０４０の記録発光駆動信号切替ＳＷ４６を介して同時発光用ゲインアンプ４７）に出力することで、青色レーザ光、赤色レーザ光および赤外レーザ光を同時に照射させる。
【０１３５】
また、ディスク判別コントローラ（ディスク判別部）５２は、高ＮＡ対物レンズ３２と低ＮＡ対物レンズ３３とを上下駆動（遠近駆動）させるための駆動信号を駆動差加算部５８および高ＮＡ用フォーカスアクチュエータ３７へ出力する。駆動差加算部５８は、ディスク判別コントローラ（ディスク判別部）５２からの駆動出力（駆動信号の出力）に、所定レベルの信号をオフセットさせて（加算して）低ＮＡ用フォーカスアクチュエータ３８へ出力する。
また、ディスク判別コントローラ（ディスク判別部）５２は、光路切替器３９の状態をＯＮあるいはＯＦＦに切替えるための光路切替信号を出力する（入出力経路および接続関係については図示せず）。そして、光路切替器は、ディスク判別部５２からの光路切替信号により、ＯＮ状態とＯＦＦ状態とを切り替える。
【０１３６】
サーボ信号生成回路（サーボ信号生成部）５７は、青色レーザ光用ディテクタ２５、青色レーザ光用ディテクタ２６、赤色レーザ光用ディテクタ２４および赤外レーザ光用ディテクタ２３からの出力よりサーボ信号を生成しディスク判別部５２に出力する。
ディスク判別コントローラ（ディスク判別部）５２は、サーボ信号生成回路（サーボ信号生成部）５７で生成されたサーボ信号に基づき、装填されているディスクの種類を判別する。
ＬＤＤ４０４０において、記録発光駆動信号ゲインアンプ４５および４８では再生レーザ発光するには増幅率が高すぎ、また分解能が粗いため、第一記録発光駆動信号および第二記録発光駆動信号に対して同時発光用ゲインアンプ４４および４７を使用して駆動信号を増幅する。つまり、再生レーザ発光させる場合に適した増幅率を有する同時発光用ゲインアンプ４４および４７により増幅された第一記録発光駆動信号および第二記録発光駆動信号を使用して、赤色レーザ光源１２および赤外レーザ光源１１を駆動する。
【０１３７】
なお、第１加算器４０１、第２加算器４０２、記録発光駆動信号切替ＳＷ４３については、前述の実施形態で説明したものと同様であるので、詳細な説明を省略する。
また、第３加算器４０３は、第１加算器と同様のものであり、第４加算器４０４は、第２加算器と同様のものであり、記録発光駆動信号切替ＳＷ４６は、記録発光駆動信号切替ＳＷ４３と同様のものである。また、発光レーザ選択ＳＷ４９は、発光レーザ選択ＳＷ４１（１入力２出力のセレクタ）と同様の機能を有するものであり、１入力３出力のセレクタである点のみが発光レーザ選択ＳＷ４１と異なる。
＜４．２：光ディスク装置の動作＞
（４．２．１：ディスク判別動作（ＨＤ−ＤＶＤの場合））
次に、図１４および図１５を用いて、光ディスク装置４００に装填されているディスクがＨＤ−ＤＶＤである場合の、複数レーザ同時発光によるディスク判別の動作について詳細に説明する。
【０１３８】
図１４（ａ）は、光ディスク１の表面（対物レンズ３２および３３に対向する側の光ディスク１の表面）から約０．６ｍｍの位置に情報面を持つＨＤ−ＤＶＤと、高ＮＡ対物レンズ３２から青色レーザ光を発光および収束させると同時に、低ＮＡ対物レンズ３３から赤色レーザ光および赤外レーザ光を同時発光および収束させたレーザ光を示す模式図である。
図１４（ｂ）は、光ディスク１の表面（対物レンズ３２および３３に対向する側の光ディスク１の表面）から約０．６ｍｍの位置に情報面を持つＨＤ−ＤＶＤと、低ＮＡ対物レンズ３３から青色レーザ光を発光および収束させたレーザ光を示す模式図である。
図１５に、ＨＤ−ＤＶＤに対して高ＮＡ対物レンズ３２から青色レーザ光を発光させると同時に、低ＮＡ対物レンズ３３から赤色レーザ光および赤外レーザ光を同時発光させた状態で、高ＮＡ対物レンズ３２および低ＮＡ対物レンズ３３を駆動させたときの高ＮＡ対物レンズ位置およびフォーカスエラー信号と、その後、低ＮＡ対物レンズ３３から青色レーザ光を発光させた状態で、高ＮＡ対物レンズ３２および低ＮＡ対物レンズ３３を駆動させたときの高ＮＡ対物レンズ位置およびフォーカスエラー信号とを示す。
【０１３９】
図１５（１）は、横軸を時間に、縦軸を高ＮＡ対物レンズ３２の位置とした、時間と高ＮＡ対物レンズ３２の位置との関係を示す図である。具体的には、図１５（１）は、高ＮＡ対物レンズ３２から青色レーザ光を発光させると同時に、低ＮＡ対物レンズ３３から赤色レーザ光および赤外レーザ光を同時発光させた状態で、ＨＤ−ＤＶＤに高ＮＡ対物レンズ３２および低ＮＡ対物レンズ３３を接近させたときの高ＮＡ対物レンズ３２の位置信号を示している。
図１５（２）は、横軸を時間に、縦軸をフォーカスエラー信号レベルとした、時間とフォーカスエラー信号レベルとの関係との関係を示す図である。具体的には、図１５（２）は、高ＮＡ対物レンズ３２から青色レーザ光を発光させると同時に、低ＮＡ対物レンズ３３から赤色レーザ光および赤外レーザ光を同時発光させた状態で、ＨＤ−ＤＶＤに高ＮＡ対物レンズ３２および低ＮＡ対物レンズ３３を接近させたときのサーボ信号生成回路（サーボ信号生成部）５７が赤外レーザ光用ディテクタ２３の出力から生成するフォーカスエラー信号（図１３の信号線Ｐ１により送信される信号に相当。）を示している。
【０１４０】
図１５（３）は、横軸を時間に、縦軸をフォーカスエラー信号レベルとした、時間とフォーカスエラー信号レベルとの関係を示す図である。具体的には、図１５（３）は、高ＮＡ対物レンズ３２から青色レーザ光を発光させると同時に、低ＮＡ対物レンズ３３から赤色レーザ光および赤外レーザ光を同時発光させた状態で、ＨＤ−ＤＶＤに高ＮＡ対物レンズ３２および低ＮＡ対物レンズ３３を接近させたときのサーボ信号生成回路（サーボ信号生成部）５７が赤色レーザ光用ディテクタ２４の出力から生成するフォーカスエラー信号（図１３の信号線Ｐ２により送信される信号に相当。）を示している。
図１５（４）は、横軸を時間に、縦軸をフォーカスエラー信号レベルとした、時間とフォーカスエラー信号レベルとの関係を示す図である。具体的には、図１５（４）は、高ＮＡ対物レンズ３２から青色レーザ光を発光させると同時に、低ＮＡ対物レンズ３３から赤色レーザ光および赤外レーザ光を同時発光させた状態で、ＨＤ−ＤＶＤに高ＮＡ対物レンズ３２および低ＮＡ対物レンズ３３を接近させたときのサーボ信号生成回路（サーボ信号生成部）５７が青色レーザ光用ディテクタ２５の出力から生成するフォーカスエラー信号（図１３の信号線Ｐ３により送信される信号に相当。）を示している。
【０１４１】
図１５（５）は、横軸を時間に、縦軸をフォーカスエラー信号レベルとした、時間とフォーカスエラー信号レベルとの関係を示す図である。具体的には、図１５（５）は、低ＮＡ対物レンズ３３から青色レーザ光を発光させた状態で、ＨＤ−ＤＶＤに高ＮＡ対物レンズ３２および低ＮＡ対物レンズ３３を接近させたときのサーボ信号生成回路（サーボ信号生成部）５７が青色レーザ光用ディテクタ２６の出力から生成するフォーカスエラー信号（図１３の信号線Ｐ４により送信される信号に相当。）を示している。
図１５（６）は、横軸を時間に、縦軸を光路切替信号レベルとした、時間と光路切替信号レベルとの関係を示す図である。具体的には、図１５（６）は、高ＮＡ対物レンズ３２から青色レーザ光を発光すると同時に、低ＮＡ対物レンズ３３から赤色レーザ光および赤外レーザ光を同時発光させた状態で、高ＮＡ対物レンズ３２および低ＮＡ対物レンズ３３を駆動させ、その後、低ＮＡ対物レンズ３３から青色レーザ光を発光させた状態で、高ＮＡ対物レンズ３２および低ＮＡ対物レンズ３３を駆動させたときの青色レーザ光を高ＮＡ対物レンズ３２あるいは低ＮＡ対物レンズ３３のどちらから出力されているかの状態を示している。つまり、図１５（６）において、時刻Ｔ２８からＴ３４までの期間では、青色レーザ光は、高ＮＡ対物レンズ３２から出力されており、時刻Ｔ３４以降の期間では、青色レーザ光は、低ＮＡ対物レンズ３３から出力されていることを示している。
【０１４２】
ディスク判別開始タイミングＴ２８において、ディスク判別コントローラ（ディスク判別部）５２がディスク判別動作を開始する。ディスク判別コントローラ（ディスク判別部）５２は、ＬＤＤ４０４０が再生発光駆動信号に再生発光駆動信号ゲインアンプ４２のゲインを掛けることで増幅されたレーザ駆動のための信号を青色レーザ光源１７に出力するようにＬＤＤ４０４０の発光レーザ選択ＳＷ４９を切替え（発光レーザ選択ＳＷ４９のｃ側に切り替え）、ＬＤＤ４０４０が第一記録発光駆動信号に同時発光用ゲインアンプ４４のゲインを掛けることで増幅されたレーザ駆動のための信号を赤色レーザ光源１２に出力するようにＬＤＤ４０４０の記録発光駆動信号切替ＳＷ４３を切替え（記録発光駆動信号切替ＳＷ４３をｂ側に切り替え）、ＬＤＤ４０４０が第二記録発光駆動信号に同時発光用ゲインアンプ４７のゲインを掛けることで増幅されたレーザ駆動を赤外レーザ光源１１に出力するようにＬＤＤ４０４０の記録発光駆動信号切替ＳＷ４６を切替える（記録発光駆動信号切替ＳＷ４６をｇ側に切り替える）。なお、ここで、記録発光駆動信号切替ＳＷ４３のｂ側および記録発光駆動信号切替ＳＷ４６のｇ側を選択しているので、記録発光駆動信号ゲインアンプ４５および４８からは何も出力されない。したがって、第１加算器４０１の出力は、再生発光駆動信号ゲインアンプ４２の出力そのものとなり、再生発光駆動信号ゲインアンプ４２の出力を発光レーザ選択ＳＷ４９の入力に直結した状態と同じになる。
【０１４３】
さらに、ディスク判別コントローラ（ディスク判別部）５２は、レーザコントローラ（レーザ制御部）５５に対してレーザ制御モード切替信号を出力する。レーザコントローラ（レーザ制御部）５５は、ディスク判別コントローラ（ディスク判別部）５２からレーザ制御モード切替信号を受けると、青色レーザ光源１７の出力が所定の再生レーザ出力レベルになるような再生発光駆動信号をＬＤＤ４０４０（具体的には、ＬＤＤ４０４０の再生発光駆動信号ゲインアンプ４２）に出力し、赤色レーザ光源１２の出力が所定の再生レーザ出力レベルになるような第一記録発光駆動信号をＬＤＤ４０４０（具体的には、ＬＤＤ４０４０の記録発光駆動信号切替ＳＷ４３を介して同時発光用ゲインアンプ４４）に出力し、赤外レーザ光源１１の出力が所定の再生レーザ出力レベルになるような第二記録発光駆動信号をＬＤＤ４０４０（具体的には、ＬＤＤ４０４０の記録発光駆動信号切替ＳＷ４６を介して同時発光用ゲインアンプ４７）に出力することで、青色レーザ光、赤色レーザ光および赤外レーザ光を同時に照射させる。
【０１４４】
さらに、ディスク判別コントローラ（ディスク判別部）５２は、高ＮＡ対物レンズ３２および低ＮＡ対物レンズ３３の位置を上昇させるための駆動信号を出力する。高ＮＡ用フォーカスアクチュエータ３７は、ディスク判別コントローラ（ディスク判別部）５２から出力された駆動信号により、高ＮＡ用対物レンズ３２を上昇させる（高ＮＡ用対物レンズ３２を光ディスク１に接近させる）。また、低ＮＡ用フォーカスアクチュエータ３８は、ディスク判別コントローラ（ディスク判別部）５２から出力された駆動信号に対して駆動差加算部５８で所定の駆動量を加算した駆動信号により、低ＮＡ対物レンズ３３を上昇させる（低ＮＡ対物レンズ３３を光ディスク１に接近させる）。
タイミングＴ２９において、赤外レーザ光の焦点がＨＤ−ＤＶＤの表面（対物レンズ３２および３３に対向する側の光ディスク１の表面）を通過し、通過時に赤外レーザ光用ディテクタ２３からの信号に基づいてフォーカスエラー信号が得られる。つまり、タイミングＴ２９近辺において、図１５のＷ１５１に示すような波形のフォーカスエラー信号が出力される。
【０１４５】
図１４（ａ）に示すように、赤外レーザ光の焦点が赤色レーザ光の焦点より低ＮＡ対物レンズ３３に対して法線方向（低ＮＡ対物レンズ３３の光軸方向）に遠い側に焦点を結ぶような低ＮＡ対物レンズ３３を使用し、低ＮＡ対物レンズ３３で収束される赤色レーザ光焦点が高ＮＡ対物レンズ３２で収束される青色レーザ光の焦点より対物レンズ３２および３３に対して法線方向（対物レンズ３２および３３のそれぞれ光軸方向）に遠い側に焦点を結ぶような駆動オフセット値を駆動差加算部５８に設定するため、タイミングＴ３０において、赤色レーザ光の焦点がＨＤ−ＤＶＤの表面（対物レンズ３２および３３に対向する側の光ディスク１の表面）を通過し、通過時に赤色レーザ光用ディテクタ２４からの信号に基づいてフォーカスエラー信号が得られる。つまり、タイミングＴ３０近辺において、図１５のＷ１５３に示すような波形のフォーカスエラー信号が出力される。
【０１４６】
また、タイミングＴ３１において、青色レーザ光の焦点がＨＤ−ＤＶＤの表面（対物レンズ３２および３３に対向する側の光ディスク１の表面）を通過し、通過時に青色レーザ光用ディテクタ２５からの信号に基づいてフォーカスエラー信号が得られる。つまり、タイミングＴ３１近辺において、図１５のＷ１５５に示すような波形のフォーカスエラー信号が出力される。このとき得られるフォーカスエラー信号の振幅は一定レベルＬ９を超えないため、ディスク判別コントローラ（ディスク判別部）５２はディスク判別動作を続行する。
タイミングＴ３２において、赤外レーザ光の焦点がＨＤ−ＤＶＤの情報面を通過し、通過時に赤外レーザ光用ディテクタ２３からの信号に基づいてフォーカスエラー信号が得られる。つまり、タイミングＴ３２近辺において、図１５のＷ１５２に示すような波形のフォーカスエラー信号が出力される。このとき得られるフォーカスエラー信号の振幅は一定レベルＬ７を超えないため、ディスク判別コントローラ（ディスク判別部）５２はディスク判別動作を続行する。
【０１４７】
次に、タイミングＴ３３において、赤色レーザ光の焦点がＨＤ−ＤＶＤの情報面を通過し、通過時に赤色レーザ光用ディテクタ２４からの信号に基づいてフォーカスエラー信号が得られる。つまり、タイミングＴ３３近辺において、図１５のＷ１５４に示すような波形のフォーカスエラー信号が出力される。このとき得られるフォーカスエラー信号の振幅は一定レベルＬ８を超えないため、ディスク判別コントローラ（ディスク判別部）５２はディスク判別動作を続行する。
ディスク判別コントローラ（ディスク判別部）５２は、高ＮＡ対物レンズ３２および低ＮＡ対物レンズ３３の上昇を続行させるため、タイミングＴ３４において、高ＮＡ対物レンズ３２あるいは低ＮＡ対物レンズ３３は、あらかじめ設定された位置リミットに達する。そのため、ディスク判別コントローラ（ディスク判別部）５２は、高ＮＡ対物レンズ３２および低ＮＡ対物レンズ３３の上昇（光ディスク１への接近駆動動作）をやめ、高ＮＡ対物レンズ３２および低ＮＡ対物レンズ３３を下降させる（光ディスク１から遠ざけるように駆動させる）。そして、高ＮＡ対物レンズ３２および低ＮＡ対物レンズ３３の位置を、図１５のタイミングＴ２８における位置まで戻す。
【０１４８】
次に、ディスク判別コントローラ（ディスク判別部）５２は、発光させている赤色レーザ光および赤外レーザ光を消光させ、光路切替信号を出力することで光路切替器３９をＯＦＦ状態にする。
つまり、ディスク判別コントローラ（ディスク判別部）５２は、対物レンズ位置が位置リミットに達したことにより、高ＮＡ対物レンズ３２から青色レーザ光を発光させると同時に低ＮＡ対物レンズ３３から赤色レーザ光および赤外レーザ光を同時発光させた状態から、低ＮＡ対物レンズ３３から青色レーザを発光させた状態に切替える。
低ＮＡ対物レンズ３３から青色レーザ光を発光させた状態で、ディスク判別コントローラ（ディスク判別部）５２は、ふたたび高ＮＡ対物レンズ３２および低ＮＡ対物レンズ３３を上昇させる（光ディスク１に接近させる）。
【０１４９】
タイミングＴ３５において、青色レーザ光の焦点がＨＤ−ＤＶＤの表面（対物レンズ３２および３３に対向する側の光ディスク１の表面）を通過し、通過時に青色レーザ光用ディテクタ２６からの信号に基づいてフォーカスエラー信号が得られる。つまり、タイミングＴ３５近辺において、図１５のＷ１５６に示すような波形のフォーカスエラー信号が出力される。
タイミングＴ３６において、青色レーザ光の焦点がＨＤ−ＤＶＤの情報面を通過し、通過時に青色レーザ光用ディテクタ２６からの信号に基づいてフォーカスエラー信号が得られる。つまり、タイミングＴ３６近辺において、図１５のＷ１５７に示すような波形のフォーカスエラー信号が出力される。このとき得られるフォーカスエラー信号の振幅が一定レベルＬ１０を超えた場合に、ディスク判別コントローラ（ディスク判別部）５２は、装填されているディスクがＨＤ−ＤＶＤであると判定する。
【０１５０】
以上のように、光ディスク１の表面（対物レンズ３２および３３に対向する側の光ディスク１の表面）から情報面までの基材の厚さがほぼ等しいあるいは異なり、対応するレーザ波長の異なるような複数種類のディスクを記録あるいは再生する光ディスク装置において、波長の異なる複数種類のレーザを同時発光させながら少ない回数の対物レンズ移動（対物レンズを光ディスクに近づける、あるいは遠ざける駆動動作）だけで複数種類のディスクを判別するので、ディスク種類の判別に要する時間を短縮できる。
さらに、ディスク判別動作の前半でＢｌｕ−ｒａｙディスクおよびＤＶＤおよびＣＤの判別を同時に行い、その後にＨＤ−ＤＶＤの判別を行うことで、ＨＤ−ＤＶＤの青色レーザ光によるＤＶＤ情報面の記録情報の破壊を確実に回避することができる。
尚、本実施形態では、光ディスク装置４００に装填されたディスクの種類を判別する例を示したが、記録密度や対応するレーザ波長の異なる複数の情報面を１つのディスクに持つ場合には、どの種類の情報面を持つディスクであるか判別するようにしてもよい。
【０１５１】
また、本実施形態では、レーザ波長毎に前光モニタを持たせていたが、前光モニタを１つにして、レーザを低出力で照射させるようにしてもよい。
また、本実施形態では、赤外レーザ光の焦点が赤色レーザ光の焦点より対物レンズ３３に対して法線方向（対物レンズ３３の光軸方向）に遠い側に焦点を結ぶような低ＮＡ対物レンズ３３を使用する例を示したが、赤外レーザ光の焦点が赤色レーザ光の焦点より対物レンズ３３に対して法線方向（対物レンズの光軸方向）に近い側に焦点を結ぶような低ＮＡ対物レンズ３３を使用し、ディスク判別動作時の低ＮＡ対物レンズ３３の位置を光ディスク１の表面近傍から遠ざける方向に移動させるようにしてもよい。
また、ディスク判別時に記録発光駆動信号でレーザ発光させる場合は、記録発光駆動信号に対して高周波重畳してもよい。
【０１５２】
また、本実施形態では、ディスク判別時の再生発光駆動信号および記録発光駆動信号が制御する対象のレーザ光源をそれぞれ固定にしていたが、自由に選択するようにしてもよい。
（４．２．２：ディスク判別動作（ＢＤの場合））
次に、図１６を用いて、光ディスク装置４００に装填されているディスクがＢＤである場合の、複数レーザ同時発光によるディスク判別の動作について説明する。
なお、ＢＤは、光ディスク１の表面（対物レンズ３２および３３に対向する側の光ディスク１の表面）から約０．１ｍｍの位置に情報面を持つ。
図１６に、ＢＤに対して高ＮＡ対物レンズ３２から青色レーザ光を発光させると同時に、低ＮＡ対物レンズ３３から赤色レーザ光および赤外レーザ光を同時発光させた状態で、高ＮＡ対物レンズ３２および低ＮＡ対物レンズ３３を駆動させたときの高ＮＡ対物レンズ位置およびフォーカスエラー信号とを示す。
【０１５３】
図１６（１）は、横軸を時間に、縦軸を高ＮＡ対物レンズ３２の位置とした、時間と高ＮＡ対物レンズ３２の位置との関係を示す図である。具体的には、図１６（１）は、高ＮＡ対物レンズ３２から青色レーザ光を発光させると同時に、低ＮＡ対物レンズ３３から赤色レーザ光および赤外レーザ光を同時発光させた状態で、ＢＤに高ＮＡ対物レンズ３２および低ＮＡ対物レンズ３３を接近させたときの高ＮＡ対物レンズ３２の位置信号を示している。
図１６（２）は、横軸を時間に、縦軸をフォーカスエラー信号レベルとした、時間とフォーカスエラー信号レベルとの関係との関係を示す図である。具体的には、図１６（２）は、高ＮＡ対物レンズ３２から青色レーザ光を発光させると同時に、低ＮＡ対物レンズ３３から赤色レーザ光および赤外レーザ光を同時発光させた状態で、ＢＤに高ＮＡ対物レンズ３２および低ＮＡ対物レンズ３３を接近させたときのサーボ信号生成回路（サーボ信号生成部）５７が赤外レーザ光用ディテクタ２３の出力から生成するフォーカスエラー信号（図１３の信号線Ｐ１により送信される信号に相当。）を示している。
【０１５４】
図１６（３）は、横軸を時間に、縦軸をフォーカスエラー信号レベルとした、時間とフォーカスエラー信号レベルとの関係を示す図である。具体的には、図１６（３）は、高ＮＡ対物レンズ３２から青色レーザ光を発光させると同時に、低ＮＡ対物レンズ３３から赤色レーザ光および赤外レーザ光を同時発光させた状態で、ＢＤに高ＮＡ対物レンズ３２および低ＮＡ対物レンズ３３を接近させたときのサーボ信号生成回路（サーボ信号生成部）５７が赤色レーザ光用ディテクタ２４の出力から生成するフォーカスエラー信号（図１３の信号線Ｐ２により送信される信号に相当。）を示している。
図１６（４）は、横軸を時間に、縦軸をフォーカスエラー信号レベルとした、時間とフォーカスエラー信号レベルとの関係を示す図である。具体的には、図１６（４）は、高ＮＡ対物レンズ３２から青色レーザ光を発光させると同時に、低ＮＡ対物レンズ３３から赤色レーザ光および赤外レーザ光を同時発光させた状態で、ＢＤに高ＮＡ対物レンズ３２および低ＮＡ対物レンズ３３を接近させたときのサーボ信号生成回路（サーボ信号生成部）５７が青色レーザ光用ディテクタ２５の出力から生成するフォーカスエラー信号（図１３の信号線Ｐ３により送信される信号に相当。）を示している。
【０１５５】
図１６（６）は、図１５（６）と同様に、時間と光路切替信号レベルとの関係を示す図である。詳細については、上記同様であるため、説明を省略する。
ディスク判別開始タイミングＴ５０において、ディスク判別コントローラ（ディスク判別部）５２がディスク判別動作を開始するが、その後の高ＮＡ対物レンズおよび低ＮＡ対物レンズを上昇させる動作に至るまでの動作ついては、上記で説明した動作と同様であるので説明を省略する。
タイミングＴ５１において、赤外レーザ光の焦点がＢＤの表面（対物レンズ３２および３３に対向する側の光ディスク１の表面）を通過し、通過時に赤外レーザ光用ディテクタ２３からの信号に基づいてフォーカスエラー信号が得られる。つまり、タイミングＴ５１近辺において、図１６のＷ１６１に示すような波形のフォーカスエラー信号が出力される。
【０１５６】
図１４（ａ）に示すように、赤外レーザ光の焦点が赤色レーザ光の焦点より低ＮＡ対物レンズ３３に対して法線方向（低ＮＡ対物レンズ３３の光軸方向）に遠い側に焦点を結ぶような低ＮＡ対物レンズ３３を使用し、低ＮＡ対物レンズ３３で収束される赤色レーザ光焦点が高ＮＡ対物レンズ３２で収束される青色レーザ光の焦点より対物レンズ３２および３３に対して法線方向（対物レンズ３２および３３のそれぞれ光軸方向）に遠い側に焦点を結ぶような駆動オフセット値を駆動差加算部５８に設定するため、タイミングＴ５２において、赤色レーザ光の焦点がＢＤの表面（対物レンズ３２および３３に対向する側の光ディスク１の表面）を通過し、通過時に赤色レーザ光用ディテクタ２４からの信号に基づいてフォーカスエラー信号が得られる。つまり、タイミングＴ５２近辺において、図１６のＷ１６３に示すような波形のフォーカスエラー信号が出力される。
【０１５７】
また、タイミングＴ５３において、青色レーザ光の焦点がＢＤの表面（対物レンズ３２および３３に対向する側の光ディスク１の表面）を通過し、通過時に青色レーザ光用ディテクタ２５からの信号に基づいてフォーカスエラー信号が得られる。つまり、タイミングＴ５３近辺において、図１６のＷ１６５に示すような波形のフォーカスエラー信号が出力される。このとき得られるフォーカスエラー信号の振幅は一定レベルＬ９を超えないため、ディスク判別コントローラ（ディスク判別部）５２はディスク判別動作を続行する。
タイミングＴ５４において、赤外レーザ光の焦点がＢＤの情報面を通過し、通過時に赤外レーザ光用ディテクタ２３からの信号に基づいてフォーカスエラー信号が得られる。つまり、タイミングＴ５４近辺において、図１６のＷ１６２に示すような波形のフォーカスエラー信号が出力される。このとき得られるフォーカスエラー信号の振幅は一定レベルＬ７を超えないため、ディスク判別コントローラ（ディスク判別部）５２はディスク判別動作を続行する。
【０１５８】
次に、タイミングＴ５５において、赤色レーザ光の焦点がＢＤの情報面を通過し、通過時に赤色レーザ光用ディテクタ２４からの信号に基づいてフォーカスエラー信号が得られる。つまり、タイミングＴ５５近辺において、図１６のＷ１６４に示すような波形のフォーカスエラー信号が出力される。このとき得られるフォーカスエラー信号の振幅は一定レベルＬ８を超えないため、ディスク判別コントローラ（ディスク判別部）５２はディスク判別動作を続行する。
そして、タイミングＴ５６において、青色レーザ光の焦点がＢＤの情報面を通過し、通過時に青色レーザ光用ディテクタ２５からの信号に基づいてフォーカスエラー信号が得られる。つまり、タイミングＴ５６近辺において、図１６のＷ１６７に示すような波形のフォーカスエラー信号が出力される。このとき得られるフォーカスエラー信号の振幅は一定レベルＬ９を超えるため、ディスク判別コントローラ（ディスク判別部）５２は、装填されているディスクがＢＤであると判定する。
【０１５９】
以上のようにして、光ディスク装置４００は、青色レーザ光によるＤＶＤ情報面の記録情報の破壊を確実に回避しつつ、素早く、装填されているディスクがＢＤであることを判定することができる。
［第５実施形態］
第５実施形態について、図１７から図２０を用いて説明する。
＜５．１：光ディスク装置の構成＞
図１７に、本実施形態に係る光ディスク装置４００’の構成を示すブロック図を示す。
本実施形態に係る光ディスク装置４００’は、第４実施形態に係る光ディスク装置４００とは、以下の点が相違する。
第１に、光ディスク装置４００における、赤外レーザ光用ディテクタ２３、赤色レーザ光用ディテクタ２４、および青色レーザ光用ディテクタ２６を、多重レーザ光用ディテクタ２６１に置換した点が異なる。
【０１６０】
第２に、光ディスク装置４００におけるサーボ信号生成部５７を、サーボ信号生成部５７’に置換した点が異なる。
第３に、光ディスク装置４００における駆動差加算部５８を削除し、図１７に示す位置に、駆動差加算部５８’を追加した点が異なる。
その他の点について、光ディスク装置４００’は、光ディスク装置４００と同様であるため、説明を省略する。
多重レーザ光用ディテクタ２６１は、光路切替器３９がＯＮ状態の場合、赤外レーザ光源１１から照射され、光ディスク１により反射した赤外レーザ光、および赤色レーザ光源１２から照射され、光ディスク１により反射した赤色レーザ光が照射される。そして、多重レーザ光用ディテクタ２６１は、照射された赤外レーザ光および赤色レーザ光の強度に対応する出力信号を、サーボ信号生成部５７’に出力する。
【０１６１】
また、多重レーザ光用ディテクタ２６１は、光路切替器３９がＯＦＦ状態の場合、青色レーザ光源１７から照射され、光ディスク１により反射した青色レーザ光が照射される。そして、多重レーザ光用ディテクタ２６１は、照射された青色レーザ光の強度に対応する出力信号を、サーボ信号生成部５７’に出力する。
サーボ信号生成部５７’は、青色レーザ光用ディテクタ２５および多重レーザ光用ディテクタ２６１からの出力よりサーボ信号を生成しディスク判別部５２に出力する。
駆動差加算部５８’は、ディスク判別コントローラ（ディスク判別部）５２からの駆動出力（駆動信号の出力）に、所定レベルの信号をオフセットさせて（加算して）高ＮＡ用フォーカスアクチュエータ３７へ出力する。
つまり、光ディスク装置４００’では、高ＮＡ対物レンズ３２の方が、低ＮＡ対物レンズ３３よりもオフセット分だけ光ディスク１に近い位置に配置された状態を保ちつつ、高ＮＡ対物レンズ３２および低ＮＡ対物レンズ３３の駆動制御が実行されることになる。この点が光ディスク装置４００とは相違する。
【０１６２】
なお、高ＮＡ対物レンズ３２および低ＮＡ対物レンズ３３の位置関係は、上記とは逆であってもよいが、高ＮＡ対物レンズ３２から照射されるレーザ光が青色レーザ光である場合、消費電力が多くなるので、上記のように、高ＮＡ対物レンズ３２を、より光ディスク１に近い位置となるようにオフセット値を加えて駆動制御する方が消費電力を少なくすることができるので、好ましい。
＜５．２：光ディスク装置の動作＞
光ディスク装置４００’の基本的な動作は、第４実施形態の光ディスク装置４００の動作と同様であるので、異なる点について、以下、説明する。
（５．２．１：ディスク判別動作（ＨＤ−ＤＶＤの場合））
次に、図１８を用いて、光ディスク装置４００’に装填されているディスクがＨＤ−ＤＶＤである場合の、複数レーザ同時発光によるディスク判別の動作について説明する。
【０１６３】
図１８に、ＨＤ−ＤＶＤに対して高ＮＡ対物レンズ３２から青色レーザ光を発光させると同時に、低ＮＡ対物レンズ３３から赤色レーザ光および赤外レーザ光を同時発光させた状態で、高ＮＡ対物レンズ３２および低ＮＡ対物レンズ３３を駆動させたときの高ＮＡ対物レンズ位置およびフォーカスエラー信号と、その後、低ＮＡ対物レンズ３３から青色レーザ光を発光させた状態で、高ＮＡ対物レンズ３２および低ＮＡ対物レンズ３３を駆動させたときの低ＮＡ対物レンズ位置およびフォーカスエラー信号とを示す。
図１８（１）は、横軸を時間に、縦軸を低ＮＡ対物レンズ３３の位置とした、時間と低ＮＡ対物レンズ３３の位置との関係を示す図である。具体的には、図１８（１）は、高ＮＡ対物レンズ３２から青色レーザ光を発光させると同時に、低ＮＡ対物レンズ３３から赤色レーザ光および赤外レーザ光を同時発光させた状態で、ＨＤ−ＤＶＤに高ＮＡ対物レンズ３２および低ＮＡ対物レンズ３３を接近させたときの低ＮＡ対物レンズ３３の位置信号を示している。
【０１６４】
図１８（２）は、横軸を時間に、縦軸をフォーカスエラー信号レベルとした、時間とフォーカスエラー信号レベルとの関係との関係を示す図である。具体的には、図１８（２）は、高ＮＡ対物レンズ３２から青色レーザ光を発光させると同時に、低ＮＡ対物レンズ３３から赤色レーザ光および赤外レーザ光を同時発光させた状態で、ＨＤ−ＤＶＤに高ＮＡ対物レンズ３２および低ＮＡ対物レンズ３３を接近させたときのサーボ信号生成回路（サーボ信号生成部）５７’が多重レーザ光用ディテクタ２６１の出力から生成するフォーカスエラー信号（図１７の信号線Ｐ７により送信される信号に相当。）を示している。
図１８（３）は、横軸を時間に、縦軸をフォーカスエラー信号レベルとした、時間とフォーカスエラー信号レベルとの関係を示す図である。具体的には、図１８（３）は、高ＮＡ対物レンズ３２から青色レーザ光を発光させると同時に、低ＮＡ対物レンズ３３から赤色レーザ光および赤外レーザ光を同時発光させた状態で、ＨＤ−ＤＶＤに高ＮＡ対物レンズ３２および低ＮＡ対物レンズ３３を接近させたときのサーボ信号生成回路（サーボ信号生成部）５７’が青色レーザ光用ディテクタ２５の出力から生成するフォーカスエラー信号（図１７の信号線Ｐ６により送信される信号に相当。）を示している。
【０１６５】
図１８（４）は、横軸を時間に、縦軸を光路切替信号レベルとした、時間と光路切替信号レベルとの関係を示す図である。具体的には、図１８（５）は、高ＮＡ対物レンズ３２から青色レーザ光を発光すると同時に、低ＮＡ対物レンズ３３から赤色レーザ光および赤外レーザ光を同時発光させた状態で、高ＮＡ対物レンズ３２および低ＮＡ対物レンズ３３を駆動させ、その後、低ＮＡ対物レンズ３３から青色レーザ光を発光させた状態で、高ＮＡ対物レンズ３２および低ＮＡ対物レンズ３３を駆動させたときの青色レーザ光を高ＮＡ対物レンズ３２あるいは低ＮＡ対物レンズ３３のどちらから出力されているかの状態を示している。つまり、図１８（４）において、時刻Ｔ６０からＴ６６までの期間では、青色レーザ光は、高ＮＡ対物レンズ３２から出力されており、時刻Ｔ６６以降の期間では、青色レーザ光は、低ＮＡ対物レンズ３３から出力されていることを示している。
【０１６６】
ディスク判別開始タイミングＴ６０において、ディスク判別コントローラ（ディスク判別部）５２がディスク判別動作を開始する。その後のレーザ光を光ディスク１に照射させる動作に至るまでの動作ついては、上記で説明した動作と同様であるので説明を省略する。
ディスク判別コントローラ（ディスク判別部）５２は、高ＮＡ対物レンズ３２および低ＮＡ対物レンズ３３の位置を上昇させるための駆動信号を出力する。低ＮＡ用フォーカスアクチュエータ３８は、ディスク判別コントローラ（ディスク判別部）５２から出力された駆動信号により、低ＮＡ用対物レンズ３３を上昇させる（低ＮＡ用対物レンズ３３を光ディスク１に接近させる）。また、高ＮＡ用フォーカスアクチュエータ３７は、ディスク判別コントローラ（ディスク判別部）５２から出力された駆動信号に対して駆動差加算部５８’で所定の駆動量を加算した駆動信号により、高ＮＡ対物レンズ３２を上昇させる（高ＮＡ対物レンズ３２を光ディスク１に接近させる）。
【０１６７】
タイミングＴ６１において、赤外レーザ光の焦点がＨＤ−ＤＶＤの表面（対物レンズ３２および３３に対向する側の光ディスク１の表面）を通過し、通過時に多重レーザ光用ディテクタ２６１からの信号に基づいてフォーカスエラー信号が得られる。つまり、タイミングＴ６１近辺において、図１８のＷ１８１に示すような波形のフォーカスエラー信号が出力される。
赤外レーザ光の焦点が赤色レーザ光の焦点より低ＮＡ対物レンズ３３に対して法線方向（低ＮＡ対物レンズ３３の光軸方向）に遠い側に焦点を結ぶような低ＮＡ対物レンズ３３を使用し、低ＮＡ対物レンズ３３で収束される赤色レーザ光焦点が高ＮＡ対物レンズ３２で収束される青色レーザ光の焦点より対物レンズ３２および３３に対して法線方向（対物レンズ３２および３３のそれぞれ光軸方向）に遠い側に焦点を結ぶような駆動オフセット値を駆動差加算部５８’に設定するため、タイミングＴ６２において、赤色レーザ光の焦点がＨＤ−ＤＶＤの表面（対物レンズ３２および３３に対向する側の光ディスク１の表面）を通過し、通過時に多重レーザ光用ディテクタ２６１からの信号に基づいてフォーカスエラー信号が得られる。つまり、タイミングＴ６２近辺において、図１８のＷ１８２に示すような波形のフォーカスエラー信号が出力される。
【０１６８】
また、タイミングＴ６３において、青色レーザ光の焦点がＨＤ−ＤＶＤの表面（対物レンズ３２および３３に対向する側の光ディスク１の表面）を通過し、通過時に青色レーザ光用ディテクタ２５からの信号に基づいてフォーカスエラー信号が得られる。つまり、タイミングＴ６３近辺において、図１８のＷ１８５に示すような波形のフォーカスエラー信号が出力される。このとき得られるフォーカスエラー信号の振幅は一定レベルＬ８を超えないため、ディスク判別コントローラ（ディスク判別部）５２はディスク判別動作を続行する。
タイミングＴ６４において、赤外レーザ光の焦点がＨＤ−ＤＶＤの情報面を通過し、通過時に多重レーザ光用ディテクタ２６１からの信号に基づいてフォーカスエラー信号が得られる。つまり、タイミングＴ６４近辺において、図１８のＷ１８３に示すような波形のフォーカスエラー信号が出力される。このとき得られるフォーカスエラー信号の振幅は一定レベルＬ７を超えないため、ディスク判別コントローラ（ディスク判別部）５２はディスク判別動作を続行する。
【０１６９】
次に、タイミングＴ６５において、赤色レーザ光の焦点がＨＤ−ＤＶＤの情報面を通過し、通過時に多重レーザ光用ディテクタ２６１からの信号に基づいてフォーカスエラー信号が得られる。つまり、タイミングＴ６５近辺において、図１８のＷ１８４に示すような波形のフォーカスエラー信号が出力される。このとき得られるフォーカスエラー信号の振幅は一定レベルＬ７を超えないため、ディスク判別コントローラ（ディスク判別部）５２はディスク判別動作を続行する。
ディスク判別コントローラ（ディスク判別部）５２は、高ＮＡ対物レンズ３２および低ＮＡ対物レンズ３３の上昇を続行させるため、タイミングＴ６６において、高ＮＡ対物レンズ３２あるいは低ＮＡ対物レンズ３３は、あらかじめ設定された位置リミットに達する。そのため、ディスク判別コントローラ（ディスク判別部）５２は、高ＮＡ対物レンズ３２および低ＮＡ対物レンズ３３の上昇（光ディスク１への接近駆動動作）をやめ、高ＮＡ対物レンズ３２および低ＮＡ対物レンズ３３を下降させる（光ディスク１から遠ざけるように駆動させる）。そして、高ＮＡ対物レンズ３２および低ＮＡ対物レンズ３３の位置を、図１８のタイミングＴ６０における位置まで戻す。
【０１７０】
次に、ディスク判別コントローラ（ディスク判別部）５２は、発光させている赤色レーザ光および赤外レーザ光を消光させ、光路切替信号を出力することで光路切替器３９をＯＦＦ状態にする。
つまり、ディスク判別コントローラ（ディスク判別部）５２は、対物レンズ位置が位置リミットに達したことにより、高ＮＡ対物レンズ３２から青色レーザ光を発光させると同時に低ＮＡ対物レンズ３３から赤色レーザ光および赤外レーザ光を同時発光させた状態から、低ＮＡ対物レンズ３３から青色レーザを発光させた状態に切替える。
低ＮＡ対物レンズ３３から青色レーザ光を発光させた状態で、ディスク判別コントローラ（ディスク判別部）５２は、ふたたび高ＮＡ対物レンズ３２および低ＮＡ対物レンズ３３を上昇させる（光ディスク１に接近させる）。
【０１７１】
タイミングＴ６７において、青色レーザ光の焦点がＨＤ−ＤＶＤの表面（対物レンズ３２および３３に対向する側の光ディスク１の表面）を通過し、通過時に多重レーザ光用ディテクタ２６１からの信号に基づいてフォーカスエラー信号が得られる。つまり、タイミングＴ６７近辺において、図１８のＷ１８６に示すような波形のフォーカスエラー信号が出力される。
タイミングＴ６８において、青色レーザ光の焦点がＨＤ−ＤＶＤの情報面を通過し、通過時に多重レーザ光用ディテクタ２６１からの信号に基づいてフォーカスエラー信号が得られる。つまり、タイミングＴ６８近辺において、図１８のＷ１８７に示すような波形のフォーカスエラー信号が出力される。このとき得られるフォーカスエラー信号の振幅が一定レベルＬ１０を超えるため、ディスク判別コントローラ（ディスク判別部）５２は、装填されているディスクがＨＤ−ＤＶＤであると判定する。
【０１７２】
以上のようにして、光ディスク装置４００’は、青色レーザ光によるＤＶＤ情報面の記録情報の破壊を確実に回避しつつ、素早く、装填されているディスクがＨＤ−ＤＶＤであることを判定することができる。
（５．２．２：ディスク判別動作（ＢＤの場合））
次に、図１９を用いて、光ディスク装置４００’に装填されているディスクがＢＤである場合の、複数レーザ同時発光によるディスク判別の動作について説明する。
図１９に、ＢＤに対して高ＮＡ対物レンズ３２から青色レーザ光を発光させると同時に、低ＮＡ対物レンズ３３から赤色レーザ光および赤外レーザ光を同時発光させた状態で、高ＮＡ対物レンズ３２および低ＮＡ対物レンズ３３を駆動させたときの高ＮＡ対物レンズ位置およびフォーカスエラー信号とを示す。
【０１７３】
図１９（１）は、横軸を時間に、縦軸を高ＮＡ対物レンズ３２の位置とした、時間と高ＮＡ対物レンズ３２の位置との関係を示す図である。具体的には、図１９（１）は、高ＮＡ対物レンズ３２から青色レーザ光を発光させると同時に、低ＮＡ対物レンズ３３から赤色レーザ光および赤外レーザ光を同時発光させた状態で、ＢＤに高ＮＡ対物レンズ３２および低ＮＡ対物レンズ３３を接近させたときの低ＮＡ対物レンズ３３の位置信号を示している。
図１９（２）は、横軸を時間に、縦軸をフォーカスエラー信号レベルとした、時間とフォーカスエラー信号レベルとの関係との関係を示す図である。具体的には、図１９（２）は、高ＮＡ対物レンズ３２から青色レーザ光を発光させると同時に、低ＮＡ対物レンズ３３から赤色レーザ光および赤外レーザ光を同時発光させた状態で、ＢＤに高ＮＡ対物レンズ３２および低ＮＡ対物レンズ３３を接近させたときのサーボ信号生成回路（サーボ信号生成部）５７’が多重レーザ光用ディテクタ２６１の出力から生成するフォーカスエラー信号（図１７の信号線Ｐ７により送信される信号に相当。）を示している。
【０１７４】
図１９（３）は、横軸を時間に、縦軸をフォーカスエラー信号レベルとした、時間とフォーカスエラー信号レベルとの関係を示す図である。具体的には、図１９（３）は、高ＮＡ対物レンズ３２から青色レーザ光を発光させると同時に、低ＮＡ対物レンズ３３から赤色レーザ光および赤外レーザ光を同時発光させた状態で、ＢＤに高ＮＡ対物レンズ３２および低ＮＡ対物レンズ３３を接近させたときのサーボ信号生成回路（サーボ信号生成部）５７’が青色レーザ光用ディテクタ２５の出力から生成するフォーカスエラー信号（図１７の信号線Ｐ６により送信される信号に相当。）を示している。
図１９（４）は、図１８（４）と同様に、時間と光路切替信号レベルとの関係を示す図である。詳細については、上記同様であるため、説明を省略する。
ディスク判別開始タイミングＴ７０において、ディスク判別コントローラ（ディスク判別部）５２がディスク判別動作を開始するが、その後の高ＮＡ対物レンズおよび低ＮＡ対物レンズを上昇させる動作に至るまでの動作ついては、上記（５．２．１）で説明した動作と同様であるので説明を省略する。
【０１７５】
タイミングＴ７１において、赤外レーザ光の焦点がＢＤの表面（対物レンズ３２および３３に対向する側の光ディスク１の表面）を通過し、通過時に赤外レーザ光用ディテクタ２３からの信号に基づいてフォーカスエラー信号が得られる。つまり、タイミングＴ７１近辺において、図１９のＷ１９１に示すような波形のフォーカスエラー信号が出力される。
赤外レーザ光の焦点が赤色レーザ光の焦点より低ＮＡ対物レンズ３３に対して法線方向（低ＮＡ対物レンズ３３の光軸方向）に遠い側に焦点を結ぶような低ＮＡ対物レンズ３３を使用し、低ＮＡ対物レンズ３３で収束される赤色レーザ光焦点が高ＮＡ対物レンズ３２で収束される青色レーザ光の焦点より対物レンズ３２および３３に対して法線方向（対物レンズ３２および３３のそれぞれ光軸方向）に遠い側に焦点を結ぶような駆動オフセット値を駆動差加算部５８’に設定するため、タイミングＴ７２において、赤色レーザ光の焦点がＢＤの表面（対物レンズ３２および３３に対向する側の光ディスク１の表面）を通過し、通過時に多重レーザ光用ディテクタ２６１からの信号に基づいてフォーカスエラー信号が得られる。つまり、タイミングＴ７２近辺において、図１９のＷ１９２に示すような波形のフォーカスエラー信号が出力される。
【０１７６】
また、タイミングＴ７３において、青色レーザ光の焦点がＢＤの表面（対物レンズ３２および３３に対向する側の光ディスク１の表面）を通過し、通過時に青色レーザ光用ディテクタ２５からの信号に基づいてフォーカスエラー信号が得られる。つまり、タイミングＴ７３近辺において、図１９のＷ１９５に示すような波形のフォーカスエラー信号が出力される。このとき得られるフォーカスエラー信号の振幅は一定レベルＬ８を超えないため、ディスク判別コントローラ（ディスク判別部）５２はディスク判別動作を続行する。
タイミングＴ７４において、赤外レーザ光の焦点がＢＤの情報面を通過し、通過時に多重レーザ光用ディテクタ２６１からの信号に基づいてフォーカスエラー信号が得られる。つまり、タイミングＴ７４近辺において、図１９のＷ１９３に示すような波形のフォーカスエラー信号が出力される。このとき得られるフォーカスエラー信号の振幅は一定レベルＬ７を超えないため、ディスク判別コントローラ（ディスク判別部）５２はディスク判別動作を続行する。
【０１７７】
次に、タイミングＴ７５において、赤色レーザ光の焦点がＢＤの情報面を通過し、通過時に多重レーザ光用ディテクタ２６１からの信号に基づいてフォーカスエラー信号が得られる。つまり、タイミングＴ７５近辺において、図１９のＷ１９４に示すような波形のフォーカスエラー信号が出力される。このとき得られるフォーカスエラー信号の振幅は一定レベルＬ７を超えないため、ディスク判別コントローラ（ディスク判別部）５２はディスク判別動作を続行する。
そして、タイミングＴ７６において、青色レーザ光の焦点がＢＤの情報面を通過し、通過時に青色レーザ光用ディテクタ２５からの信号に基づいてフォーカスエラー信号が得られる。つまり、タイミングＴ７６近辺において、図１９のＷ１９６に示すような波形のフォーカスエラー信号が出力される。このとき得られるフォーカスエラー信号の振幅は一定レベルＬ８を超えるため、ディスク判別コントローラ（ディスク判別部）５２は、装填されているディスクがＢＤであると判定する。
【０１７８】
以上のようにして、光ディスク装置４００’は、青色レーザ光によるＤＶＤ情報面の記録情報の破壊を確実に回避しつつ、素早く、装填されているディスクがＢＤであることを判定することができる。
［他の実施形態］
（１）
上記第４実施形態および第５実施形態における低ＮＡ対物レンズ３３および高ＮＡ対物レンズ３２の駆動制御は、図２０に示すようにしてもよい。これについて、図２０を用いて説明する。
光ディスク装置４００（または光ディスク装置４００’）において、図２０（ａ）に示すＬＥＶ０の位置に低ＮＡ対物レンズ３３のデフォルト値を設定し（同時に、高ＮＡ対物レンズ３２のデフォルト値を、ＬＥＶ０からオフセット値分だけ光ディスク１側にずれた位置に設定し）、光路切替器３９がＯＮ状態の場合、低ＮＡ対物レンズ３３が図２０（ａ）のＬＥＶＨの位置となるように、低ＮＡ対物レンズ３３および高ＮＡ対物レンズ３２を移動させ、その状態からレーザ光照射を開始させ、低ＮＡ対物レンズ３３および高ＮＡ対物レンズ３２の駆動制御をする。そして、光路切替器３９がＯＦＦ状態の場合、駆動しない高ＮＡ対物レンズ３２を、図２０（ｂ）に示すように、高ＮＡ対物レンズ３２のデフォルト値に移動させ、駆動する低ＮＡ対物レンズ３３を図２０（ｂ）のＬＥＶＬの位置に移動させ、その状態からレーザ光照射を開始させ、低ＮＡ対物レンズ３３の駆動制御をする。
【０１７９】
光ディスク装置４００（または光ディスク装置４００’）において、このように制御することで、高ＮＡ対物レンズ３２から青色レーザを発光する場合における高ＮＡ用フォーカスアクチュエータ３７の消費電力を少なくすることができるので、光ディスク装置４００（または光ディスク装置４００’）における消費電力を少なくすることができる。
また、上記第４実施形態および第５実施形態において、高ＮＡ用フォーカスアクチュエータ３７および低ＮＡ用フォーカスアクチュエータ３８を別個に設け、独立して高ＮＡ対物レンズ３２および低ＮＡ対物レンズ３３が駆動制御される場合について説明したが、これに限定されることはなく、例えば、高ＮＡ対物レンズ３２と低ＮＡ対物レンズ３３とを、オフセット値分だけずらして固定配置し、１つのアクチュエータを用いて、高ＮＡ対物レンズ３２と低ＮＡ対物レンズ３３とを駆動制御するようにしてもよい。この場合、駆動差加算部５８（駆動差加算部５８’）を省略することができる。
【０１８０】
（２）
上記実施形態において、フォーカスエラー信号の振幅を所定のレベルと比較することにより、光ディスク装置に装填されているディスクの判別を行う場合について説明したが、これに限定されることはなく、例えば、フォーカスエラー信号の代わりに、ディスク上の情報を再生した信号を用いてディスク判別動作を行うようにしてもよい。
また、フォーカスエラー信号の所定のレベルの比較は、フォーカスエラー信号のピーク−ピーク値と所定のレベルとの比較であってもよいし、フォーカスエラー信号の振幅値と所定のレベルとの比較であってもよい。
また、ディスクの種類によって、反射率（例えば、ＣＤ、ＤＶＤ、ＤＶＤ−ＲＯＭ、ＤＶＤ−ＲＡＭ等のディスクの種類）が異なるので、ディスクの反射率によって、フォーカスエラー信号と比較するための所定のレベルを変更するようにしてもよい。
【０１８１】
また、フォーカスエラー信号を、ＡＳ（Ａｌｌ  Ｓｕｍ）信号（レーザ光用ディテクタから出力される全光量和信号）で正規化することで取得した正規化フォーカスエラー信号（例えば、フォーカスエラー信号値をＡＳ信号値で除算して取得した信号）を、所定のレベルと比較するようにしてもよい。このようにすることで、光ディスク装置において、装填されているディスクの個体差を吸収して、的確な検出動作を実行させることができる。
（３）
なお、上記実施形態で説明した光ディスク装置において、各ブロックは、ＬＳＩなどの半導体装置により個別に１チップ化されても良いし、一部又は全部を含むように１チップ化されても良い。
なお、ここでは、ＬＳＩとしたが、集積度の違いにより、ＩＣ、システムＬＳＩ、スーパーＬＳＩ、ウルトラＬＳＩと呼称されることもある。
【０１８２】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてあり得る。
また、上記実施形態の各処理をハードウェアにより実現してもよいし、ソフトウェアにより実現してもよい。さらに、ソフトウェアおよびハードウェアの混在処理により実現しても良い。
【０１８３】
なお、本発明の具体的な構成は、前述の実施形態に限られるものではなく、発明の要旨を逸脱しない範囲で種々の変更および修正が可能である。
【産業上の利用可能性】
【０１８４】
本発明に係る光ディスク装置、光ディスク判別方法、プログラムおよび集積回路は、装填されているディスク上の記録情報を破壊することなく安全に、かつ、短時間に複数の規格のディスクの判別を実行することができるので、光ディスク関連産業分野において、有用であり、本発明に係る光ディスク装置、光ディスク判別方法、プログラムおよび集積回路は、当該分野において実施することができる。
【図面の簡単な説明】
【０１８５】
【図１】第１実施形態に係る光ディスク装置の構成を示すブロック図
【図２】第１実施形態に係る光ディスク装置に装填されているディスクがＣＤおよびＤＶＤである場合の、複数レーザ同時発光によるディスク判別動作の説明のための模式図
【図３】第１実施形態に係る光ディスク装置に装填されているディスクがＣＤである場合の、複数レーザ同時発光によるディスク判別動作の説明のためのタイミングチャート
【図４】第１実施形態に係る光ディスク装置に装填されているディスクがＤＶＤである場合の、複数レーザ同時発光によるディスク判別動作の説明のためのタイミングチャート
【図５】第２実施形態に係る光ディスク装置の構成を示すブロック図
【図６】第２実施形態に係る光ディスク装置に装填されているディスクがＤＶＤおよびＨＤ−ＤＶＤである場合の、複数レーザ同時発光によるディスク判別動作の説明のための模式図
【図７】第２実施形態に係る光ディスク装置に装填されているディスクがＤＶＤである場合の、複数レーザ同時発光によるディスク判別動作の説明のためのタイミングチャート
【図８】第２実施形態に係る光ディスク装置に装填されているディスクがＨＤ−ＤＶＤである場合の、複数レーザ同時発光によるディスク判別動作の説明のためのタイミングチャート
【図９】第３実施形態に係る光ディスク装置の構成を示すブロック図
【図１０】第３実施形態に係る光ディスク装置に装填されているディスクがＤＶＤおよびＨＤ−ＤＶＤである場合の、複数レーザ同時発光によるディスク判別動作の説明のための模式図
【図１１】第３実施形態に係る光ディスク装置に装填されているディスクがＤＶＤである場合の、複数レーザ同時発光によるディスク判別動作の説明のためのタイミングチャート
【図１２】第３実施形態に係る光ディスク装置に装填されているディスクがＨＤ−ＤＶＤである場合の、複数レーザ同時発光によるディスク判別動作の説明のためのタイミングチャート
【図１３】第４実施形態に係る光ディスク装置の構成を示すブロック図
【図１４】第４実施形態に係る光ディスク装置に装填されているディスクがＨＤ−ＤＶＤである場合の、複数レーザ同時発光によるディスク判別動作の説明のための模式図
【図１５】第４実施形態に係る光ディスク装置に装填されているディスクがＨＤ−ＤＶＤである場合の、複数レーザ同時発光によるディスク判別動作の説明のためのタイミングチャート
【図１６】第４実施形態に係る光ディスク装置に装填されているディスクがＢＤである場合の、複数レーザ同時発光によるディスク判別動作の説明のためのタイミングチャート
【図１７】第５実施形態に係る光ディスク装置の構成を示すブロック図
【図１８】第５実施形態に係る光ディスク装置に装填されているディスクがＨＤ−ＤＶＤである場合の、複数レーザ同時発光によるディスク判別動作の説明のためのタイミングチャート
【図１９】第５実施形態に係る光ディスク装置に装填されているディスクがＢＤである場合の、複数レーザ同時発光によるディスク判別動作の説明のためのタイミングチャート
【図２０】他の実施形態に係る光ディスク装置の低ＮＡ対物レンズ３３および高ＮＡ対物レンズ３２の駆動制御の説明図
【図２１】従来の光ディスク装置の構成を示すブロック図
【図２２】従来の光ディスク装置に装填されているディスクがＣＤである場合のディスク判別動作を説明するためのタイミングチャート
【図２３】従来の光ディスク装置に装填されているディスクがＤＶＤである場合のディスク判別動作を説明するためのタイミングチャート
【符号の説明】
【０１８６】
１００、２００、３００、４００、４００’、９００  光ディスク装置
１  光ディスク
１０、２０１０、３０１０、４０１０、１６１０  光ヘッド
１１  赤外レーザ光源
１２  赤色レーザ光源
１３  赤外レーザ用ビームスプリッタ
１４  赤色レーザ用ビームスプリッタ
１５  赤外レーザ用前光モニタ
１６  赤色レーザ用前光モニタ
１７  青色レーザ光源
１８  青色レーザ用ビームスプリッタ
１９  青色レーザ用前光モニタ
２０  照射用ビームスプリッタ
２１  ディテクタ用ビームスプリッタ
２２  ディテクタ用ビームスプリッタ
２３  赤外レーザ光用ディテクタ
２４  赤色レーザ光用ディテクタ
２５  青色レーザ光用ディテクタ
２６  青色レーザ光用ディテクタ
２６１  多重レーザ光用ディテクタ
２７  赤色レーザ照射用ビームスプリッタ
２８  青色レーザ照射用ビームスプリッタ
２９  対物レンズ
３０  赤色レーザ用対物レンズ
３１  青色レーザ用対物レンズ
３２  高ＮＡ対物レンズ
３３  低ＮＡ対物レンズ
３４  フォーカスアクチュエータ
３５  青色レーザ用フォーカスアクチュエータ
３６  赤色レーザ用フォーカスアクチュエータ
３７  高ＮＡ用フォーカスアクチュエータ
３８  低ＮＡ用フォーカスアクチュエータ
３９  光路切替器
４０  ＬＤＤ
４１  発光レーザ選択ＳＷ
４２  再生発光駆動信号ゲイン
４３  記録発光駆動信号切替ＳＷ
４４  同時発光用ゲイン
４５  記録発光駆動信号ゲイン
４６  記録発光駆動信号切替ＳＷ
４７  同時発光用ゲイン
４８  記録発光駆動信号ゲイン
５０  ディスク判別コントローラ（ディスク判別部）
５１  ディスク判別コントローラ（ディスク判別部）
５２  ディスク判別コントローラ（ディスク判別部）
５３  レーザコントローラ（レーザ制御部）
５４  レーザコントローラ（レーザ制御部）
５５  レーザコントローラ（レーザ制御部）
５６  サーボ信号生成回路（サーボ信号生成部）
５７、５７’  サーボ信号生成回路（サーボ信号生成部）
５８、５８’  駆動差加算部
【図１】
2008165959.tif 000003
【図２】
2008165959.tif 000004
【図３】
2008165959.tif 000005
【図４】
2008165959.tif 000006
【図５】
2008165959.tif 000007
【図６】
2008165959.tif 000008
【図７】
2008165959.tif 000009
【図８】
2008165959.tif 000010
【図９】
2008165959.tif 000011
【図１０】
2008165959.tif 000012
【図１１】
2008165959.tif 000013
【図１２】
2008165959.tif 000014
【図１３】
2008165959.tif 000015
【図１４】
2008165959.tif 000016
【図１５】
2008165959.tif 000017
【図１６】
2008165959.tif 000018
【図１７】
2008165959.tif 000019
【図１８】
2008165959.tif 000020
【図１９】
2008165959.tif 000021
【図２０】
2008165959.tif 000022
【図２１】
2008165959.tif 000023
【図２２】
2008165959.tif 000024
【図２３】
2008165959.tif 000025